(57)【要約】１つ以上の領域、または１つ以上の領域の１つ以上の部分を検査および消毒する方法ならびにシステムが説明される。
2009532092.tif 000002
【特許請求の範囲】
【請求項１】
１つ以上の領域の検査；および
１つ以上の領域の上記検査に応じた１つ以上の消毒ユニットに対する１つ以上の信号の送信
を包含する消毒方法。
【請求項２】
１つ以上の領域の上記検査は、
１つ以上の上記領域が消毒されるべきである場合の決定
を包含する請求項１に記載の方法。
【請求項３】
１つ以上の領域の上記検査は、
１つ以上の上記領域が消毒されるべきではない場合の決定
を包含する請求項１に記載の方法。
【請求項４】
１つ以上の領域の上記検査は、
消毒されるべきである１つ以上の上記領域内における１つ以上の表面の決定
を包含する請求項１に記載の方法。
【請求項５】
１つ以上の領域の上記検査は、
消毒されるべきではない１つ以上の上記領域内における１つ以上の表面の決定
を包含する請求項１に記載の方法。
【請求項６】
１つ以上の領域の上記検査は、
消毒されるべきである１つ以上の上記領域内における１つ以上の対象の決定
を包含する請求項１に記載の方法。
【請求項７】
１つ以上の領域の上記検査は、
消毒されるべきではない１つ以上の上記領域内における１つ以上の対象の決定
を包含する請求項１に記載の方法。
【請求項８】
１つ以上の領域の上記検査は、
１つ以上の上記領域の地図の作製
を包含する請求項１に記載の方法。
【請求項９】
１つ以上の領域の上記検査は、
１つ以上の上記領域の模型の作製
を包含する請求項１に記載の方法。
【請求項１０】
１つ以上の領域の上記検査は、
１つ以上の上記領域が１つ以上の消毒手順に従う場合の決定
を包含する請求項１に記載の方法。
【請求項１１】
１つ以上の領域の上記検査は、
１つ以上の上記領域に対する１つ以上の消毒状態の決定
を包含する請求項１に記載の方法。
【請求項１２】
１つ以上の領域の上記検査は、
１つ以上のセンサユニットからの１つ以上の読み込みの取得
を包含する請求項１に記載の方法。
【請求項１３】
１つ以上の領域の上記検査は、
１つ以上の上記領域内に１つ以上の物陰にある領域が存在する場合の決定
を包含する請求項１に記載の方法。
【請求項１４】
１つ以上の領域の上記検査は、
固定式の１つ以上の検査ユニットを用いた１つ以上の上記領域の検査
を包含する請求項１に記載の方法。
【請求項１５】
１つ以上の領域の上記検査は、
移動式の１つ以上の検査ユニットを用いた１つ以上の上記領域の検査
を包含する請求項１に記載の方法。
【請求項１６】
１つ以上の領域の上記検査は、
消毒に関する１つ以上の上記領域に対する優先順位の決定
を包含する請求項１に記載の方法。
【請求項１７】
１つ以上の領域の上記検査は、
消毒に関する１つ以上の上記領域内における１つ以上の表面に対する優先順位の決定
を包含する請求項１に記載の方法。
【請求項１８】
１つ以上の領域の上記検査は、
１つ以上の上記領域内に１人以上の人間が存在するかまたは不在である場合の決定
を包含する請求項１に記載の方法。
【請求項１９】
１つ以上の領域の上記検査は、
１つ以上の上記領域内に使用される１つ以上の消毒作用物の作用の予測
を包含する請求項１に記載の方法。
【請求項２０】
１つ以上の領域の上記検査は、
１つ以上の上記領域内に使用された１つ以上の消毒作用物の以前の作用から経過している１つ以上の時間の長さの決定
を包含する請求項１に記載の方法。
【請求項２１】
１つ以上の領域の上記検査に応じた１つ以上の消毒ユニットに対する１つ以上の信号の上記送信は、
１つ以上の上記領域に対して１つ以上の消毒作用物を使用することの１つ以上の消毒ユニットに対する１つ以上の命令と関連する１つ以上の上記信号の送信
を包含する請求項１に記載の方法。
【請求項２２】
１つ以上の領域の上記検査に応じた１つ以上の消毒ユニットに対する１つ以上の信号の上記送信は、
１つ以上の上記領域へ１つ以上の消毒作用物の使用を回避することの１つ以上の上記消毒ユニットに対する１つ以上の命令と関連する１つ以上の上記信号の送信
を包含する請求項１に記載の方法。
【請求項２３】
１つ以上の領域の上記検査に応じた１つ以上の消毒ユニットに対する１つ以上の信号の上記送信は、
１つ以上の上記領域内における１つ以上の表面に対して１つ以上の消毒作用物を使用することの１つ以上の上記消毒ユニットに対する１つ以上の命令と関連する１つ以上の上記信号の送信
を包含する請求項１に記載の方法。
【請求項２４】
１つ以上の領域の上記検査に応じた１つ以上の消毒ユニットに対する１つ以上の信号の上記送信は、
１つ以上の上記領域内の１つ以上の表面に対する１つ以上の消毒作用物の使用を回避することの１つ以上の上記消毒ユニットに対する１つ以上の命令と関連する１つ以上の上記信号の送信
を包含する請求項１に記載の方法。
【請求項２５】
１つ以上の領域の上記検査に応じた１つ以上の消毒ユニットに対する１つ以上の信号の上記送信は、
１つ以上の上記領域内における１つ以上の対象に対して１つ以上の消毒作用物を使用することの１つ以上の上記消毒ユニットに対する１つ以上の命令と関連する１つ以上の上記信号の送信
を包含する請求項１に記載の方法。
【請求項２６】
１つ以上の領域の上記検査に応じた１つ以上の消毒ユニットに対する１つ以上の信号の上記送信は、
１つ以上の上記領域内における１つ以上の対象に対する１つ以上の消毒作用物の使用を回避することの１つ以上の上記消毒ユニットに対する１つ以上の命令と関連する１つ以上の上記信号の送信
を包含する請求項１に記載の方法。
【請求項２７】
１つ以上の領域の上記検査に応じた１つ以上の消毒ユニットに対する１つ以上の信号の上記送信は、
１つ以上の上記領域の１つ以上の地図と関連する１つ以上の上記信号の送信
を包含する請求項１に記載の方法。
【請求項２８】
１つ以上の領域の上記検査に応じた１つ以上の消毒ユニットに対する１つ以上の信号の上記送信は、
１つ以上の上記領域の１つ以上の模型と関連する１つ以上の上記信号の送信
を包含する請求項１に記載の方法。
【請求項２９】
１つ以上の領域の上記検査に応じた１つ以上の消毒ユニットに対する１つ以上の信号の上記送信は、
１つ以上の消毒手順に従う１つ以上の上記消毒ユニットに対する１つ以上の命令と関連する１つ以上の上記信号の送信
を包含する請求項１に記載の方法。
【請求項３０】
１つ以上の領域の上記検査に応じた１つ以上の消毒ユニットに対する１つ以上の信号の上記送信は、
１つ以上の上記領域に割り当てられた１つ以上の消毒状態と関連する１つ以上の上記信号の送信
を包含する請求項１に記載の方法。
【請求項３１】
１つ以上の領域の上記検査に応じた１つ以上の消毒ユニットに対する１つ以上の信号の上記送信は、
１つ以上のセンサユニットから取得された１つ以上の読み込みと関連する１つ以上の上記信号の送信
を包含する請求項１に記載の方法。
【請求項３２】
１つ以上の領域の上記検査に応じた１つ以上の消毒ユニットに対する１つ以上の信号の上記送信は、
１つ以上の上記領域に存在する１つ以上の物陰にある領域の１つ以上の位置と関連する１つ以上の上記信号の送信
を包含する請求項１に記載の方法。
【請求項３３】
１つ以上の領域の上記検査に応じた１つ以上の消毒ユニットに対する１つ以上の信号の上記送信は、
固定式の１つ以上の検査ユニットから１つ以上の上記消毒ユニットに対する１つ以上の上記信号の送信
を包含する請求項１に記載の方法。
【請求項３４】
１つ以上の領域の上記検査に応じた１つ以上の消毒ユニットに対する１つ以上の信号の上記送信は、
移動式の１つ以上の検査ユニットから１つ以上の上記消毒ユニットに対する１つ以上の上記信号の送信
を包含する請求項１に記載の方法。
【請求項３５】
１つ以上の領域の上記検査に応じた１つ以上の消毒ユニットに対する１つ以上の信号の上記送信は、
消毒に関する１つ以上の上記領域に対する優先順位の決定と関連する１つ以上の上記信号の送信
を包含する請求項１に記載の方法。
【請求項３６】
１つ以上の領域の上記検査に応じた１つ以上の消毒ユニットに対する１つ以上の信号の上記送信は、
消毒に関する１つ以上の上記領域内の１つ以上の表面に対する優先順位の決定と関連する１つ以上の上記信号の送信
を包含する請求項１に記載の方法。
【請求項３７】
１つ以上の領域の上記検査に応じた１つ以上の消毒ユニットに対する１つ以上の信号の上記送信は、
１つ以上の上記領域内に存在するかまたは不在である１人以上の人間と関連する１つ以上の上記信号の送信
を包含する請求項１に記載の方法。
【請求項３８】
１つ以上の領域の上記検査に応じた１つ以上の消毒ユニットに対する１つ以上の信号の上記送信は、
１つ以上の上記消毒ユニットが１つ以上の消毒作用物を使用すべきである１つ以上の上記領域の１つ以上の部分を示す１つ以上の命令と関連する１つ以上の上記信号の送信
を包含する請求項１に記載の方法。
【請求項３９】
１つ以上の領域の上記検査に応じた１つ以上の消毒ユニットに対する１つ以上の信号の上記送信は、
１つ以上の上記消毒ユニットが１つ以上の消毒作用物を使用すべきではない１つ以上の上記領域の１つ以上の部分を示す１つ以上の命令と関連する１つ以上の上記信号の送信
を包含する請求項１に記載の方法。
【請求項４０】
１つ以上の領域の上記検査に応じた１つ以上の消毒ユニットに対する１つ以上の信号の上記送信は、
１つ以上の上記領域に対して特定される１つ以上の消毒作用物を使用することの１つ以上の上記消毒ユニットに対する１つ以上の命令と関連する１つ以上の上記信号の送信
を包含する請求項１に記載の方法。
【請求項４１】
１つ以上の領域の上記検査に応じた１つ以上の消毒ユニットに対する１つ以上の信号の上記送信は、
１つ以上の記録ユニットに対する１つ以上の命令と関連する１つ以上の上記信号の送信
を包含する請求項１に記載の方法。
【請求項４２】
１つ以上の領域の上記検査に応じた１つ以上の消毒ユニットに対する１つ以上の信号の上記送信は、
１つ以上の消毒作用物が１つ以上の上記領域内に対して以前に使用されてから経過している１つ以上の時間の長さと関連する１つ以上の上記消毒ユニットに対する１つ以上の上記信号の送信
を包含する請求項１に記載の方法。
【請求項４３】
１つ以上の検査ユニットと関連する１つ以上の信号の受信；および
１つ以上の検査ユニットと関連する１つ以上の信号の上記受信に応じた１つ以上の領域に対する１つ以上の消毒作用物の使用
を包含する消毒方法。
【請求項４４】
１つ以上の検査ユニットと関連する１つ以上の信号の上記受信は、
１つ以上の上記領域に対して１つ以上の上記消毒作用物を使用することの１つ以上の命令と関連する１つ以上の上記信号の受信
を包含する請求項４３に記載の方法。
【請求項４５】
１つ以上の検査ユニットと関連する１つ以上の信号の上記受信は、
１つ以上の上記領域に対する１つ以上の上記消毒作用物の使用を回避することの１つ以上の命令と関連する１つ以上の上記信号の受信
を包含する請求項４３に記載の方法。
【請求項４６】
１つ以上の検査ユニットと関連する１つ以上の信号の上記受信は、
１つ以上の上記領域内における１つ以上の表面に対して１つ以上の上記消毒作用物を使用することの１つ以上の命令と関連する１つ以上の上記信号の受信
を包含する請求項４３に記載の方法。
【請求項４７】
１つ以上の検査ユニットと関連する１つ以上の信号の上記受信は、
１つ以上の上記領域内における１つ以上の表面に対する１つ以上の上記消毒作用物の使用を回避することの１つ以上の命令と関連する１つ以上の上記信号の受信
を包含する請求項４３に記載の方法。
【請求項４８】
１つ以上の検査ユニットと関連する１つ以上の信号の上記受信は、
１つ以上の上記領域内における１つ以上の対象に対して１つ以上の上記消毒作用物を使用することの１つ以上の命令と関連する１つ以上の上記信号の受信
を包含する請求項４３に記載の方法。
【請求項４９】
１つ以上の検査ユニットと関連する１つ以上の信号の上記受信は、
１つ以上の上記領域内における１つ以上の対象に対する１つ以上の上記消毒作用物の使用を回避することの１つ以上の命令と関連する１つ以上の上記信号の受信
を包含する請求項４３に記載の方法。
【請求項５０】
１つ以上の検査ユニットと関連する１つ以上の信号の上記受信は、
１つ以上の上記領域の１つ以上の地図と関連する１つ以上の上記信号の受信
を包含する請求項４３に記載の方法。
【請求項５１】
１つ以上の検査ユニットと関連する１つ以上の信号の上記受信は、
１つ以上の領域の１つ以上の模型と関連する１つ以上の信号の受信
を包含する請求項４３に記載の方法。
【請求項５２】
１つ以上の検査ユニットと関連する１つ以上の信号の上記受信は、
１つ以上の上記領域に割り当てられた１つ以上の消毒手順に従う１つ以上の命令と関連する１つ以上の上記信号の受信
を包含する請求項４３に記載の方法。
【請求項５３】
１つ以上の検査ユニットと関連する１つ以上の信号の上記受信は、
１つ以上の領域に割り当てられた１つ以上の消毒状態と関連する１つ以上の上記信号の受信
を包含する請求項４３に記載の方法。
【請求項５４】
１つ以上の検査ユニットと関連する１つ以上の信号の上記受信は、
１つ以上のセンサユニットから取得された１つ以上の読み込みと関連する１つ以上の上記信号の受信
を包含する請求項４３に記載の方法。
【請求項５５】
１つ以上の検査ユニットと関連する１つ以上の信号の上記受信は、
１つ以上の上記領域内に存在する１つ以上の物陰にある領域の１つ以上の位置と関連する１つ以上の上記信号の受信
を包含する請求項４３に記載の方法。
【請求項５６】
１つ以上の検査ユニットと関連する１つ以上の信号の上記受信は、
固定式の１つ以上の上記検査ユニットに関連する１つ以上の上記信号の受信
を包含する請求項４３に記載の方法。
【請求項５７】
１つ以上の検査ユニットと関連する１つ以上の信号の上記受信は、
移動式の１つ以上の上記検査ユニットに関連する１つ以上の上記信号の受信
を包含する請求項４３に記載の方法。
【請求項５８】
１つ以上の検査ユニットと関連する１つ以上の信号の上記受信は、
消毒に関する１つ以上の上記領域に対する優先順位の決定と関連する１つ以上の上記信号の受信
を包含する請求項４３に記載の方法。
【請求項５９】
１つ以上の検査ユニットと関連する１つ以上の信号の上記受信は、
消毒に関する１つ以上の上記領域内の１つ以上の表面に対する優先順位の決定と関連する１つ以上の上記信号の受信
を包含する請求項４３に記載の方法。
【請求項６０】
１つ以上の検査ユニットと関連する１つ以上の信号の上記受信は、
消毒に関する１つ以上の上記領域内の１つ以上の対象に対する優先順位の決定と関連する１つ以上の上記信号の受信
を包含する請求項４３に記載の方法。
【請求項６１】
１つ以上の検査ユニットと関連する１つ以上の信号の上記受信は、
１つ以上の上記領域内に存在するかまたは不在である１人以上の人間と関連する１つ以上の上記信号の受信
を包含する請求項４３に記載の方法。
【請求項６２】
１つ以上の検査ユニットと関連する１つ以上の信号の上記受信は、
１つ以上の上記領域内に使用される１つ以上の上記消毒作用物の予測される作用と関連する１つ以上の上記信号の受信
を包含する請求項４３に記載の方法。
【請求項６３】
１つ以上の検査ユニットと関連する１つ以上の信号の上記受信は、
１つ以上の上記消毒作用物が１つ以上の上記領域に対して以前に使用されてから経過している１つ以上の時間の長さに関連する１つ以上の上記信号の受信
を包含する請求項４３に記載の方法。
【請求項６４】
１つ以上の検査ユニットと関連する１つ以上の信号の上記受信は、
１つ以上の上記領域内における１つ以上の上記消毒作用物を使用すべきである場所を示す１つ以上の命令と関連する１つ以上の上記信号の受信
を包含する請求項４３に記載の方法。
【請求項６５】
１つ以上の検査ユニットと関連する１つ以上の信号の上記受信は、
１つ以上の上記領域内における１つ以上の上記消毒作用物を使用すべきではない場所を示す１つ以上の命令と関連する１つ以上の上記信号の受信
を包含する請求項４３に記載の方法。
【請求項６６】
１つ以上の検査ユニットと関連する１つ以上の信号の上記受信は、
１つ以上の消毒作用物を特定して１つ以上の領域に対して使用することと関連する１つ以上の上記信号の受信
を包含する請求項４３に記載の方法。
【請求項６７】
１つ以上の検査ユニットと関連する１つ以上の信号の上記受信は、
１つ以上の記録ユニットと関連する１つ以上の上記信号の受信
を包含する請求項４３に記載の方法。
【請求項６８】
１つ以上の検査ユニットと関連する１つ以上の信号の上記受信に応じた１つ以上の領域に対する１つ以上の消毒作用物の上記使用は、
１つ以上の上記領域に対する１つ以上の上記消毒作用物の使用
を包含する請求項４３に記載の方法。
【請求項６９】
１つ以上の検査ユニットと関連する１つ以上の信号の上記受信に応じた１つ以上の領域に対する１つ以上の消毒作用物の上記使用は、
１つ以上の上記領域に対する１つ以上の上記消毒作用物の使用の回避
を包含する請求項４３に記載の方法。
【請求項７０】
１つ以上の検査ユニットと関連する１つ以上の信号の上記受信に応じた１つ以上の領域に対する１つ以上の消毒作用物の上記使用は、
１つ以上の上記領域内における１つ以上の表面に対する１つ以上の上記消毒作用物の使用
を包含する請求項４３に記載の方法。
【請求項７１】
１つ以上の検査ユニットと関連する１つ以上の信号の上記受信に応じた１つ以上の領域に対する１つ以上の消毒作用物の上記使用は、
１つ以上の上記領域内における１つ以上の表面に対する１つ以上の上記消毒作用物の使用の回避
を包含する請求項４３に記載の方法。
【請求項７２】
１つ以上の検査ユニットと関連する１つ以上の信号の上記受信に応じた１つ以上の領域に対する１つ以上の消毒作用物の上記使用は、
１つ以上の上記領域内における１つ以上の対象に対する１つ以上の上記消毒作用物の使用
を包含する請求項４３に記載の方法。
【請求項７３】
１つ以上の検査ユニットと関連する１つ以上の信号の上記受信に応じた１つ以上の領域に対する１つ以上の消毒作用物の上記使用は、
１つ以上の上記領域における１つ以上の対象に対する１つ以上の上記消毒作用物の使用の回避
を包含する請求項４３に記載の方法。
【請求項７４】
１つ以上の検査ユニットと関連する１つ以上の信号の上記受信に応じた１つ以上の領域に対する１つ以上の消毒作用物の上記使用は、
１つ以上の上記領域の１つ以上の地図に従った１つ以上の上記領域に対する１つ以上の上記消毒作用物の使用
を包含する請求項４３に記載の方法。
【請求項７５】
１つ以上の検査ユニットと関連する１つ以上の信号の上記受信に応じた１つ以上の領域に対する１つ以上の消毒作用物の上記使用は、
１つ以上の上記領域の１つ以上の模型に従った１つ以上の上記領域に対する１つ以上の上記消毒作用物の使用
を包含する請求項４３に記載の方法。
【請求項７６】
１つ以上の検査ユニットと関連する１つ以上の信号の上記受信に応じた１つ以上の領域に対する１つ以上の消毒作用物の上記使用は、
１つ以上の消毒手順に従った１つ以上の上記領域に対する１つ以上の上記消毒作用物の使用
を包含する請求項４３に記載の方法。
【請求項７７】
１つ以上の検査ユニットと関連する１つ以上の信号の上記受信に応じた１つ以上の領域に対する１つ以上の消毒作用物の上記使用は、
１つ以上の上記領域に割り当てられた１つ以上の消毒状態に従った１つ以上の上記領域に対する１つ以上の上記消毒作用物の使用
を包含する請求項４３に記載の方法。
【請求項７８】
１つ以上の検査ユニットと関連する１つ以上の信号の上記受信に応じた１つ以上の領域に対する１つ以上の消毒作用物の上記使用は、
１つ以上のセンサユニットから取得される１つ以上の読み込みに従って１つ以上の上記領域に対する１つ以上の上記消毒作用物の使用
を包含する請求項４３に記載の方法。
【請求項７９】
１つ以上の検査ユニットと関連する１つ以上の信号の上記受信に応じた１つ以上の領域に対する１つ以上の消毒作用物の上記使用は、
１つ以上の上記領域内に存在する１つ以上の物陰にある領域に対する１つ以上の上記消毒作用物の使用
を包含する請求項４３に記載の方法。
【請求項８０】
１つ以上の検査ユニットと関連する１つ以上の信号の上記受信に応じた１つ以上の領域に対する１つ以上の消毒作用物の上記使用は、
固定式の１つ以上の上記消毒ユニットからの１つ以上の上記領域に対する１つ以上の消毒作用物の使用
を包含する請求項４３に記載の方法。
【請求項８１】
１つ以上の検査ユニットと関連する１つ以上の信号の上記受信に応じた１つ以上の領域に対する１つ以上の消毒作用物の上記使用は、
移動式の１つ以上の消毒ユニットからの１つ以上の上記領域に対する１つ以上の上記消毒作用物の使用
を包含する請求項４３に記載の方法。
【請求項８２】
１つ以上の検査ユニットと関連する１つ以上の信号の上記受信に応じた１つ以上の領域に対する１つ以上の消毒作用物の上記使用は、
優先的順位決定された様式における１つ以上の領域に対する１つ以上の上記消毒作用物の使用
を包含する請求項４３に記載の方法。
【請求項８３】
１つ以上の検査ユニットと関連する１つ以上の信号の上記受信に応じた１つ以上の領域に対する１つ以上の消毒作用物の上記使用は、
優先的順位決定された様式における１つ以上の上記領域内における１つ以上の表面に１つ以上の上記消毒作用物の使用
を包含する請求項４３に記載の方法。
【請求項８４】
１つ以上の検査ユニットと関連する１つ以上の信号の上記受信に応じた１つ以上の領域に対する１つ以上の消毒作用物の上記使用は、
優先的順位決定された様式における１つ以上の上記領域内における１つ以上の対象に対する１つ以上の上記消毒作用物の使用
を包含する請求項４３に記載の方法。
【請求項８５】
１つ以上の検査ユニットと関連する１つ以上の信号の上記受信に応じた１つ以上の領域に対する１つ以上の消毒作用物の上記使用は、
１つ以上の上記領域内に存在する１人以上の人間に対する１つ以上の上記領域内における１つ以上の上記消毒作用物の使用
を包含する請求項４３に記載の方法。
【請求項８６】
１つ以上の検査ユニットと関連する１つ以上の信号の上記受信に応じた１つ以上の領域に対する１つ以上の消毒作用物の上記使用は、
１人以上の人間が１つ以上の上記領域に不在である場合における１つ以上の上記領域に対する１つ以上の上記消毒作用物の使用
を包含する請求項４３に記載の方法。
【請求項８７】
１つ以上の検査ユニットと関連する１つ以上の信号の上記受信に応じた１つ以上の領域に対する１つ以上の消毒作用物の上記使用は、
１人以上の人間が１つ以上の上記領域内に存在する場合における１つ以上の上記領域に１つ以上の上記消毒作用物の使用の回避
を包含する請求項４３に記載の方法。
【請求項８８】
１つ以上の検査ユニットと関連する１つ以上の信号の上記受信に応じた１つ以上の領域に対する１つ以上の消毒作用物の上記使用は、
１つ以上の上記領域の１つ以上の部分に対する１つ以上の上記消毒作用物の使用
を包含する請求項４３に記載の方法。
【請求項８９】
１つ以上の検査ユニットと関連する１つ以上の信号の上記受信に応じた１つ以上の領域に対する１つ以上の消毒作用物の上記使用は、
１つ以上の上記領域の１つ以上の部分に対する１つ以上の上記消毒作用物の使用の回避
を包含する請求項４３に記載の方法。
【請求項９０】
１つ以上の検査ユニットと関連する１つ以上の信号の上記受信に応じた１つ以上の領域に対する１つ以上の消毒作用物の上記使用は、
１つ以上の上記領域に対する１つ以上の上記消毒作用物の以前の使用から経過している１つ以上の時間の長さに従った１つ以上の上記消毒作用物の使用
を包含する請求項４３に記載の方法。
【請求項９１】
１つ以上の検査ユニットと関連する１つ以上の信号の上記受信に応じた１つ以上の領域に対する１つ以上の消毒作用物の上記使用は、
１つ以上の上記領域に対して特定される１つ以上の上記消毒作用物の使用
を包含する請求項４３に記載の方法。
【請求項９２】
１つ以上の検査ユニットと関連する１つ以上の信号の上記受信に応じた１つ以上の領域に対する１つ以上の消毒作用物の上記使用は、
ガンマ放射線、ソニック  ラジエーション、化学薬品、赤外線、蒸気およびガスからなる群から選択される１つ以上の上記消毒作用物の使用
を包含する請求項４３に記載の方法。
【請求項９３】
１つ以上の検査ユニットと関連する１つ以上の信号の上記受信に応じた１つ以上の領域に対する１つ以上の消毒作用物の上記使用は、
紫外線を含む１つ以上の上記消毒作用物の使用
を包含する請求項４３に記載の方法。
【請求項９４】
１つ以上の領域の検査；および
１つ以上の領域の上記検査に応じた１つ以上の上記領域に対する１つ以上の消毒作用物の使用
を包含する消毒方法。
【請求項９５】
１つ以上の領域の上記検査は、
１つ以上の上記領域が消毒されるべきである場合の決定
を包含する請求項９４に記載の方法。
【請求項９６】
１つ以上の領域の上記検査は、
１つ以上の上記領域が消毒されるべきではない場合の決定
を包含する請求項９４に記載の方法。
【請求項９７】
１つ以上の領域の上記検査は、
消毒されるべきである１つ以上の上記領域内における１つ以上の表面の決定
を包含する請求項９４に記載の方法。
【請求項９８】
１つ以上の領域の上記検査は、
消毒されるべきではない１つ以上の上記領域内における１つ以上の表面の決定
を包含する請求項９４に記載の方法。
【請求項９９】
１つ以上の領域の上記検査は、
消毒されるべきである１つ以上の上記領域内における１つ以上の対象の決定
を包含する請求項９４に記載の方法。
【請求項１００】
１つ以上の領域の上記検査は、
消毒されるべきではない１つ以上の上記領域内における１つ以上の対象の決定
を包含する請求項９４に記載の方法。
【請求項１０１】
１つ以上の領域の上記検査は、
１つ以上の上記領域の地図の作製
を包含する請求項９４に記載の方法。
【請求項１０２】
１つ以上の領域の上記検査は、
１つ以上の上記領域の模型の作製
を包含する請求項９４に記載の方法。
【請求項１０３】
１つ以上の領域の上記検査は、
１つ以上の上記領域が１つ以上の消毒手順に従う場合の決定
を包含する請求項９４に記載の方法。
【請求項１０４】
１つ以上の領域の上記検査は、
１つ以上の上記領域に対する１つ以上の消毒状態の決定
を包含する請求項９４に記載の方法。
【請求項１０５】
１つ以上の領域の上記検査は、
１つ以上のセンサユニットからの１つ以上の読み込みの取得
を包含する請求項９４に記載の方法。
【請求項１０６】
１つ以上の領域の上記検査は、
１つ以上の上記領域内に１つ以上の物陰にある領域が存在する場合の決定
を包含する請求項９４に記載の方法。
【請求項１０７】
１つ以上の領域の上記検査は、
固定式の１つ以上の検査ユニットを用いた１つ以上の上記領域の検査
を包含する請求項９４に記載の方法。
【請求項１０８】
１つ以上の領域の上記検査は、
移動式の１つ以上の検査ユニットを用いた１つ以上の上記領域の検査
を包含する請求項９４に記載の方法。
【請求項１０９】
１つ以上の領域の上記検査は、
消毒に関する１つ以上の上記領域に対する優先順位の決定
を包含する請求項９４に記載の方法。
【請求項１１０】
１つ以上の領域の上記検査は、
消毒に関する１つ以上の上記領域内における１つ以上の表面に対する優先順位の決定
を包含する請求項９４に記載の方法。
【請求項１１１】
１つ以上の領域の上記検査は、
１つ以上の上記領域内に１人以上の人間が存在するかまたは不在である場合の決定
を包含する請求項９４に記載の方法。
【請求項１１２】
１つ以上の領域の上記検査は、
１つ以上の上記領域内に使用される１つ以上の消毒作用物の作用の予測
を包含する請求項９４に記載の方法。
【請求項１１３】
１つ以上の領域の上記検査は、
１つ以上の上記領域内に使用された１つ以上の消毒作用物の以前の作用から経過している１つ以上の時間の長さの決定
を包含する請求項９４に記載の方法。
【請求項１１４】
１つ以上の領域の上記検査に応じた１つ以上の上記領域に対する１つ以上の消毒作用物の上記使用は、
１つ以上の上記領域に対する１つ以上の消毒作用物の上記使用
を包含する請求項９４に記載の方法。
【請求項１１５】
１つ以上の領域の上記検査に応じた１つ以上の上記領域に対する１つ以上の消毒作用物の上記使用は、
１つ以上の上記領域に対する１つ以上の上記消毒作用物の使用の回避
を包含する請求項９４に記載の方法。
【請求項１１６】
１つ以上の領域の上記検査に応じた１つ以上の上記領域に対する１つ以上の消毒作用物の上記使用は、
１つ以上の上記領域内における１つ以上の表面に対する１つ以上の上記消毒作用物の使用
を包含する請求項９４に記載の方法。
【請求項１１７】
１つ以上の領域の上記検査に応じた１つ以上の上記領域に対する１つ以上の消毒作用物の上記使用は、
１つ以上の上記領域内における１つ以上の表面に対する１つ以上の上記消毒作用物の使用の回避
を包含する請求項９４に記載の方法。
【請求項１１８】
１つ以上の領域の上記検査に応じた１つ以上の上記領域に対する１つ以上の消毒作用物の上記使用は、
１つ以上の上記領域内における１つ以上の対象に対する１つ以上の上記消毒作用物の使用
を包含する請求項９４に記載の方法。
【請求項１１９】
１つ以上の領域の上記検査に応じた１つ以上の上記領域に対する１つ以上の消毒作用物の上記使用は、
１つ以上の上記領域における１つ以上の対象に対する１つ以上の上記消毒作用物の使用の回避
を包含する請求項９４に記載の方法。
【請求項１２０】
１つ以上の領域の上記検査に応じた１つ以上の上記領域に対する１つ以上の消毒作用物の上記使用は、
１つ以上の上記領域の１つ以上の地図に従った１つ以上の上記領域に対する１つ以上の上記消毒作用物の使用
を包含する請求項９４に記載の方法。
【請求項１２１】
１つ以上の領域の上記検査に応じた１つ以上の上記領域に対する１つ以上の消毒作用物の上記使用は、
１つ以上の上記領域の１つ以上の模型に従った１つ以上の上記領域に対する１つ以上の上記消毒作用物の使用
を包含する請求項９４に記載の方法。
【請求項１２２】
１つ以上の領域の上記検査に応じた１つ以上の上記領域に対する１つ以上の消毒作用物の上記使用は、
１つ以上の消毒手順に従った１つ以上の上記領域に１つ以上の上記消毒作用物の使用
を包含する請求項９４に記載の方法。
【請求項１２３】
１つ以上の領域の上記検査に応じた１つ以上の上記領域に対する１つ以上の消毒作用物の上記使用は、
１つ以上の上記領域に割り当てられた１つ以上の消毒状態に従った１つ以上の上記領域に対する１つ以上の上記消毒作用物の使用
を包含する請求項９４に記載の方法。
【請求項１２４】
１つ以上の領域の上記検査に応じた１つ以上の上記領域に対する１つ以上の消毒作用物の上記使用は、
１つ以上のセンサユニットから取得される１つ以上の読み込みに従った１つ以上の上記領域に対する１つ以上の上記消毒作用物の使用
を包含する請求項９４に記載の方法。
【請求項１２５】
１つ以上の領域の上記検査に応じた１つ以上の上記領域に対する１つ以上の消毒作用物の上記使用は、
１つ以上の上記領域内に存在する１つ以上の物陰にある領域に対する１つ以上の上記消毒作用物の使用
を包含する請求項９４に記載の方法。
【請求項１２６】
１つ以上の領域の上記検査に応じた１つ以上の上記領域に対する１つ以上の消毒作用物の上記使用は、
固定式の１つ以上の消毒ユニットからの１つ以上の上記領域に対する１つ以上の上記消毒作用物の使用
を包含する請求項９４に記載の方法。
【請求項１２７】
１つ以上の領域の上記検査に応じた１つ以上の上記領域に対する１つ以上の消毒作用物の上記使用は、
移動式の１つ以上の上記消毒ユニットからの１つ以上の上記領域に１つ以上の上記消毒作用物の使用
を包含する請求項９４に記載の方法。
【請求項１２８】
１つ以上の領域の上記検査に応じた１つ以上の上記領域に対する１つ以上の消毒作用物の上記使用は、
優先的順位決定された様式における１つ以上の上記領域に対する１つ以上の上記消毒作用物の使用
を包含する請求項９４に記載の方法。
【請求項１２９】
１つ以上の領域の上記検査に応じた１つ以上の上記領域に対する１つ以上の消毒作用物の上記使用は、
優先的順位決定された様式における１つ以上の上記領域内における１つ以上の表面に対する１つ以上の上記消毒作用物の使用
を包含する請求項９４に記載の方法。
【請求項１３０】
１つ以上の領域の上記検査に応じた１つ以上の上記領域に対する１つ以上の消毒作用物の上記使用は、
優先的順位決定された様式における１つ以上の上記領域内における１つ以上の対象に対する１つ以上の上記消毒作用物の使用
を包含する請求項９４に記載の方法。
【請求項１３１】
１つ以上の領域の上記検査に応じた１つ以上の上記領域に対する１つ以上の消毒作用物の上記使用は、
１つ以上の上記領域内に存在する１人以上の人間に対する１つ以上の上記領域内における１つ以上の上記消毒作用物の使用
を包含する請求項９４に記載の方法。
【請求項１３２】
１つ以上の領域の上記検査に応じた１つ以上の上記領域に対する１つ以上の消毒作用物の上記使用は、
１人以上の人間が１つ以上の上記領域に不在である場合における１つ以上の上記領域に対する１つ以上の上記消毒作用物の使用
を包含する請求項９４に記載の方法。
【請求項１３３】
１つ以上の領域の上記検査に応じた１つ以上の上記領域に対する１つ以上の消毒作用物の上記使用は、
１人以上の人間が１つ以上の上記領域内に存在する場合における１つ以上の上記領域に１つ以上の上記消毒作用物の使用の回避
を包含する請求項９４に記載の方法。
【請求項１３４】
１つ以上の領域の上記検査に応じた１つ以上の上記領域に対する１つ以上の消毒作用物の上記使用は、
１つ以上の上記領域の１つ以上の部分に対する１つ以上の上記消毒作用物の上記使用
を包含する請求項９４に記載の方法。
【請求項１３５】
１つ以上の領域の上記検査に応じた１つ以上の上記領域に対する１つ以上の消毒作用物の上記使用は、
１つ以上の上記領域の１つ以上の部分に対する１つ以上の上記消毒作用物の使用の回避
を包含する請求項９４に記載の方法。
【請求項１３６】
１つ以上の領域の上記検査に応じた１つ以上の上記領域に対する１つ以上の消毒作用物の上記使用は、
１つ以上の上記領域に対する１つ以上の上記消毒作用物の以前の使用から経過している１つ以上の時間の長さに従った１つ以上の上記消毒作用物の使用
を包含する請求項９４に記載の方法。
【請求項１３７】
１つ以上の領域の上記検査に応じた１つ以上の上記領域に対する１つ以上の消毒作用物の上記使用は、
１つ以上の上記領域に対して特定される１つ以上の上記消毒作用物の使用
を包含する請求項９４に記載の方法。
【請求項１３８】
１つ以上の領域の上記検査に応じた１つ以上の上記領域に対する１つ以上の消毒作用物の上記使用は、
ガンマ放射線、ソニック  ラジエーション、化学薬品、赤外線、蒸気およびガスからなる群から選択される１つ以上の上記消毒作用物の使用
を包含する請求項９４に記載の方法。
【請求項１３９】
１つ以上の領域の上記検査に応じた１つ以上の上記領域に対する１つ以上の消毒作用物の上記使用は、
紫外線を含む１つ以上の上記消毒作用物の使用
を包含する請求項４３に記載の方法。
【請求項１４０】
請求項１〜１３９のいずれか１項に記載の上記方法を実行する手段を包含するシステム。
【請求項１４１】
請求項１〜１３９のいずれか１項に記載の上記方法を実行する上記手段は、回路構成を包含する請求項１４０に記載のシステム。
【請求項１４２】
請求項１〜１３９のいずれか１項に記載の上記方法を実行する上記手段は、論理を包含する請求項１４０に記載のシステム。
【請求項１４３】
請求項１〜１３９のいずれか１項に記載の上記方法を実行する上記手段は、１つ以上のプログラム命令を包含する請求項１４０に記載のシステム。
【発明の詳細な説明】
【発明の詳細な説明】
【０００１】
〔関連出願に対する相互参照〕
本出願は、以下に挙げられている（複数の）出願（“関連出願”）に由来する最先の有効な出願完了日の利益に関連し、かつ当該利益を主張する（例えば、仮特許出願以外に関する最先の有効な優先日を主張するか、または仮特許出願に関して、関連出願のあらゆるおよびすべての親出願、祖父出願、曽祖父出願などに関して、合衆国法典第３５巻第１１９条の（ｅ）に基づく特権を主張する）。
【０００２】
〔関連出願〕
ＵＳＰＴＯの法的要件外の目的において、本出願は、米国特許出願（第１１／３９６，２５６号、発明の名称：消毒方法およびシステム、発明者としてEdward K. Y. Jung、Royce A. Levien、Robert W. Lord、Mark A. Malamud、John D. Rinaldo, Jr.、およびLowell L. Wood, Jr.を指定、２００６年３月３１日出願）の一部継続出願を構成する。上記の出願は、現在のところ同時継続であるか、または上記出願は、現在のところ同時継続の出願が上記出願日の利益に対する権利を与えられる出願である。
【０００３】
米国特許局（ＵＳＰＴＯ）は、（ａ）特許出願人が両方の出願番号を参照すること、および（ｂ）特許出願人が、出願が継続出願もしくは一部継続出願であるか否かを示すことを、ＵＳＰＴＯのコンピュータプログラムが必要とするという意味についての通知を公開している。Stephen G. Kunin、先に提出した出願の利益、２００３年３月１８日のＵＳＰＴＯ公報、http://www.uspto.gov/web/offices/com/sol/og/2003/week11/patbene.htmに用意されている。本出願人の団体は、法令によって述べられているように優先権が主張されている（複数の）出願に対する上記の特定の参照を与えている。出願人の団体は、法令が特定の基準言語において明瞭であり、かつ米国特許出願に対する優先権の主張のために、出願番号またはあらゆる説明（例えば、“継続出願”または“一部継続出願”）のいずれかを必要としないことを理解する。前記のものに逆らうことなく、出願人の団体は、ＵＳＰＴＯのコンピュータプログラムが、特定のデータ入力要求を有することを理解し、かつそれ故に、出願人の団体は、上記のその親出願の一部継続出願として本出願を指定しているが、当該指定が、本出願がその（複数の）親出願の内容に加えてあらゆる新たな内容を含むか否かについて、あらゆる種類の所見および／または自認として決して解釈されるべきではないことを特に指摘する。
【０００４】
関連出願の内容のすべて、および関連出願のあらゆるすべての親出願、祖父出願、曽祖父出願などの内容は、当該内容が本明細書と矛盾しない範囲において、引用によって本明細書に組み込まれる。
【０００５】
〔技術分野〕
本開示内容は、保健医療および製造設備といった多くの状況の範囲内において使用され得る、消毒方法およびシステムに関する。
【０００６】
〔要約〕
いくつかの実施形態において、１つ以上の領域の検査、および１つ以上の領域の上記検査に応じた１つ以上の消毒ユニットに対する１つ以上の信号の送信を包含する消毒方法が、提供される。上記に加えて、方法の他の局面は、本出願の一部を形成する特許請求の範囲、図面および本文に記載されている。
【０００７】
ある実施形態おいて、１つ以上の検査ユニットに関連する１つ以上の信号の受信、および１つ以上の検査ユニットに関連する１つ以上の信号の上記受信に応じて１つ以上の領域に１つ以上の消毒作用物の使用を包含する消毒方法が、提供される。上記に加えて、方法の他の局面は、本出願の一部を形成する特許請求の範囲、図面および本文に記載されている。
【０００８】
いくつかの実施形態において、１つ以上の領域の検査に関する回路構成、および１つ以上の領域の検査に関する上記回路構成に応じた１つ以上の消毒ユニットに対する１つ以上の信号の送信に関する回路構成を包含する消毒システムが、提供される。上記に加えて、システムの他の局面は、本出願の一部を形成する特許請求の範囲、図面および／または本文に記載されている。
【０００９】
いくつかの実施形態において、１つ以上の検査ユニットと関連する１つ以上の信号の受信に関する回路構成、および１つ以上の検査ユニットと関連する１つ以上の信号の受信に関する上記回路構成に応じた１つ以上の領域に対する１つ以上の消毒作用物の使用に関する回路構成を包含する消毒システムが、提供される。上記に加えて、システムの他の局面は、本出願の一部を形成する特許請求の範囲、図面および／または本文に記載されている。
【００１０】
いくつかの実施形態において、１つ以上の領域を検査する手段、および１つ以上の領域を検査する上記手段に応じた１つ以上の消毒ユニットに対する１つ以上の信号を送信する手段を包含する消毒システムが、提供される。上記に加えて、システムの他の局面は、本出願の一部を形成する特許請求の範囲、図面および／または本文に記載されている。
【００１１】
いくつかの実施形態において、１つ以上の検査ユニットからの１つ以上の信号を受信する手段、および１つ以上の検査ユニットからの１つ以上の信号を受信する上記手段に応じた１つ以上の領域に対する１つ以上の消毒作用物を使用する手段を包含する消毒システムが、提供される。上記に加えて、システムの他の局面は、本出願の一部を形成する特許請求の範囲、図面および／または本文に記載されている。
【００１２】
いくつかの実施形態において、関連するシステムとしては、本明細書に言及される方法の局面を達成する回路構成および／またはプログラミング；システム設計者の設計選択に基づいて本明細書に言及される方法の局面を達成するために構成された、ハードウェア、ソフトウェア、および／またはファームウェアの実質的にあらゆる組み合わせであり得る回路構成および／またはプログラミングが挙げられるが、これらに限定されない。上記に加えて、システムの他の局面は、本出願の一部を形成する特許請求の範囲、図面および／または本文に記載されている。
【００１３】
上記の要約は、単に例証であり、かつ決して限定すべきことを意図されない。上記において説明した例証的な局面、実施形態、および特徴に加えて、さらなる局面、実施形態、および特徴は、図面、特許請求の範囲、および以下の詳細な説明を参照することによって明らかになる。
【００１４】
〔図面の簡単な説明〕
図１は、実施形態が実施され得る例示的なシステム１００を説明する。
【００１５】
図２は、消毒方法に関する例示的な動作を表す動作フローを説明する。
【００１６】
図３は、図２の例示的な動作フローの代替可能な実施形態を説明する。
【００１７】
図４は、図２の例示的な動作フローの代替可能な実施形態を説明する。
【００１８】
図５は、図２の例示的な動作フローの代替可能な実施形態を説明する。
【００１９】
図６は、図２の例示的な動作フローの代替可能な実施形態を説明する。
【００２０】
図７は、図２の例示的な動作フローの代替可能な実施形態を説明する。
【００２１】
図８は、図２の例示的な動作フローの代替可能な実施形態を説明する。
【００２２】
図９は、図２の例示的な動作フローの代替可能な実施形態を説明する。
【００２３】
図１０は、図２の例示的な動作フローの代替可能な実施形態を説明する。
【００２４】
図１１は、図２の例示的な動作フローの代替可能な実施形態を説明する。
【００２５】
図１２は、消毒方法に関する例示的な動作を表す動作フローを説明する。
【００２６】
図１３は、図１２の例示的な動作フローの代替可能な実施形態を説明する。
【００２７】
図１４は、図１２の例示的な動作フローの代替可能な実施形態を説明する。
【００２８】
図１５は、図１２の例示的な動作フローの代替可能な実施形態を説明する。
【００２９】
図１６は、図１２の例示的な動作フローの代替可能な実施形態を説明する。
【００３０】
図１７は、図１２の例示的な動作フローの代替可能な実施形態を説明する。
【００３１】
図１８は、図１２の例示的な動作フローの代替可能な実施形態を説明する。
【００３２】
図１９は、図１２の例示的な動作フローの代替可能な実施形態を説明する。
【００３３】
図２０は、図１２の例示的な動作フローの代替可能な実施形態を説明する。
【００３４】
図２１は、図１２の例示的な動作フローの代替可能な実施形態を説明する。
【００３５】
図２２は、図１２の例示的な動作フローの代替可能な実施形態を説明する。
【００３６】
図２３は、消毒システムに関する例示的な動作を表す動作フローを説明する。
【００３７】
図２４は、消毒システムに関する例示的な動作を表す動作フローを説明する。
【００３８】
〔詳細な説明〕
以下の詳細な説明において、本明細書の一部を形成する添付の図面に対して言及がなされる。図面において、同様の符号は、他に事情が指示されていない限り、同様の構成要素を典型的に特定する。詳細な説明、図面、および特許請求の範囲に記載の例証的な実施形態は、限定すべきことを意図されない。ここに表される内容の精神または範囲から逸脱せずに、他の実施形態が利用され得、かつ他の変更がなされ得る。
【００３９】
種々の局面および実施形態が、本明細書に開示されていると同時に、他の局面および実施形態は、当業者にとって明らかである。本明細書に開示されている種々局面および実施形態は、例示を目的としており、かつ後の特許請求の範囲によって示されている真の範囲および精神に対して限定すべきことを意図されない。
【００４０】
図１は、実施形態が実行され得る例示的なシステム１００を説明する。いくつかの実施形態において、システム１００は、１つ以上の領域１０２を消毒するために、１つ以上の領域１０２内の１つ以上の対象１０４を消毒するために、１つ以上の領域１０２内における１つ以上の表面１０６を消毒するために、および／または実質的にこれらのあらゆるの組み合わせのために使用され得る消毒方法を提供するために、使用可能である。いくつかの実施形態において、システム１００は、１つ以上の領域１０２を消毒するために、１つ以上の領域１０２内における１つ以上の対象１０４を消毒消毒するために、１つ以上の領域１０２内における１つ以上の表面１０６を消毒するために、１つ以上の領域１０２の消毒を回避するために、１つ以上の領域１０２内における１つ以上の対象１０４の消毒を回避するために、１つ以上の領域１０２内における１つ以上の表面１０６の消毒を回避するために、および／または実質的にそれらのあらゆる組み合わせのために使用され得る消毒方法を提供するために、使用可能である。いくつかの実施形態において、システム１００は、１つ以上の領域１０２内に存在する１人以上の人間を消毒作用物１０８にさらすことなく１つ以上の領域１０２を消毒するために、使用可能である。いくつかの実施形態において、システム１００は、１つ以上の領域１０２内に存在する１人以上の人間を消毒作用物１０８に実質的にさらすことなく、１つ以上の領域１０２、１つ以上の領域１０２内における１つ以上の表面１０６、および／または１つ以上の領域１０２内における１つ以上の対象１０４を消毒するために、使用可能である。
【００４１】
（検査ユニット）
いくつかの実施形態において、システム１００は、１つ以上の検査ユニット１１０を包含する。いくつかの実施形態において、１つ以上の検査ユニット１１０は、１つ以上の領域１０２を検査するために使用可能である。いくつかの実施形態において、１つ以上の検査ユニット１１０は、１つ以上の領域１０２内における１つ以上の対象１０４の存在または非存在を検出できる。いくつかの実施形態において、１つ以上の検査ユニット１１０は、１つ以上の領域１０２内における１つ以上の対象１０４の存在および位置を検出できる。いくつかの実施形態において、１つ以上の検査ユニット１１０は、１つ以上の領域１０２内における１つ以上の表面１０６の存在を検出できる。いくつかの実施形態において、１つ以上の領域１０２内における１つ以上の表面１０６の存在もしくは非存在および位置を検出できる。いくつかの実施形態において、１つ以上の検査ユニット１１０は、１つ以上の領域１０２内における１つ以上の表面１０６および１つ以上の対象１０４の存在を検出できる。いくつかの実施形態において、１つ以上の検査ユニット１１０は、１つ以上の領域１０２内における１つ以上の表面１０６および１つ以上の対象１０４の存在もしくは非存在および位置を検出できる。いくつかの実施形態において、１つ以上の消毒ユニット１１４は、１つ以上の検査ユニット１１０と関連する１つ以上の信号１１２を受信する。
【００４２】
いくつかの実施形態において、１つ以上の検査ユニット１１０は、１つ以上の消毒ユニット１１４に対して１つ以上の信号１１２を送信するために、１つ以上の送信ユニット１１６を利用する。いくつかの実施形態において、１つ以上の検査ユニット１１０は、１つ以上のセンサユニット１１８と通信する。いくつかの実施形態において、１つ以上の検査ユニットは、１つ以上の記録ユニット１２０と通信する。いくつかの実施形態において、１つ以上の検査ユニット１１０は、１つ以上の検査ユニット１１０とともにユーザ対話１２４を介した、ユーザ１２２との対話を提供し得る。いくつかの実施形態において、１つ以上の検査ユニット１１０は、１つ以上の形態の照射線の形態を検出できる。いくつかの実施形態において、１つ以上の検査ユニット１１０は、赤外線を検出できる。いくつかの実施形態において、１つ以上の検査ユニット１１０は、ガンマ線を検出できる。いくつかの実施形態において、１つ以上の検査ユニット１１０は、光の形態である照射線を検出できる。いくつかの実施形態において、１つ以上の検査ユニット１１０は、紫外線の形態である照射線を検出できる。いくつかの実施形態において、１つ以上の検査ユニット１１０は、１つ以上の表面１０６から反射されている紫外線といった照射線を検出できる。
【００４３】
いくつかの実施形態において、１つ以上の検査ユニット１１０は、１つ以上の領域１０２内における１人以上の人間がさらされている紫外線といった照射線の量を検出できる。いくつかの実施形態において、１つ以上の検査ユニット１１０は、１つ以上の領域１０２内における１人以上の人間上における放射線の反射を介して１人以上の人間がさらされている紫外線といった放射線の量を決定できる。当該人間の例としては、限定されないが、病院の患者、歯科患者、看護婦、医師、製薬関連の労働者、食品関連の労働者、および輸送関連の労働者などが挙げられる。いくつかの実施形態において、１つ以上の検査ユニット１１０は、１人以上の人間に存在する１つ以上の表面１０６に入射する光の量を決定できる。当該表面の例としては、限定されないが、開放創、目、および皮膚などが挙げられる。いくつかの実施形態において、１つ以上の検査ユニット１１０は、１つ以上の領域１０２が消毒されている１つ以上の時点を検出できる。いくつかの実施形態において、１つ以上の検査ユニット１１０は１つ以上の領域１０２をどれくらいの頻度において消毒するのかを検出できる。いくつかの実施形態において、１つ以上の検査ユニット１１０は、１つ以上の領域１０２が消毒される強度を検出できる。いくつかの実施形態において、１つ以上の検査ユニット１１０は、１つ以上の領域１０２内における１つ以上の表面１０６が消毒されているか否かを検出できる。
【００４４】
いくつかの実施形態において、１つ以上の検査ユニット１１０は、１つ以上の領域１０２内において使用されている１種類以上の消毒作用物１０８を検出できる。いくつかの実施形態において、１つ以上の検査ユニット１１０は、１つ以上の領域１０２内における１つ以上の表面１０６に対して使用されている１種類以上の消毒作用物１０８を検出できる。いくつかの実施形態において、１つ以上の検査ユニット１１０は、１つ以上の領域１０２内における１つ以上の対象１０４に対して使用されている１種類以上の消毒作用物１０８を検出できる。
いくつかの実施形態において、１つ以上の検査ユニット１１０は、１つ以上の領域１０２内における１つ以上の対象１０４および／または１つ以上の表面１０６に対して使用されている１種類以上の消毒作用物１０８を検出できる。
【００４５】
いくつかの実施形態において、１つ以上の検査ユニット１１０は、１つ以上の領域１０２の地図を作製できる。いくつかの実施形態において、１つ以上の検査ユニット１１０は、１つ以上の三次元レーザスキャナを用いて１つ以上の領域の地図を作製できる。当該三次元レーザスキャナは、公知であり、かつ市販されている（すなわち、カリフォルニア州サニーベールのＴｒｉｍｂｌｅ  Ｎａｖｉｇａｔｉｏｎ  Ｌｉｍｉｔｅｄが提供しているＣａｌｌｉｄｕｓ  ３Ｄ  ｌａｓｅｒ  ｓｃａｎｎｅｒおよびＧＸ  ｓｃａｎｎｅｒ；フロリダ州オーランドのＲｉｅｇｌ  ＵＳＡ  Ｉｎｃ．が提供しているＬＭＳ−Ｚ３６０ｉ）。いくつかの実施形態において、１つ以上の検査ユニット１１０は、１つ以上の領域１０２の模型を作製できる。いくつかの実施形態において、１つ以上の検査ユニット１１０は、１つ以上の領域１０２の地図の作製を介して受信した情報を変換し、かつ１つ以上の領域１０２の１つ以上の模型を生成できる。いくつかの実施形態において、１つ以上の模型は、三次元模型である。
【００４６】
いくつかの実施形態において、１つ以上の消毒ユニット１１４は、１つ以上の領域内における１つ以上の消毒作用物１０８を使用すべきである場所を１つ以上の領域１０２の１つ以上の地図に基づいて１つ以上の消毒ユニット１１４に命令する１つ以上の信号１１２を１つ以上の検査ユニット１１０から受信する。いくつかの実施形態において、１つ以上の消毒ユニット１１４は、１つ以上の領域１０２内における１つ以上の消毒作用物１０８を使用すべきである場所を１つ以上の領域１０２の１つ以上の模型に基づいて１つ以上の消毒ユニット１１４に指示する１つ以上の信号１１２を１つ以上の検査ユニット１１０から受信する。いくつかの実施形態において、１つ以上の消毒ユニット１１４は、１つ以上の領域内における１つ以上の消毒作用物１０８を使用すべきである場所を１つ以上の領域１０２の１つ以上の地図および／または１つ以上の模型に基づいて１つ以上の消毒ユニット１１４に指示する１つ以上の信号１１２を１つ以上の検査ユニット１１０から受信する。
【００４７】
１つ以上の検査ユニット１１０は、多くの技術を利用し得る。例えば、検査ユニット１１０は、限定されないが、遠赤外線放射といった赤外線；レチナール反射（retinal reflection）；角膜反射；カード読み取り装置、バッジ読み取り装置、およびバーコード読み取り装置などといったタグ読み取り装置；行動探知；レーダー探知；ソナー探知；ガスクロマトグラフィー；コンピューターモデリング；レーザスキャナ；レーザ距離計および赤外線距離計といった距離計；および／または実質的にこれらのあらゆる組み合わせを含む技術を使用できる。当該技術は公知であり、かつ市販されている（すなわち、Riegl USA Inc., Orlando, FL; Trimble Navigation Limited- Sunnyvale, CA）。
【００４８】
いくつかの実施形態において、固定式の１つ以上の検査ユニット１１０は、システム１００内において使用され得る。いくつかの実施形態において、移動式の１つ以上の検査ユニット１１０は、システム１００内において使用され得る。いくつかの実施形態において、固定式の１つ以上の検査ユニット１１０および移動式の１つ以上の検査ユニット１１０は、システム１００内において使用され得る。いくつかの実施形態において、固定式の１つ以上の検査ユニット１１０は、１つ以上の領域１０２内に配置される。いくつかの実施形態において、固定式の１つ以上の検査ユニット１１０は、１つ以上の検査ユニット１１０が１つ以上の領域１０２内における実質的にすべての表面１０６および／または実質的にすべての対象１０４を検査できるように１つ以上の領域１０２内に配置され得る。いくつかの実施形態において、移動式である検査ユニット１１０は、領域１０２内を動き回ることができる。いくつかの実施形態において、移動式である１つ以上の検査ユニット１１０は、１つ以上の領域を動き回ることができ、かつ１つ以上の領域１０２内における実質的にすべての表面１０６および／または実質的にすべての対象１０４を検査できる。いくつかの実施形態において、１つ以上の検査ユニット１１０は、プログラムされた一連の命令に従って１つ以上の領域１０２を動き回ることができる。いくつかの実施形態において、１つ以上の検査ユニット１１０は、プログラムされて、規定の方向に、規定の時間の長さに渡って、規定の速度において動くことができる。いくつかの実施形態において、１つ以上の検査ユニット１１０は、無作為な様式において、１つ以上の領域１０２を動き回ることができる。例えば、いくつかの実施形態において、１つ以上の検査ユニット１１０は、それらが対象１０４または壁に接近するまで一方向に移動することができ、その時点において１つ以上の検査ユニット１１０は方向を変えることができ、１つ以上の検査ユニット１１０が他の対象１０４または壁に接近するまで第二の方向に移動することができ、その時点においてその過程を繰り返す。従って、１つ以上の検査ユニット１１０は、対象１０４および／または壁との衝突を避ける様式において１つ以上の領域１０２を動き回ることができる。いくつかの実施形態において、１つ以上の検査ユニット１１０は、対象１０４または壁に接触するまで一方向に移動することができ、その時点において１つ以上の検査ユニット１１０は方向を変えることができ、１つ以上の検査ユニット１１０が他の対象１０４または壁に接触するまで第二の方向に移動することができ、その時点においてその過程を繰り返す。従って、１つ以上の検査ユニット１１０は、対象１０４および／または壁への接触を包含する様式において１つ以上の領域１０２を動き回ることができる。いくつかの実施形態において、１つ以上の検査ユニット１１０は、１つ以上の案内、または軌条、軌道、もしくは誘導線などといった１つ以上のガイドの組み合わせの上において１つ以上の領域１０２を動き回ることができる。例えば、いくつかの実施形態において、１つ以上の検査ユニット１１０は、１つ以上の領域１０２内における１つ以上の天井に動作可能に連結されている１つ以上の案内に移動可能に連結され得る。いくつかの実施形態において、１つ以上の検査ユニット１１０は、１つ以上の領域１０２内における１つ以上の壁に動作可能に連結されている１つ以上の案内に移動可能に連結され得る。いくつかの実施形態において、１つ以上の検査ユニット１１０は、１つ以上の領域１０２内における１つ以上の床に動作可能に連結されている１つ以上のガイドに移動可能に連結され得る。いくつかの実施形態において、１つ以上の検査ユニット１１０は、１つ以上の領域１０２内における１つ以上の壁、１つ以上の天井、１つ以上の床、および／または壁、天井および床の実質的にあらゆる組み合わせに動作可能に連結されている１つ以上の案内に移動可能に連結され得る。いくつかの実施形態において、１つ以上の検査ユニット１１０は、１つ以上のセンサユニット１１８と関連する１つ以上の信号１１２に応答できる。いくつかの実施形態において、１つ以上の検査ユニット１１０は、１つ以上の領域１０２に移動することを１つ以上の消毒ユニット１１０に指示する１つ以上の信号１１２を送ることができ、かつ１つ以上の領域１０２内に１つ以上の消毒作用物１０８を使用できる。いくつかの実施形態において、１つ以上の検査ユニット１１０は、１つ以上のセンサユニット１１８と関連する１つ以上の信号１１２に応じて１つ以上の領域１０２におよび／または領域１０２内において移動できる。検査ユニット１１０の構築に使用され得るロボットおよびロボットの制御系の作製方法は、公知であり、かつ以下の文献に記載されている（すなわち、Xie, Fundamentals of Robotics: Linking Perception to Action, World Scientific Publishing Co. Pte. Ltd., River Edge, NJ, 2003; Nehmzow, Mobile Robotics: A Practical Introduction, 2nd Edition, Springer- Verlag, London, UK, 2003; Siegwart and Nourbakhsh, Introduction to Autonomous Mobile Robots, The MIT Press, Cumberland, RI, 2004）。
【００４９】
（領域）
システム１００は１つ以上の領域１０２を包含する。システム１００は、多くの領域１０２内において使用され得る。当該領域の例としては、限定されないが、手術室および病棟といった病院；飛行機、電車、自動車、地下鉄、船、宇宙船、バスなどといった交通機関；休憩室；製薬の製造施設；食品調製施設；食品包装施設；医療機器製造施設；ならびにホテルなどを含む。いくつかの実施形態において、１つ以上の領域１０２は１つ以上の領域１０２の一部を包含できる。
【００５０】
（対象）
システム１００は、１つ以上の領域１０２内における１つ以上の対象１０４の存在または非存在を包含し得る。多種類の対象１０４は、１つ以上の領域１０２内に存在し得るかまたは存在し得ない。当該対象１０４の例としては、限定されないが、人間、非人間の動物、植物、医療機器、調理器具、ストーブ、オーブン、食料貯蔵装置、製剤調合装置、食品包装装置、食品調製装置、食器、流し台、テーブル、機械、ゴミ捨て場（waste area）、座席、手術台、病院の診察台、歯科用器具、および歯科用椅子などを包含する。
【００５１】
（表面）
システム１００は、１つ以上の領域１０２内における１つ以上の表面１０６を包含し得る。いくつかの実施形態において、１つ以上の表面１０６は、１つ以上の領域１０２を構築するために用いる建築材料上における１つ以上の領域１０２内に配置され得る。例えば、１つ以上の表面１０６は、１つ以上の領域１０２の一部である床、壁および／または天井の上に存在し得る。いくつかの実施形態において、１つ以上の表面１０６は、１つ以上の領域１０２内に包含される１つ以上の対象１０４に配置される。例えば、１つ以上の領域１０２内における１つ以上の表面１０６は、１人以上の人間、非人間の動物、植物、医療機器、調理器具、ストーブ、オーブン、食料貯蔵装置、製剤調合装置、食品包装装置、食品調製装置、食器、流し台、テーブル、機械、ゴミ捨て場、座席、手術台、病院の診察台、歯科用器具、および歯科用椅子などの上に配置され得る。１つ以上の表面１０６は、多種類の材料から作製され得る。当該表面１０６を形成できる材料の種類の例としては、限定されないが、陶器、磁器、プラスチック、ナイロン、塗料、コンクリート、パネル用材、繊維、ゴム、金属、木材、岩石、および紙などが挙げられる。１つ以上の領域１０２内における１つ以上の表面１０６は、多種類の形状を有することができる。例えば、１つ以上の表面１０６は、細孔、穴、擦過傷、切り目、くぼみ、隆起、溝、網目、および割れ目などを包含できる。いくつかの実施形態において、消毒作用物１０８は、表面１０６が作製される材料の形状および種類に基づいて選択され得る。例えば、いくつかの実施形態において、表面内に含まれる細孔に浸透できる消毒作用物１０８は、細孔を有する表面１０６を消毒するために使用され得る。いくつかの実施形態において、１つ以上の表面１０６を消毒するために、１つ以上の表面１０６を損なわない１つ以上の消毒作用物１０８が選択され得る。
【００５２】
（消毒作用物）
システム１００は、１つ以上の消毒作用物１０８を包含し得る。多種類の消毒作用物１０８は、システム１００内において使用され得る。当該消毒作用物１０８の例としては、限定されないが、紫外線、ガンマ放射線、ソニック  ラジエーション、化学薬品、赤外線、蒸気、およびガスなどが挙げられる。多種類の消毒作用物１０８は公知であり、かつ市販されている。いくつかの実施形態において、１つ以上の消毒作用物１０８の個性は、消毒される表面１０６または対象１０４の個性および／または特性に従って指定され得る。例えば、いくつかの実施形態において、ガスである消毒作用物１０８は、多孔性でありかつ紫外線を用いて消毒できない表面１０６または対象１０４に対して使用され得る。いくつかの実施形態において、紫外線は、滑らかな表面１０６または対象１０４を消毒するための消毒作用物１０８として使用され得る。従って、１つ以上の消毒ユニット１１４は、消毒される表面１０６または対象１０４の特性に従って１つ以上の消毒作用物１０８を使用し得る。いくつかの実施形態において、１つ以上の消毒作用物１０８は、１つ以上の消毒作用物１０８の使用を介して殺される、不活性化される、および／または解毒されるべきである汚染要因物の種類に基づいて選択され得る。当該汚染要因物の例としては、限定されないが、細菌、真菌、ウイルス、胞子、微生物、および卵などが挙げられる。１つ以上の汚染要因物を殺す、不活性化する、および／または解毒するために１つ以上の領域１０２または１つ以上の表面１０６に対して使用されるべきである１つ以上の消毒作用物１０８の量および時間の長さは、標準的な手順の使用を介して容易に決定され得る。紫外線に関する照射の要素の例は、多種類の汚染要因物に関して表Ｉに与えられる。
【００５３】
【表１】
2009532092.tif 000003
【００５４】
【表２】
2009532092.tif 000004
（信号）
システム１００は、１つ以上の信号１１２を包含する。いくつかの実施形態において、１つ以上の信号１１２は、１つ以上の消毒ユニット１１４に送信される。１つ以上の信号１１２は、多種類の情報を包含できる。いくつかの実施形態において、１つ以上の信号１１２は、１つ以上の領域１０２に対して１つ以上の消毒作用物１０８を使用することの１つ以上の消毒ユニット１１４に対する１つ以上の命令を包含できる。いくつかの実施形態において、１つ以上の信号１１２は、１つ以上の領域１０２に対する１つ以上の消毒作用物１０８の使用を回避することの１つ以上の消毒ユニット１１４に対する１つ以上の命令を包含できる。いくつかの実施形態において、１つ以上の信号１１２は、１つ以上の領域１０２内における１つ以上の表面１０６に対して１つ以上の消毒作用物１０８を使用することの１つ以上の消毒ユニット１１４に対する１つ以上の命令を包含できる。いくつかの実施形態において、１つ以上の信号１１２は、１つ以上の領域１０２内における１つ以上の表面１０６に対する１つ以上の消毒作用物１０８の使用を回避することの１つ以上の消毒ユニット１１４に対する１つ以上の命令を包含できる。いくつかの実施形態において、１つ以上の信号１１２は、１つ以上の領域１０２内における１つ以上の対象１０４に対して１つ以上の消毒作用物１０８を使用することの１つ以上の消毒ユニット１１４に対する１つ以上の命令を包含できる。いくつかの実施形態において、１つ以上の信号１１２は、１つ以上の領域１０２内における１つ以上の対象１０４に対する１つ以上の消毒作用物１０８の使用を回避することの１つ以上の消毒ユニット１１４に対する１つ以上の命令を包含できる。いくつかの実施形態において、１つ以上の信号１１２は、１つ以上の領域１０２の１つ以上の地図と関連する。いくつかの実施形態において、１つ以上の信号１１２は、１つ以上の領域１０２の１つ以上の模型と関連する。いくつかの実施形態において、１つ以上の信号１１２は、１つ以上の消毒手順に従うことの１つ以上の消毒ユニット１１４に対する１つ以上の命令と関連する。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から取得された１つ以上の読み込みと関連する。いくつかの実施形態において、１つ以上の信号１１２は、１つ以上の領域１０２内に存在する１つ以上の物陰にある領域の１つ以上の位置と関連する。いくつかの実施形態において、１つ以上の信号１１２は、固定式の１つ以上の検査ユニット１１０から１つ以上の消毒ユニット１１４に対して送信される。いくつかの実施形態において、１つ以上の信号１１２は、移動式の１つ以上の検査ユニット１１０から１つ以上の消毒ユニット１１４に対して送信される。いくつかの実施形態において、１つ以上の信号１１２は、消毒に関する１つ以上の領域１０２に対する優先順位の決定と関連する。いくつかの実施形態において、１つ以上の信号１１２は、消毒に関する１つ以上の領域１０２内における１つ以上の表面１０６に対する優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の消毒ユニット１１４が１つ以上の消毒作用物１０８を使用するべきである１つ以上の領域１０２の１つ以上の部分を示す１つ以上の命令と関連する。いくつかの実施形態において、１つ以上の信号１１２は、消毒ユニット１１４が１つ以上の消毒作用物１０８を使用すべきではない１つ以上の領域１０２の１つ以上の部分を示す１つ以上の命令と関連する。いくつかの実施形態において、１つ以上の信号１１２は、１つ以上の領域１０２に対して特定される１つ以上の消毒作用物１０８を使用することの１つ以上の消毒ユニット１１４に対する１つ以上の命令と関連する。いくつかの実施形態において、１つ以上の信号１１２は、１つ以上の記録ユニット１２０に対する１つ以上の命令と関連する。いくつかの実施形態において、１つ以上の信号１１２は、１つ以上の消毒作用物１０８が１つ以上の領域１０２内に対して以前に使用されてから経過している１つ以上の時間の長さと関連する。
【００５５】
（消毒ユニット）
システム１００は、１つ以上の消毒ユニット１１４を包含できる。いくつかの実施形態において、固定式の１つ以上の消毒ユニット１１４は、システム１００内において使用され得る。いくつかの実施形態において、移動式の１つ以上の消毒ユニット１１４は、システム１００内において使用され得る。いくつかの実施形態において、固定式の１つ以上の消毒ユニット１１４および移動式の１つ以上の消毒ユニット１１４は、システム１００内において使用され得る。いくつかの実施形態において、固定式の１つ以上の消毒ユニット１１４は、１つ以上の領域１０２内に配置される。いくつかの実施形態において、固定式の１つ以上の消毒ユニット１１４は、１つ以上の消毒ユニット１１４が１つ以上の領域１０２内における実質的にすべての表面１０６および／または実質的にすべての対象１０４に対して１つ以上の消毒作用物１０８を使用できるように、１つ以上の領域１０２内に配置され得る。いくつかの実施形態において、移動式の消毒ユニット１１４は、１つ以上の領域１０２を動き回ることができる。いくつかの実施形態において、移動式の１つ以上の消毒ユニット１１４は、１つ以上の領域を動き回ることができ、かつ１つ以上の領域１０２内における実質的にすべての表面１０６および／または実質的にすべての対象１０４に対して１つ以上の消毒作用物１０８を使用できる。いくつかの実施形態において、１つ以上の消毒ユニット１１４は、プログラムされた一連の命令に従って、１つ以上の領域１０２を動き回ることができる。いくつかの実施形態において、１つ以上の消毒ユニット１１４は、規定の方向に規定の時間の長さに渡って規定の速度において移動するためにプログラムされ得る。いくつかの実施形態において、１つ以上の消毒ユニット１１４は、無作為な様式において１つ以上の領域１０２を動き回ることができる。例えば、いくつかの実施形態において、１つ以上の消毒ユニット１１４は、対象１０４または壁に接近するまで一方向に移動することができ、その時点において１つ以上の消毒ユニット１１４は方向を変えることができかつ第二の方向に１つ以上の消毒ユニット１１４が他の対象１０４または壁に接近するまで移動することができ、その時点においてその過程を繰り返す。従って、１つ以上の消毒ユニット１１４は、対象１０４および／または壁との衝突を回避する様式において１つ以上の領域１０２を動き回ることができる。いくつかの実施形態において、１つ以上の消毒ユニット１１４は、対象１０４または壁に接触するまで一方向に移動することができ、その時点において１つ以上の消毒ユニット１１４は方向を変えることができかつ１つ以上の消毒ユニット１１４が他の対象１０４または壁に接触するまで第二の方向に移動することができ、その時点においてその過程を繰り返す。従って、１つ以上の消毒ユニット１１４は、対象１０４および／または壁との接触を包含する様式において１つ以上の領域１０２を動き回ることができる。いくつかの実施形態において、１つ以上の消毒ユニット１１４は、１つ以上の案内または軌条、軌道、ガイドワイヤなどといった１つ以上のガイドの組み合わせの上において１つ以上の領域１０２を動き回ることができる。例えば、いくつかの実施形態において、１つ以上の消毒ユニット１１４は、１つ以上の領域１０２内における１つ以上の天井と動作可能に連結されている１つ以上の案内と移動可能に連結され得る。いくつかの実施形態において、１つ以上の消毒ユニット１１４は、１つ以上の領域１０２内における１つ以上の壁と動作可能に連結されている１つ以上の案内と移動可能に連結され得る。いくつかの実施形態において、１つ以上の消毒ユニット１１４は、１つ以上の領域１０２内における１つ以上の床と操作可能に連結されている１つ以上の案内と移動可能に連結され得る。いくつかの実施形態において、１つ以上の消毒ユニット１１４は、１つ以上の領域１０２内における１つ以上の壁、１つ以上の天井、１つ以上の床、および／または壁、天井および床の実質的にあらゆる組み合わせと動作可能に連結された１つ以上のガイドと移動可能に連結され得る。いくつかの実施形態において、１つ以上の消毒ユニット１１４は、１つ以上の領域１０２内において移動すべきである場所を１つ以上の消毒ユニット１１４に指示する１つ以上の検査ユニット１１０と関連する１つ以上の信号１１２に応答できる。いくつかの実施形態において、１つ以上の検査ユニット１１０は、１つ以上の領域１０２に移動すること、および１つ以上の領域１０２内に対して１つ以上の消毒作用物１０８を使用することを１つ以上の消毒ユニット１１４に対して命令する１つ以上の信号１１２を送信できる。いくつかの実施形態において、１つ以上の消毒ユニット１１４は、１つ以上の検査ユニット１１０と関連する１つ以上の信号１１２に応じて１つ以上の領域１０２に移動するおよび／または領域１０２内において移動することができる。いくつかの実施形態において、１つ以上の消毒ユニット１１４は、それから１つ以上の領域１０２内における１つ以上の表面１０６および／または１つ以上の対象１０４に対して１つ以上の消毒作用物１０８を使用し得る。消毒ユニット１１４の構築に使用され得るロボットおよびロボットの制御系の作製方法は、公知であり、かつ以下の文献に記載されている（すなわち、Xie, Fundamentals of Robotics: Linking Perception to Action, World Scientific Publishing Co. Pte. Ltd., River Edge, NJ, 2003; Nehmzow, Mobile Robotics: A Practical Introduction, 2nd Edition, Springer- Verlag, London, UK, 2003; Siegwart and Nourbakhsh, Introduction to Autonomous Mobile Robots, The MIT Press, Cumberland, RI, 2004）。
【００５６】
いくつかの実施形態において、１つ以上の消毒ユニット１１４は、照射線を発し得る。いくつかの実施形態において、１つ以上の消毒ユニット１１４は、消毒照射線を発し得る。消毒照射線は、限定されないが、コバルト６０線源からの発光、１つ以上のフリクエンシークワドラップルド（ｆｒｅｑｕｅｎｃｙ  ｑｕａｄｒｕｐｌｅｄ−）Ｎｄ  ＹＡＧ／ガスレーザ（ネオジム添加アルミニウムガーネット（Ｎｄ：Ｙ３Ａｌ５Ｏ１２）から発せられる干渉光、エキシマーレーザ、フリクエンシークワドラップルドダイオードポンプ半導体（ＤＰＳＳ）レーザ、１つ以上の低圧水銀共振灯からの非干渉光、および広領域可変色素レーザからの発光などを包含する多くの種類の線源から放射され得る。消毒照射線の線源は公知であり、かつ市販されている（XENON Corporation, Wilmington, MA; Big Sky Laser Technologies, Inc., Bozeman, MT; Enhance-It, LLC, Hilton Head Island, SC 29926; Advanced Sterilization Products, Irvine, CA 92618; Coherent Inc., Santa Clara, CA 95054）。
【００５７】
いくつかの実施形態において、１つ以上の消毒ユニット１１４は、消毒照射線を実質的に継続的に発することができる。いくつかの実施形態において、１つ以上の消毒ユニット１１４は、パルスとして消毒照射線を発することができる。いくつかの実施形態において、１つ以上の消毒ユニット１１４は、多種類および／または組み合わせの、紫外線および／またはガンマ放射線といった消毒照射線を放出できる。１つ以上の実施形態において、１つ以上の消毒ユニット１１４は、１００ナノメートルと４００ナノメートルとの間の波長および／または１００ナノメートルと４００ナノメートルとの間の波長の実質的にあらゆる組み合わせを有する紫外線を発することができる。いくつかの実施形態において、１つ以上の消毒ユニット１１４は、１８０ナノメートルと３００ナノメートルとの間の波長および／または１８０ナノメートルと３００ナノメートルとの間の波長の実質的にあらゆる組み合わせを有する紫外線を発することができる。いくつかの実施形態において、１つ以上の消毒ユニット１１４は、２５５ナノメートルと２８０ナノメートルとの間の波長および／または２５５ナノメートルと２８０ナノメートルとの間の波長の実質的にあらゆる組み合わせを有する紫外線を発することができる。いくつかの実施形態において、１つ以上の消毒ユニット１１４は、２５０ナノメートルと２８０ナノメートルとの間の波長および／または２５０ナノメートルと２８０ナノメートルとの間の波長の実質的にあらゆる組み合わせを有する紫外線を発することができる。いくつかの実施形態において、１つ以上の消毒ユニット１１４は、不均整ながら中心があり、かつ約２６５ナノメートルおよび／または該光の波長の実質的にあらゆる組み合わせである波長を有する紫外線を発することができる。いくつかの実施形態において、１つ以上の消毒ユニット１１４は、１つ以上の波長の照射線の放射を排除できる。
【００５８】
いくつかの実施形態において、１つ以上の消毒ユニット１１４は、１つ以上の消毒ユニット１１４に設定される要素に従って消毒照射線を発することができる。いくつかの実施形態において、１つ以上の消毒ユニット１１４は、１つ以上の消毒ユニット１１４によって受信される１つ以上の信号１１２内に包含される命令に従って照射線を発することができる。いくつかの実施形態において、１つ以上の消毒ユニット１１４は、１つ以上の消毒ユニット１１４に設定される要素に従って、および１つ以上の消毒ユニット１１４によって受信される１つ以上の信号１１２内に包含される命令に従って、照射線を発することができる。いくつかの実施形態において、１つ以上の消毒ユニット１１４からの消毒照射線の放射は、事前にプログラムが組まれた予定、ルーチンまたは順序に続いて、開始および停止され得るか、強度が調節され得るか、休止され得るか、起され得るか、中断され得るか、再開され得るか、導かれ得るか、適合され得るか、または実質的にあらゆるそれらの組み合わせであり得る。
【００５９】
いくつかの実施形態において、１つ以上の消毒ユニット１１４は、非消毒照射線の１つ以上の形態を発することができる。当該非消毒照射線の例としては、赤外線、ソニック  ラジエーション、および超音波放射などが挙げられる。
【００６０】
いくつかの実施形態において、１つ以上の消毒ユニット１１４は、１つ以上の消毒ユニット１１４から発せられる照射線を導くことができる。いくつかの実施形態において、１つ以上の消毒ユニット１１４は、１つ以上の消毒ユニット１１４から発せられる照射線を適合させることができる。いくつかの実施形態において、１つ以上の消毒ユニット１１４は、１つ以上の消毒ユニット１１４から放出された照射線を導き、かつ適合させることができる。紫外線といった放出された照射線を導くおよび／または  および適合させるために使用され得る方法およびシステムは公知である（すなわち、米国特許出願番号第２００３００８１２９３号明細書: Optical communications system and method; 米国特許出願番号第２００２０１５８８１４号明細書: Electronically scanned beam display; 米国特許出願番号第６，７５５，５３６号明細書: System and method for displaying/projecting a color image; 米国特許出願番号第６，９３７，２２１号明細書: Scanned beam display; 米国特許出願番号第５，５５７，４４４号明細書: Miniature optical scanner for a two axis scanning system; これらはすべて参照のために明細書に組み込まれる）。簡単に言えば、いくつかの実施形態において、１つ以上の消毒ユニット１１４は、ばね板に取り付けられている可動式の鏡を包含し得る。鏡は、鏡へ推進力を与えるための電磁コイルの対によって駆動される強磁性体材料を用いて取り付けられ得る。駆動電子機器は、コイルを活性化するための電気信号を供給でき、かつそのため鏡を動かすことができる。代替可能に、鏡は旋回軸に取り付けられ得、かつ誘導コイルによって駆動され得る。動作において、１つ以上の消毒ユニット１１４は、鏡に衝突し、かつ当該鏡から１つ以上の領域１０２に屈折される照射線を放出し得る。屈折した照射線の経路は、コイルを活性化する駆動電子機器の活性化を介して制御され得、かつそれによって鏡をかし得る。多くの他の方法およびシステムが、１つ以上の消毒ユニット１１４から発せられる照射線といった照射線を導きかつ適合させるために使用され得る。
【００６１】
（送信ユニット）
システム１００は、１つ以上の送信ユニット１１６を包含できる。いくつかの実施形態において、１つ以上の送信ユニット１１６は、１つ以上の消毒ユニット１１４に対する１つ以上の信号１１２を送信できる。いくつかの実施形態において、１つ以上の送信ユニット１１６は、１つ以上の検査ユニット１１０に応じた１つ以上の信号１１２を１つ以上の消毒ユニット１１４に対して送信できる。１つ以上の送信ユニット１１６は、１つ以上の消毒ユニット１１４に対して多種類の信号１１２を送信できる。例えば、１つ以上の送信ユニット１１６は、信号１１２（配線信号、赤外線信号、光信号、高周波（ＲＦ）信号、デジタル信号、アナログ信号、または実質的にこれらのあらゆる組み合わせが挙げられるが、これらに限定されない）を１つ以上の以上の消毒ユニット１１４に対して送信できる。いくつかの実施形態において、１つ以上の送信ユニット１１６は、ユーザ１２２にユーザ対話１２４を提供する。いくつかの実施形態において、１つ以上の送信ユニット１１６は、１つ以上の記録装置１２０と通信できる。
【００６２】
（センサユニット）
システム１００は、１つ以上のセンサユニット１１８を包含できる。いくつかの実施形態において、１つ以上のセンサユニット１１８は、１つ以上の消毒ユニット１１４、１つ以上の検査ユニット１１０、１つ以上の記録ユニット１２０、および実質的にこれらのあらゆる組み合わせと通信できる。いくつかの実施形態において、１つ以上のセンサユニット１１８は、１つ以上のユーザ１２２にユーザ対話１２４を提供する。いくつかの実施形態において、１つ以上のセンサユニット１１８は、１つ以上の領域１０２が消毒される１つ以上の時点を検出できる。いくつかの実施形態において、１つ以上のセンサユニット１１８は、１つ以上の領域１０２をどれくらいの頻度において消毒されるかを検出できる。いくつかの実施形態において、１つ以上のセンサユニット１１８は、１つ以上の領域１０２が消毒される強度を検出できる。いくつかの実施形態において、１つ以上のセンサユニット１１８は、１つ以上の領域１０２内における１つ以上の表面１０６が消毒されているか否かを検出できる。いくつかの実施形態において、１つ以上のセンサユニット１１８は、１つ以上の領域１０２内に対して使用されている１種類以上の消毒作用物１０８を検出できる。いくつかの実施形態において、１つ以上のセンサユニット１１８は、１つ以上の領域１０２内における１つ以上の表面１０６に対して使用されている１種類以上の消毒作用物１０８を検出できる。いくつかの実施形態において、１つ以上のセンサユニット１１８は、１つ以上の領域１０２内における１つ以上の対象１０４に対して使用されている１種類以上の消毒作用物１０８を検出できる。いくつかの実施形態において、１つ以上のセンサユニット１１８は、１つ以上の領域１０２内における１つ以上の対象１０４または１つ以上の表面１０６に対して使用されている１種類以上の消毒作用物１０８を検出できる。センサユニット１１８は、多種類の技術を利用できる。いくつかの実施形態において、１つ以上のセンサユニット１１８は、１つ以上の領域１０２内に含まれるりん光性材料からりん光発光を検出することによって１つ以上の領域１０２が紫外線にさらされたときを決定できる。いくつかの実施形態において、１つ以上のセンサユニット１１８は、１つ以上の領域１０２内に含まれる１種類以上のりん光塗料からのりん光発光を検出するために使用され得る。いくつかの実施形態において、１つ以上の領域１０２を消毒するために用いられる紫外線にさらすことによって励起される１種類以上のりん光塗料が、１つ以上の領域１０２内に含まれる。いくつかの実施形態において、１つ以上の領域１０２内に含まれる１つ以上のりん光材料から発せられた光の強度は、１つ以上の領域１０２が紫外線を用いて照射されたときを決定するために１つ以上のセンサユニット１１８によって検出され得る。いくつかの実施形態において、１つ以上のセンサユニット１１８は、１つ以上の領域１０２が紫外線を照射されたときを決定するために、紫外線の照射に続いて１つ以上の領域１０２内に含まれる１つ以上のりん光材料からの発光が減少する割合を決定し得る。いくつかの実施形態において、異なる波長の光を発する２つ以上のりん光材料は、１つ以上の領域１０２内に包含される。いくつかの実施形態において、紫外線の照射に続いて時間の異なる長さに渡って光を発する２つ以上のりん光材料は、１つ以上の領域１０２に包含される。いくつかの実施形態において、異なる波長の光を放出し、かつ紫外線の照射に続いて異なる時間の長さのに渡って光を発する２つ以上のりん光材料は、１つ以上の領域１０２内に含まれる。従って、いくつかの実施形態において、１つ以上のセンサユニット１１８は、１つ以上の領域１０２内に含まれる１つ以上のりん光材料から発せられる光の波長および強度の検出によって１つ以上の領域１０２が紫外線を照射されたときを決定できる。いくつかの実施形態において、りん光材料は、りん光発光の温度依存性に起因して１つ以上の領域１０２が蒸気といった熱に基づく消毒作用物１０８を用いて消毒されたときを示すために使用され得る。りん光材料および塗料は技術的に公知であり、かつ市販されている（Risk Reactor, Huntington Beach, CA）。いくつかの実施形態において、１つ以上のセンサユニット１１８は紫外線検出器を包含し得る。当該検出器は公知であり、かつ市販されている（例えば、米国特許出願第６，４２９，４３８号明細書；米国特許第７，００９，１８５号明細書（紫外線検出器およびこれらの製造方法）米国特許第６，３３５，５２９号明細書（紫外線検出器）；米国特許第６，３２６，６５４号明細書（混成紫外線検出器）；米国特許第４，４０３，８２６号明細書（紫外線照射検出器）これらのすべてが本明細書に参照のために組み込まれる；OfIl Ltd., Nes-Ziona, Israel）。
【００６３】
（記録ユニット）
システム１００は、１つ以上の記録ユニット１２０を含み得る。いくつかの実施形態において、１つ以上の記録ユニット１２０は、１つ以上のセンサユニット１１８、１つ以上の消毒ユニット１１４、１つ以上の検査ユニット１１０、１つ以上の送信ユニット１１６、および／または実質的にこれらのあらゆる組み合わせと通信する。いくつかの実施形態において、１つ以上の記録ユニット１２０は、１人以上のユーザ１２２によりユーザ対話１２４を提供する。いくつかの実施形態において、１つ以上の記録ユニット１２０は、１つ以上の信号１１２を受信できる。１つ以上の記録ユニット１２０は多種類の情報を記録できる。いくつかの実施形態において、１つ以上の記録ユニット１２０は、１つ以上の領域１０２に割り当てられた１つ以上の消毒手順と関連する情報を記録する。いくつかの実施形態において、１つ以上の記録ユニット１２０は、１つ以上の領域１０２が消毒された１つ以上の時点を記録する。いくつかの実施形態において、１つ以上の記録ユニット１２０は、１つ以上の領域１０２に対して使用された１つ以上の消毒作用物１０８の個性を記録する。いくつかの実施形態において、１つ以上の記録ユニット１２０は、１つ以上の領域１０２が消毒された強度を記録する。いくつかの実施形態において、１つ以上の記録ユニット１２０は、１つ以上の領域１０２を消毒された１つ以上の時点を記録する。いくつかの実施形態において、１つ以上の記録ユニット１２０は、１つ以上の領域１０２が消毒される頻度を記録する。多種類の記録装置１２０が使用され得る。当該記録装置の例としては、限定されないが、多種類のメモリ、光ディスク、磁気ディスク、および磁気テープなどが挙げられる。
【００６４】
（ユーザ対話）
システム１００は、ユーザ対話１２４を提供し得る。いくつかの実施形態において、ユーザ１２２は、１つ以上の送信ユニット１１６、１つ以上の記録ユニット１２０、１つ以上の検査ユニット１１０、１つ以上のセンサユニット１１８、１つ以上の消毒ユニット１１４および／または実質的にこれらのあらゆる組み合わせと対話し得る。当該対話としては、限定されないが、１つ以上の時間、場所、持続時間、強度、優先順位、消毒作用物の個性および／または実質的にこれらのあらゆる組み合わせが挙げられ得る。ユーザ１２２は、多くの技術を介して対話できる。例えば、ユーザ対話１２４は、有線方法の使用（例えば、キーボードの使用）、無線方法の使用、およびインターネットなどを介して生じることができる。いくつかの実施形態において、ユーザ１２２は人間ではない。
【００６５】
いくつかの実施形態において、消毒方法は、１つ以上の領域１０２を完全に消毒すること、１つ以上の領域１０２を部分的に消毒すること、１つ以上の領域１０２内における１つ以上の対象１０４を消毒すること、１つ以上の領域１０２内における１つ以上の表面１０６を消毒すること、または実質的にこれらのあらゆる組み合わせを含む。他の実施形態において、方法は、１つ以上の領域１０２の消毒を回避すること、１つ以上の領域１０２内の１つ以上の表面１０６の消毒を回避すること、１つ以上の領域１０２内における１つ以上の対象１０４の消毒を回避すること、または実質的にこれらのあらゆる組み合わせを含む。さらに他の実施形態において、方法は、１つ以上の領域１０２を部分的に消毒すること、１つ以上の領域１０２内における１つ以上の表面１０６を部分的に消毒すること、１つ以上の領域１０２内における１つ以上の対象１０４を部分的に消毒すること、１つ以上の領域１０２の消毒を部分的に回避すること、１つ以上の領域１０２内における１つ以上の表面１０６の消毒を部分的に回避すること、１つ以上の領域１０２内における１つ以上の対象１０４の消毒を部分的に回避すること、またはこれらの実質的にあらゆる組み合わせを含む。
【００６６】
図２は、消毒方法の実施に関する動作の例を表す動作フロー２００を説明する。消毒毒方法の実施の間に使用される動作の種々の例を含む図２および以下の図面において、議論および説明は、図１の上述の例に関して、および／または他の例および状況に関して与えられ得る。しかし、多くの他の環境および状況、および／または図１の修正版において実行され得ることが理解される。また、種々の動作が例証された順序に示されているが、種々の動作が、例証されている順序以外の順序において実施され得るか、または同時に実施され得ることは、理解される。
【００６７】
開始動作の後に、動作フロー２００は、１つ以上の領域１０２の検査に関する動作２１０を包含する。いくつかの実施形態において、１つ以上の検査ユニット１１０は１つ以上の領域１０２を検査するために用いられる。いくつかの実施形態において、１つの検査ユニット１１０は、１つの領域１０２を検査するために用いられる。いくつかの実施形態において、１つの検査ユニット１１０は、１つ以上の領域１０２を検査するために用いられる。いくつかの実施形態において、２つ以上の検査ユニット１１０は、１つの領域１０２を検査するために用いられる。
【００６８】
また、動作フロー２００は、１つ以上の領域１０２の検査に応じた１つ以上の信号の送信に関する送信動作２２０を包含する。いくつかの実施形態において、１つ以上の送信ユニット１１６は、１つ以上の消毒ユニット１１４に対して１つ以上の信号１１２を送信する。いくつかの実施形態において、１つの送信ユニット１１６は、１つの消毒ユニット１１４に対して１つの信号１１２を送信する。いくつかの実施形態において、１つの送信ユニット１１６は、１つの消毒ユニット１１４に対して１つ以上の信号１１２を送信する。いくつかの実施形態において、１つの送信ユニット１１６は、１つ以上の消毒ユニット１１４に対して１つの信号１１２を送信する。いくつかの実施形態において、１つの送信ユニット１１６は、１つの消毒ユニット１１４に対して１つ以上の信号１１２を送信する。いくつかの実施形態において、１つの送信ユニット１１６は、１つ以上の消毒ユニット１１４に対して１つ以上の信号１１２を送信する。いくつかの実施形態において、１つ以上の送信ユニット１１６は、１つの消毒ユニット１１４に対して１つの信号１１２を送信する。いくつかの実施形態において、１つ以上の送信ユニット１１６は、１つの消毒ユニット１１４に対して１つ以上の信号１１２を送信する。いくつかの実施形態において、１つ以上の送信ユニット１１６は、１つ以上の消毒ユニット１１４に対して１つの信号１１２を送信する。
【００６９】
図３は、図２の例示的な動作フロー２００の代替可能な実施形態を説明する。図３は、検査動作２１０が少なくとも１つの付加的な動作を包含し得る場合の例示的な実施形態を説明する。付加的な動作は、動作３０２、動作３０４、動作３０６、動作３０８および／または動作３１０を包含し得る。
【００７０】
動作３０２において、検査動作２１０は、１つ以上の領域１０２が消毒されるべきである場合の決定を包含し得る。いくつかの実施形態において、１つ以上の検査ユニット１１０は、１つ以上の領域１０２が消毒されるべきである場合を決定するために１つ以上の領域１０２を検査できる。いくつかの実施形態において、１つ以上の検査ユニット１１０は、１つ以上の領域１０２が最後に消毒されてから規定の長さの時間が経過している場合を決定できる。従って、１つ以上の領域１０２は、１つ以上の領域１０２が最後に消毒されてから所定の長さの時間が経過している場合に消毒され得る。いくつかの実施形態において、１つ以上の領域１０２が最後に消毒されたときを決定するために、１つ以上の検査ユニット１１０は、１つ以上の領域１０２が最後に消毒されたときを伝達できる１つ以上のセンサユニット１１８と通信できる。他の実施形態において、１つ以上の検査ユニット１１０は、１つ以上の領域１０２が最後に消毒されたときを決定するために１つ以上の領域１０２内に含まれる１つ以上のりん光材料からのりん光発光を検出できる。いくつかの実施形態において、１つ以上の検査ユニット１１０は、１つ以上の領域１０２が最後に消毒されたときを決定するために１つ以上の領域１０２内における１つ以上の消毒作用物１０８の存在、非存在、および／または濃度を検出できる。いくつかの実施形態において、ガスクロマトグラフィーは、１つ以上の消毒作用物１０８を検出するために使用され得る。いくつかの実施形態において、１つ以上の検査ユニット１１０は、１つ以上の領域１０２が最後に消毒されたときを決定するために１つ以上の記録ユニット１２０と通信できる。いくつかの実施形態において、１つ以上の検査ユニット１１０は、１つ以上の領域１０２が最後に消毒されたときを決定するために１つ以上の消毒ユニット１１４と通信できる。いくつかの実施形態において、１つ以上の検査ユニット１１０は、１つ以上の領域１０２が消毒されるべきであるときを決定するために１つ以上の方法を使用できる。多くの付加的な公知の方法は、１つ以上の領域１０２が消毒されるべきである場合を決定するために用いられ得る。
【００７１】
動作３０４において、検査動作２１０は、１つ以上の領域１０２が消毒されるべきではない場合の決定を包含し得る。いくつかの実施形態において、１つ以上の検査ユニット１１０は、１つ以上の領域１０２が消毒されるべきではない場合を決定するために１つ以上の領域１０２を検査できる。いくつかの実施形態において、１つ以上の検査ユニット１１０は、１つ以上の領域１０２が最後に消毒されてから規定の長さの時間が経過しているときを決定できる。従って、１つ以上の領域１０２は、１つ以上の領域１０２が最後に消毒されてから規定の長さの時間より短い時間が経過している場合に消毒され得ない。いくつかの実施形態において、１つ以上の領域１０２が最後に消毒されたときを決定するために、１つ以上の検査ユニット１１０は、１つ以上の領域１０２が最後に消毒されたときを伝達できる１つ以上のセンサユニット１１８と通信できる。いくつかの実施形態において、１つ以上の検査ユニット１１０は、１つ以上の領域１０２が最後に消毒されたときを決定するために１つ以上の領域１０２内に含まれた１つ以上のりん光材料からのりん光発光を検出できる。いくつかの実施形態において、１つ以上の検査ユニット１１０は、１つ以上の領域１０２が最後に消毒されたときを決定するために１つ以上の領域１０２内における１つ以上の消毒作用物１０８の存在、非存在、および／または濃度を検出できる。いくつかの実施形態において、ガスクロマトグラフィーは、１つ以上の消毒作用物１０８を検出するために使用され得る。いくつかの実施形態において、１つ以上の検査ユニット１１０は、１つ以上の領域１０２が最後に消毒されたときを決定するために１つ以上の記録ユニット１２０と通信できる。いくつかの実施形態において、１つ以上の検査ユニット１１０は、１つ以上の領域１０２が最後に消毒されたときを決定するために１つ以上の消毒ユニット１１４と通信できる。いくつかの実施形態において、１つ以上の検査ユニット１１０は、１つ以上の領域１０２が消毒されるべきであるときを決定するために１つ以上の方法を使用できる。多くの付加的な公知の方法が１つ以上の領域１０２を消毒するべきである場合を決定するために用いられ得る。
【００７２】
動作３０６において、検査動作２１０は、消毒されるべきである１つ以上の領域１０２内における１つ以上の表面１０６の決定を包含し得る。いくつかの実施形態において、１つ以上の検査ユニット１１０は、１つ以上の表面１０６が消毒されるべきである場合を決定するために１つ以上の領域１０２内における１つ以上の表面１０６を検査できる。いくつかの実施形態において、１つ以上の検査ユニット１１０は、１つ以上の表面１０６が最後に消毒されてから規定の長さの時間が経過している場合を決定できる。従って、１つ以上の表面１０６は、１つ以上の表面１０６が最後に消毒されてから所定の長さよりも長い時間が経過している場合に消毒され得る。いくつかの実施形態において、１つ以上の表面１０６が最後に消毒されたときを決定するために、１つ以上の検査ユニット１１０は、１つ以上の表面１０６が最後に消毒されたときを伝達できる１つ以上のセンサユニット１１８と通信できる。他の実施形態において、１つ以上の検査ユニット１１０は、１つ以上の表面１０６が最後に消毒されたときを決定するために１つ以上の表面１０６上か、または表面１０６内における１つ以上のりん光材料からのりん光発光を検出できる。いくつかの実施形態において、１つ以上の検査ユニット１１０は、１つ以上の表面１０６が最後に消毒されたときを決定するために、１つ以上の表面１０６上における１つ以上の消毒作用物１０８の存在、非存在、および／または濃度を検出できる。いくつかの実施形態において、１つ以上の検査ユニット１１０は、１つ以上の表面１０６が最後に消毒されたときを決定するために１つ以上の表面１０６上における１つ以上の消毒作用物１０８の存在、非存在、および／または濃度を検出できる。いくつかの実施形態において、ガスクロマトグラフィーは、１つ以上の消毒作用物１０８を検出するために使用され得る。いくつかの実施形態において、１つ以上の検査ユニット１１０は、１つ以上の表面１０６が最後に消毒されたときを決定するために１つ以上の記録ユニット１２０と通信できる。いくつかの実施形態において、１つ以上の検査ユニット１１０は、１つ以上の表面１０６が最後に消毒されたときを決定するために１つ以上の消毒ユニット１１４と通信できる。いくつかの実施形態において、１つ以上の検査ユニット１１０は、１つ以上の表面１０６が消毒されるべきであるときを決定するために１つ以上の方法を使用できる。多くの付加的な公知の方法が１つ以上の表面１０６を消毒されるべきである場合を決定するために使用され得る。
【００７３】
動作３０８において、検査動作２１０は、消毒されるべきではない１つ以上の領域１０２内における１つ以上の表面１０６の決定を含み得る。いくつかの実施形態において、１つ以上の検査ユニット１１０は、１つ以上の表面１０６が消毒されるべきではない場合を決定するために１つ以上の領域１０２内における１つ以上の表面１０６を検査できる。いくつかの実施形態において、１つ以上の検査ユニット１１０は、１つ以上の表面１０６が最後に消毒されてから規定の長さの時間が経過しているときを決定できる。従って、１つ以上の表面１０６は、１つ以上の表面１０６が最後に消毒されてから所定の長さよりも短い時間が経過ししている場合に消毒され得ないことはない。いくつかの実施形態において、１つ以上の検査ユニット１１０は、１つ以上の表面１０６が最後に消毒されたときを決定するために、１つ以上の検査ユニット１１０は、１つ以上の表面１０６が最後に消毒されたときを伝達できる１つ以上のセンサユニット１１８と通信できる。いくつかの実施形態において、１つ以上の検査ユニット１１０は、１つ以上の表面１０６が最後に消毒されたときを決定するために１つ以上の表面１０６上か、または表面１０６内における１つ以上のりん光材料からのりん光発光を検出できる。いくつかの実施形態において、１つ以上の検査ユニット１１０は、１つ以上の表面１０６が最後に消毒されたときを決定するために１つ以上の表面１０６上における１つ以上の消毒作用物１０８の存在、非存在、および／または濃度を検出できる。いくつかの実施形態において、ガスクロマトグラフィーは、１つ以上の消毒作用物１０８を検出するために使用され得る。いくつかの実施形態において、１つ以上の検査ユニット１１０は、１つ以上の表面１０６が最後に消毒されたときを決定するために１つ以上の記録ユニット１２０と通信できる。いくつかの実施形態において、１つ以上の検査ユニット１１０は、１つ以上の表面１０６が最後に消毒されたときを決定するために１つ以上の消毒ユニット１１４と通信できる。いくつかの実施形態において、１つ以上の検査ユニット１１０は、１つ以上の表面１０６の消毒をするべきであるときを決定するために１つ以上の方法を使用できる。多くの付加的な公知の方法が、１つ以上の表面１０６が消毒されるべきでない場合を決定するために使用され得る。
【００７４】
動作３１０において、検査動作２１０は、消毒されるべきである１つ以上の領域１０２内における１つ以上の対象１０４の決定を包含し得る。いくつかの実施形態において、１つ以上の検査ユニット１１０は、１つ以上の対象１０４の消毒されるべきである場合を決定するために１つ以上の領域１０２内における１つ以上の対象１０４を検査できる。いくつかの実施形態において、１つ以上の検査ユニット１１０は、１つ以上の対象１０４が最後に消毒されてから規定の長さの時間が経過ししているときを決定できる。従って、１つ以上の対象１０４は、１つ以上の対象１０４が最後に消毒されてから所定の長さより短い時間が経過ししている場合に１つ以上の対象１０４は消毒され得る。いくつかの実施形態において、１つ以上の対象１０４が最後に消毒されたときを決定するために、１つ以上の検査ユニット１１０は、１つ以上の対象１０４が最後に消毒されたときに１つ以上のセンサユニット１１８と通信できる。いくつかの実施形態において、１つ以上の検査ユニット１１０は、１つ以上の対象１０４が最後に消毒されたときを伝達できる１つ以上のセンサユニット１１８と通信できる。他の実施形態において、１つ以上の検査ユニット１１０は、１つ以上の対象１０４が消毒されたときを決定するために、１つ以上の対象１０４上か、または対象１０４内に含まれる１つ以上のりん光材料からのりん光発光を検出できる。いくつかの実施形態において、１つ以上の検査ユニット１１０は、１つ以上の対象１０４が最後に消毒されたときを決定するために１つ以上の対象１０４上における１つ以上の消毒作用物１０８の存在、非存在、および／または濃度を検出できる。いくつかの実施形態において、ガスクロマトグラフィーは、１つ以上の消毒作用物１０８を検出するために使用され得る。いくつかの実施形態において、１つ以上の検査ユニット１１０は、１つ以上の対象１０４が最後に消毒されたときを決定するために１つ以上の記録ユニット１２０と通信できる。いくつかの実施形態において、１つ以上の検査ユニット１１０は、１つ以上の対象１０４が最後に消毒されたときを決定するために１つ以上の消毒ユニット１１４と通信できる。いくつかの実施形態において、１つ以上の検査ユニット１１０は、１つ以上の対象１０４が消毒されるべきであるときを決定するために１つ以上の方法を使用できる。多くの付加的な公知の方法が、１つ以上の対象１０４が消毒されるべきである場合を決定するために使用され得る。
【００７５】
図４は、図２の例示的な動作フロー２００の代替可能な実施形態を説明する。図４は、検査動作２１０が含み得る少なくとも１つの付加的な動作における実施形態の例を説明する。付加的な動作は、動作４０２、動作４０４、動作４０６、動作４０８および／または動作４１０を含み得る。
【００７６】
動作４０２において、検査動作２１０は、消毒されるべきではない１つ以上の領域１０２の中において１つ以上の対象１０４を決定することを含み得る。いくつかの実施形態において、１つ以上の検査ユニット１１０は、１つ以上の領域１０２内の１つ以上の対象１０４を検査して、１つ以上の対象１０４が消毒されるべきではない場合を決定できる。いくつかの実施形態において、１つ以上の検査ユニット１１０は、１つ以上の対象１０４が最後に消毒されてから、予め設定された時間が経過している場合を決定できる。従って、１つ以上の対象１０４は、所定の時間未満の時間が、１つ以上の対象１０４が最後に消毒されてから経過している場合に、未消毒の状態であり得る。いくつかの実施形態において、１つ以上の対象１０４が最後に消毒されたときを決定するために、１つ以上の検査ユニット１１０は、１つ以上の対象１０４が最後に消毒されたときを通信できる１つ以上のセンサユニット１１８と通信可能である。他の実施形態において、１つ以上の検査ユニット１１０は、１つ以上の対象１０４上に含まれるかまたはその内部に含まれる１つ以上のりん光を発する物質からのりん光発光を検出して、１つ以上の対象１０４が最後に消毒されたときを決定できる。いくつかの実施形態において、１つ以上の検査ユニット１１０は、１つ以上の対象１０４上の１つ以上の消毒作用物１０８の存在、非存在、および／または濃度を検出して、１つ以上の対象１０４が最後に消毒されたときを決定できる。いくつかの実施形態において、ガスクロマトグラフィーは１つ以上の消毒作用物１０８を検出するために用いられ得る。いくつかの実施形態において、１つ以上の検査ユニット１１０は、１つ以上の記録ユニット１２０と通信して、１つ以上の対象１０４が最後に消毒されたときを決定できる。いくつかの実施形態において、１つ以上の検査ユニット１１０は、１つ以上の消毒ユニット１１４と通信して、１つ以上の対象１０４が最後に消毒されたときを決定できる。いくつかの実施形態において、１つ以上の検査ユニット１１０は、１つ以上の方法を使用して、１つ以上の対象１０４が消毒されるべきではないときを決定できる。多くの付加的な公知の方法が、対象１０４が消毒されるべきではない場合を決定するために用いられ得る。
【００７７】
動作４０４において、検査動作２１０は１つ以上の領域１０２の地図の作製を含み得る。いくつかの実施形態において、１つ以上の検査ユニット１１０は、１つ以上の領域１０２の地図を作製できる。いくつかの実施形態において、１つ以上の検査ユニット１１０は、１つ以上の３次元レーザースキャンを用いて１つ以上の領域の地図を作製できる。当該３次元レーザースキャンは、公知であり、かつ市販されている（すなわち、カリフォルニア州サニーベールが提供しているＴｒｉｍｂｌｅ  Ｎａｖｉｇａｔｉｏｎ  ＬｉｍｉｔｅｄのＣａｌｌｉｄｕｓ  ３Ｄ  ｌａｓｅｒ  ｓｃａｎｎｅｒおよびＧＸ  ｓｃａｎｎｅｒ；フロリダ州オーランドのＲｉｅｇｌ  ＵＳＡ  Ｉｎｃ．が提供しているＬＭＳ−Ｚ３６０ｉ）。いくつかの実施形態において、１つ以上の検査ユニット１１０は１つ以上の領域１０２の寸法を決定できる。いくつかの実施形態において、１つ以上の検査ユニット１１０は、１つ以上の領域１０２内の１つ以上の表面１０６および／または１つ以上の対象１０４の位置を決定できる。いくつかの実施形態において、１つ以上の検査ユニット１１０は、１つ以上の領域１０２の寸法、ならびに１つ以上の領域１０２内にある１つ以上の表面１０６および／または１つ以上の対象１０４の位置を決定できる。
【００７８】
動作４０６において、検査動作２１０は、１つ以上の領域の模型の作製を含み得る。いくつかの実施形態において、１つ以上の検査ユニット１１０は、１つ以上の領域１０２の模型を作製できる。いくつかの実施形態において、検査ユニット１１０は、１つ以上の領域１０２の地図の作製を介して受信した情報を変換して、１つ以上の領域１０２の１つ以上の模型を生成できる。例えば、いくつかの実施形態において、１つ以上の領域１０２内における表面１０６および対象１０４の相対的な位置および寸法を含む模型が作製され得る。いくつかの実施形態において、模型は、１つ以上の消毒作用物１０８が使用されるべきである１つ以上の領域１０２内の場所を１つ以上の消毒ユニット１１４に命令するために、用いられ得る。いくつかの実施形態において、模型は、１つ以上の消毒作用物１０８を使用すべきではない１つ以上の領域１０２内の場所を１つ以上の消毒ユニット１１４に命令するために、用いられ得る。従って、いくつかの実施形態において、１人以上の人間が入っている１つ以上の領域１０２は、当該１人以上の人間を１つ以上の消毒作用物１０８にさらすことなく、消毒され得る。いくつかの実施形態において、１つ以上の消毒ユニット１１４は、１人以上の人間を消毒照射にさらすことなく、消毒照射を用いて１人以上の人間が入っている１つ以上の領域１０２を消毒できる。
【００７９】
動作４０８において、検査動作２１０は、１つ以上の領域１０２が１つ以上の消毒手順に従っている場合を確認することを包含し得る。いくつかの実施形態において、１つ以上の検査ユニット１１０は１つ以上の領域１０２が１つ以上の消毒手順に従っている場合を決定できる。いくつかの実施形態において、１つ以上の消毒手順は１つ以上の領域１０２に割り当てられ得る。いくつかの実施形態において、消毒手順は、１つ以上の領域１０２内の相対的または絶対的な位置に応じて１つ以上の領域１０２内に使用されるべきである消毒照射の、緊急性、待ち時間、強度および時間総和強度（ｔｉｍｅ−ｉｎｔｅｇｒａｔｅｄ  ｉｎｔｅｎｓｉｔｙ）を特定し得る。いくつかの実施形態において、消毒手順は、１つ以上の領域１０２に使用されるべきである１種類以上の消毒作用物１０８を特定し得る。いくつかの実施形態において、消毒手順は、１つ以上の領域１０２に使用すべきではない１種類以上の消毒作用物１０８を特定し得る。いくつかの実施形態において、消毒手順は、１つ以上の消毒作用物１０８が１つ以上の領域１０２に使用されるべきである頻度を特定し得る。いくつかの実施形態において、消毒手順は、１つ以上の領域１０２に使用されるべきである１種類以上の消毒作用物１０８の強度および／または濃度を特定し得る。多くの消毒手順が１つ以上の領域１０２に割り当てられ得る。いくつかの実施形態において、当該消毒手順は、１つ以上の領域１０２が、１つ以上の領域１０２が患者の危険度が高いおよび／または感染性が高いと見込まれる領域に対する評価に応じて消毒されて、当該領域１０２が厳密および／または頻繁な消毒処理を受けることを確実にする強度の特定に使用され得る。従って、いくつかの実施形態において、１つ以上の検査ユニット１１０は、１つ以上の記録ユニット１２０、１つ以上のセンサユニット１１８、１つ以上の消毒ユニット１１４および実質的にこれらのあらゆる組み合わせと通信して、１つ以上の領域１０２が消毒手順に従って消毒されている場合を決定できる。いくつかの実施形態において、１つ以上の検査ユニット１１０は、１つ以上の領域１０２が最後に消毒されてから経過している時間の程度を決定できる。従って、１つ以上の検査ユニット１１０は、１つ以上の領域１０２が、所定の時間の長さにおける１つ以上の領域１０２の消毒を要求する１つ以上の手順に従っている場合を決定できる。いくつかの実施形態において、１つ以上の検査ユニット１１０は、１つ以上のセンサユニット１１８と通信して、最後に消毒された１つ以上の領域１０２を決定できる。他の実施形態において、１つ以上の検査ユニット１１０は、１つ以上の領域１０２内に含まれる１つ以上のりん光を発する物質からのりん光発光を検出して、１つ以上の領域１０２が最後に消毒されたとき決定できる。いくつかの実施形態において、１つ以上の検査ユニット１１０は、１つ以上の領域１０２内における消毒作用物１０８の存在、非存在および／または濃度を検出して、１つ以上の領域１０２が最後に消毒されたときを決定ができる。いくつかの実施形態において、ガスクロマトグラフィーは、１つ以上の消毒作用物１０８を検出するために用いられ得る。いくつかの実施形態にお���て、１つ以上の検査ユニット１１０は、１つ以上の記録ユニット１２０と通信して、１つ以上の領域１０２が最後に消毒されたときを決定できる。いくつかの実施形態において、１つ以上の検査ユニット１１０は、１つ以上の消毒ユニット１１４と通信して、１つ以上の領域１０２が最後に消毒されたときを決定できる。１つ以上の検査ユニット１１０は、１つ以上の領域１０２が１つ以上の消毒手順に従っている場合を決定するために、多くの方法を用いることができる。
【００８０】
動作４１０において、検査動作２１０は、１つ以上の領域１０２に関する１つ以上の消毒状態を決定を包含し得る。いくつかの実施形態において、１つ以上の検査ユニット１１０は、１つ以上の領域１０２に関する１つ以上の消毒状態を決定できる。いくつかの実施形態において、１つ以上の領域１０２の消毒状態は、１つ以上の領域１０２に割り当てられた１つ以上の消毒度に関連し得る。例えば、いくつかの領域は、とても高い度合いの消毒性が所望される場所において、非常に高い消毒度を割り当てられ得る。非常に高い度合いの消毒性が所望される場合の領域の例としては、病院の手術室、医薬品の包装施設、食品の包装施設、ヌードマウス施設、および病棟などが挙げられるが、これらに限定されない。他の実施形態において、消毒性の度合いが高いことを必要としなくてもよい場合の領域は、より低い消毒度を割り当てられ得る。いくつかの実施形態において、１つ以上の領域１０２に割り当てられた１つ以上の消毒度は、消毒の時間、消毒の頻度、使用される消毒作用物１０８の種類、消毒の強度、複数の消毒作用物１０８の使用、１つ以上の領域１０２に割り当てられた危険度、１つ以上の領域１０２内に生じている汚染の種類、および１つ以上の領域１０２内における１人以上の患者の病状などの要素を含み得る。いくつかの実施形態において、１つ以上の検査ユニット１１０は、１つ以上の領域１０２が消毒を必要とする場合、または１つ以上の領域１０２が所望の消毒度を満たす否かを示す、１つ以上の領域１０２の１つ以上の消毒状態を決定ができる。いくつかの実施形態において、１つ以上の検査ユニット１１０は、現在、消毒した状態の１つ以上の領域１０２が、再び消毒されるべきであるときを決定できる。当該実施形態において、１つ以上の検査ユニット１１０は、１つ以上の消毒ユニット１１４に、１つ以上の領域１０２を消毒すべきであるときを命令できる。いくつかの実施形態において、１つ以上の検査ユニット１１０は、１つ以上の領域１０２に割り当てられた消毒度が変化している場合、および、１つ以上の領域１０２が新たに割り当てられた消毒度を満たしているか否かを決定できる。当該実施形態において、１つ以上の検査ユニット１１０は、１つ以上の消毒ユニット１１４に１つ以上の領域１０２を消毒すべきであるか否かを命令できる。
【００８１】
図５は、図２の例示的な動作フロー２００の代替可能な実施形態を説明する。図５は検査動作２１０が含み得る少なくとも１つの付加的な動作における実施形態の例を説明する。付加的な動作は、動作５０２、動作５０４、動作５０６、動作５０８および／または動作５１０を含み得る。
【００８２】
動作５０２において、検査動作２１０は１つ以上のセンサユニット１１８からの１つ以上の読み込みの取得を包含し得る。いくつかの実施形態において１つ以上の検査ユニット１１０は、１つ以上のセンサユニット１１８からの１つ以上の読み込みを取得できる。いくつかの実施形態において、１つ以上の検査ユニット１１０は、１つ以上の領域１０２が消毒された１つ以上の時点を表す１つ以上のセンサユニット１１８からの１つ以上の読み込みを取得できる。いくつかの実施形態において、１つ以上の検査ユニット１１０は、１つ以上の領域１０２が消毒される頻度を表す１つ以上のセンサユニット１１８からの１つ以上の読み込みを取得できる。いくつかの実施形態において、１つ以上の検査ユニット１１０は、１つ以上の領域１０２が消毒される強度を表す１つ以上のセンサユニット１１８からの１つ以上の読み込みを取得できる。いくつかの実施形態において、１つ以上の検査ユニット１１０は、１つ以上の領域１０２内の１つ以上の表面１０６が消毒されているか否かを表す１つ以上のセンサユニット１１８からの読み込みを取得できる。いくつかの実施形態において、１つ以上の検査ユニット１１０は、１つ以上の領域１０２に使用されている１種類以上の消毒作用物１０８を表す１つ以上のセンサユニット１１８からの１つ以上の読み込みを取得できる。いくつかの実施形態において、１つ以上の検査ユニット１１０は、１つ以上の領域１０２内の１つ以上の表面１０６に使用されている１種類以上の消毒作用物１０８を表す１つ以上のセンサユニット１１８からの１つ以上の読み込みを取得できる。いくつかの実施形態において、１つ以上の検査ユニット１１０は、１つ以上の領域１０２内の１つ以上の対象１０４に使用されている１種類以上の消毒作用物１０８を表す１つ以上のセンサユニット１１８からの読み込みを取得できる。いくつかの実施形態において、１つ以上の検査ユニット１１０は、１つ以上の領域１０２内の１つ以上の対象１０４または１つ以上の表面１０６に使用されている１種類以上の消毒作用物１０８を表す１つ以上のセンサユニット１１８からの読み込みを取得できる。
【００８３】
動作５０４において、検査動作２１０は、１つ以上の物影にある領域が１つ以上の領域１０２内に存在する場合の決定を含み得る。いくつかの実施形態において、１つ以上の検査ユニット１１０は、１つ以上の物影にある領域が１つ以上の領域１０２内に存在する場合を決定できる。いくつかの実施形態において、物影にある領域は、照射線を発する１つ以上の消毒ユニット１１４と１つ以上の物影にある領域との間に位置する１つ以上の対象１０４が１つ以上の物影にある領域の照射線による照射を妨害するときに生じ得る。物影にある領域が生じる場所の決定は、それらの物影にある領域が非消毒状態を割り当てられることを許容する。代わりに、そのような物影にある領域の存在の決定は、１つ以上の物影にある領域の内部に移動され得るかまたは隣接する別の消毒ユニット１１４から発せられた照射線を用いた物影にある領域の照射を与える。いくつかの実施形態において、１つ以上の領域１０２内の１つ以上の物影にある領域の位置は、１つ以上の消毒ユニット１１４から発せられる照射線を伴う１つ以上の領域１０２の照射、次いで、照射が影響しない場所を確認するために１つ以上の領域１０２を回る１つ以上の検査ユニット１１０の移動によって決定され得る。いくつかの実施形態において、１つ以上の消毒ユニット１１４から発せられた、紫外線のような照射線が１つ以上の領域に影響する場合を確認するためのコンピュータモデリングの使用を介して予測され得る。付加的な方法は、１つ以上の領域中のいたるところに位置する１つ以上のセンサユニット１１８の使用、および照射された場合にりん光を発するかまたは色を変える指標の使用などを含む物影にある領域が１つ以上の領域１０２の中に存在する場合を決定するために用いられ得る。
【００８４】
動作５０６において、検査動作２１０は、固定式の１つ以上の検査ユニット１１０を用いた１つ以上の領域１０２の検査を含み得る。いくつかの実施形態において、固定式の１つ以上の検査ユニット１１０および移動式の１つ以上の検査ユニット１１０は、１つ以上の領域１０２を検査するために用いられ得る。いくつかの実施形態において、固定式の１つ以上の検査ユニット１１０は、１つ以上の領域１０２内に常設的に配置され得る。いくつかの実施形態において、固定式の１つ以上の検査ユニットは、１つ以上の領域１０２内に、一時的に配置され得る。いくつかの実施形態において、固定式の１つ以上の検査ユニット１１０は、１つ以上の検査ユニット１１０が１つ以上の領域１０２内の実質的に全ての表面１０６および／または実質的に全ての対象１０４を検査できるように、１つ以上の領域１０２内に配置され得る。
【００８５】
動作５０８において、検査動作２１０は、移動式の１つ以上の検査ユニット１１０を用いた１つ以上の領域１０２の検査を含み得る。いくつかの実施形態において、固定式の１つ以上の検査ユニット１１０および移動式の１つ以上の検査ユニット１１０は、１つ以上の領域１０２の検査に用いられ得る。いくつかの実施形態において、移動式の１つ以上の検査ユニット１１０は１つ以上の領域１０２内に常設的に配置され得る。いくつかの実施形態において、移動式の１つ以上の検査ユニット１１０は、１つ以上の領域１０２内に一時的に配置され得る。いくつかの実施形態において、移動式の１つ以上の検査ユニット１１０は、１つ以上の検査ユニット１１０が１つ以上の領域１０２内の実質的に全ての表面１０６および／または実質的に全ての対照１０４を検査できるように、１つ以上の領域１０２内を動き回ってもよい。
【００８６】
動作５１０において、検査動作２１０は、消毒に関する１つ以上の領域１０２の優先順位の決定を含み得る。いくつかの実施形態において、１つ以上の検査ユニット１１０は、消毒に関する１つ以上の領域１０２の優先順位を決定できる。いくつかの実施形態において、１つ以上の領域１０２は、１つ以上の領域１０２の消毒に関する必要の緊急性に基づいて消毒に関して優先順位を決定され得る。例えば、手術室は、当該手術室内で行なわれる緊急外科手術の存在のために、他の領域１０２より前に消毒され得る。いくつかの実施形態において、１つ以上の領域１０２は、１つ以上の領域１０２内の高い感染性を有する菌の存在に基づいて消毒に関して優先順位を決定され得る。例えば、病院内の診察室は、当該診察室内における天然痘に感染している患者の存在のために、他の領域１０２より前に消毒され得る。いくつかの実施形態において、１つ以上の領域１０２は、消毒手順に関する１つ以上の領域１０２の適合に基づいて消毒に関して優先順位を決定され得る。多くの判断基準が、消毒に関する１つ以上の領域１０２の優先順位の決定に用いられ得る。いくつかの実施形態において、１つ以上の検査ユニット１１０は、１つ以上の検査ユニット１１０によって行なわれる１つ以上の検査に基づいて消毒に関して１つ以上の領域１０２の優先順位を決定できる。いくつかの実施形態において、１つ以上の検査ユニット１１０は、１つ以上のセンサユニット１１８との通信に続いて、消毒に関する１つ以上の領域１０２の優先順位を決定できる。いくつかの実施形態において、１つ以上の検査ユニット１１０は、１つ以上の記録ユニット１２０との通信に続いて、消毒に関する１つ以上の領域１０２の優先順位を決定できる。いくつかの実施形態において、１つ以上の検査ユニット１１０は、ユーザ対話１２４に続いて、消毒に関する１つ以上の領域１０２の優先順位を決定できる。
【００８７】
図６は、図２の例示的な動作フロー２００の代替可能な実施形態を説明する。図４は、検査動作２１０が含み得る少なくとも１つの付加的な動作における実施形態の例を説明する。付加的な動作は、動作６０２、動作６０４、動作６０６および／または動作６０８を包含し得る。
【００８８】
動作６０２において、検査動作２１０は、１つ以上の領域１０２内の１つ以上の表面１０６の消毒に関する優先順位の決定を含み得る。いくつかの実施形態において、１つ以上の検査ユニット１１０は１つ以上の領域１０２内の１つ以上の表面１０６の消毒に関する優先順位を決定できる。いくつかの実施形態において、１つ以上の表面１０６は、消毒されるべきである１つ以上の表面１０６または１つ以上の表面１０６が含まれる１つ以上の領域１０２に関する必要の緊急性に基づいて消毒に関する優先順位を決定され得る。例えば、手術室内の表面１０６は、当該手術室内において行なわれる緊急外科手術の存在のために、他の領域１０２より前に消毒され得る。いくつかの実施形態において、１つ以上の表面１０６は、１つ以上の表面１０６上のおよび／またはその中の高い感染性の菌の存在に基づいて消毒に関する優先順位を決定され得る。例えば、病院内の診察室内の表面１０６は、診察室内における天然痘に感染している患者の存在のために、他の領域１０２より先に消毒され得る。いくつかの実施形態において、１つ以上の表面１０６は、１つ以上の表面１０６または１つ以上の表面１０６が含まれる１つ以上の領域１０２の消毒手順に対する適合に基づいて消毒に関する優先順位を決定され得る。多くの判断基準が、消毒に関する１つ以上の表面１０６の優先順位の決定に用いられ得る。いくつかの実施形態において、１つ以上の検査ユニット１１０は、１つ以上の検査ユニット１１０によって行なわれる１つ以上の検査に基づいて消毒に関する１つ以上の表面１０６の優先順位を決定できる。いくつかの実施形態において、１つ以上の検査ユニット１１０は、１つ以上のセンサユニット１１８との通信に続いて、消毒に関する１つ以上の表面１０６の優先順位を決定できる。いくつかの実施形態において、１つ以上の検査ユニット１１０は、１つ以上の記録ユニット１２０との通信に続いて、消毒に関する１つ以上の表面１０６の優先順位を決定できる。いくつかの実施形態において、１つ以上の検査ユニット１１０は、ユーザ対話１２４に続いて、消毒に関する１つ以上の表面１０６の優先順位を決定できる。
【００８９】
動作６０４において、検査動作２１０は１つ以上の領域１０２内に１人以上の人間が存在するかまたは不在である場合の決定を含み得る。いくつかの実施形態において、１つ以上の検査ユニット１１０は、１つ以上の領域１０２内における１人以上の人間の存在または不在を検出できる。いくつかの実施形態において、１つ以上の検査ユニット１１０は、１つ以上の送信ユニット１１６を利用して、１つ以上の信号１１２を１つ以上の消毒ユニット１１４に送信して、１つ以上の領域１０２内に存在する１人以上の人間に対する１つ以上の消毒作用物１０８の使用を回避できる。いくつかの実施形態において、１つ以上の検査ユニット１１０は、１つ以上の送信ユニット１１６を利用して、１つ以上の信号１１２を１つ以上の消毒ユニット１１４に送信して、１つ以上の領域１０２内に存在する１人以上の人間に対して１つ以上の消毒作用物１０８を使用できる。いくつかの実施形態において、１つ以上の検査ユニット１１０は、１人以上の人間が１つ以上の領域１０２内にいる間にさらされている照射線の量を決定できる。いくつかの実施形態において、照射線は光である。いくつかの実施形態において、照射線は紫外線である。いくつかの実施形態において、照射線は赤外線である。いくつかの実施形態において、照射線はガンマ線である。いくつかの実施形態において、照射線はマイクロ波照射線である。いくつかの実施形態において、１つ以上の検査ユニット１１０は、１つ以上の領域１０２内における人以上の人間上において反射されている照射線を検出できる。当該人間の例としては、これらに限定されないが、病院患者、歯科患者、看護士、医師、製薬労働者、食品労働者、および輸送労働者などが挙げられる。いくつかの実施形態において、１つ以上の検査ユニット１１０は、１人以上の人間上に生じる１つ以上の表面１０６に入射する照射線の量を決定できる。当該表面１０６の例としては、これらに限定されないが、開放創、目、および肌などが挙げられる。
【００９０】
動作６０６において、検査動作２１０は１つ以上の領域１０２内にて使用された１つ以上の消毒作用物の作用の予測を含み得る。いくつかの実施形態において、１つ以上の検査ユニット１１０は、１つ以上の領域１０２内において使用される１つ以上の消毒作用物１０８の活性を予測できる。いくつかの実施形態において、１つ以上の検査ユニット１１０は、１つ以上の消毒作用物１０８の特定、濃度、使用の時間、および／または実質的にあらゆる組み合わせを利用でき、かつ１つ以上の領域１０２内に存在し得るかまたは存在し得ない１つ以上の汚染の種類に対する１つ以上の消毒作用物１０８の活性を測定するために利用できる。いくつかの実施形態において、１つ以上の消毒作用物１０８の、特定、濃度、使用の時間、および／または実質的にこれらのあらゆる組み合わせは、１つ以上の検査ユニット１１０によって決定され得る。いくつかの実施形態において、１つ以上のセンサユニット１１８、消毒ユニット１１４、記録ユニット１２０、ユーザ１２２または実質的にこれらのあらゆる組み合わせは、１つ以上の領域１０２に使用された１つ以上の消毒作用物１０８の特定、濃度、使用の時間、および／または実質的にこれらのあらゆる組み合わせを、１つ以上の検査ユニット１１０に対して通信し得る。
【００９１】
動作６０８において、検査動作２１０は、１つ以上の領域１０２内において使用された１つ以上の消毒作用物１０８の前回の作用から経過している１つ以上の時間の長さの決定を含み得る。いくつかの実施形態において、１つ以上の検査ユニット１１０は、１つ以上の領域１０２内において使用された１つ以上の消毒作用物１０８の前回の作用から経過している１つ以上の時間の長さを決定できる。いくつかの実施形態において、１つ以上の領域１０２内において１つ以上の消毒ユニット１１４によって使用された１つ以上の消毒作用物１０８の前回の作用から経過している１つ以上の時間の長さは、１つ以上のセンサユニット１１８、消毒ユニット１１４、記録ユニット１２０、ユーザ１２２、または実質的にこれらのあらゆる組み合わせによって、１つ以上の検査ユニット１１０に対して通信され得る。いくつかの実施形態において、１つ以上の消毒作用物１０８は、１つ以上の消毒ユニット１１４によって使用され得る。
【００９２】
図７は、図２の例示的な動作フロー２００の代替可能な実施形態を説明する。図７は、送信動作２２０が含み得る少なくとも１つの付加的な動作における実施形態の例を説明する。付加的な動作は、動作７０２、動作７０４、動作７０６、動作７０８および／または動作７１０を含み得る。
【００９３】
動作７０２において、送信動作２２０は、１つ以上の領域１０２に対して１つ以上の消毒作用物１０８を使用することの１つ以上の消毒ユニット１１４に対する命令と関連する１つ以上の信号１１２の送信を含み得る。いくつかの実施形態において、１つ以上の送信ユニット１１６は、１つ以上の領域１０２に１つ以上の消毒作用物１０８を使用することの１つ以上の消毒ユニット１１４に対する１つ以上の命令と関連する１つ以上の信号１１２を送信できる。いくつかの実施形態において、１つ以上の信号１１２は、１つ以上の領域１０２の１つ以上の地図と関連する。いくつかの実施形態において、１つ以上の信号１１２は、１つ以上の領域１０２の模型と関連する。いくつかの実施形態において、１つ以上の信号１１２は、１つ以上の消毒ユニット１１４に従うことの１つ以上の消毒ユニット１１４に対する１つ以上の命令と関連する。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から得られる１つ以上の読み込みと関連する。いくつかの実施形態において、１つ以上の信号１１２は、１つ以上の領域１０２内に存在する１つ以上の物影にある領域の１つ以上の位置と関連する。いくつかの実施形態において、１つ以上の信号１１２は、固定式の１つ以上の検査ユニット１１０から１つ以上の消毒ユニット１１４に送信される。いくつかの実施形態において、１つ以上の信号１１２は、移動式の１つ以上の検査ユニット１１０から１つ以上の消毒ユニット１１４に送信される。いくつかの実施形態において、１つ以上の信号１１２は、消毒に関する１つ以上の領域１０２の優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の領域１０２に特定される１つ以上の消毒作用物１０８を使用することの１つ以上の消毒ユニット１１４に対する１つ以上の命令と関連する。いくつかの実施形態において、１つ以上の信号１１２は、１つ以上の記録ユニット１２０に対する１つ以上の命令と関連する。いくつかの実施形態において、１つ以上の信号１１２は、１つ以上の消毒作用物１０８が１つ以上の領域１０２内において以前に使用されてから経過している１つ以上の時間の長さと関連する。
【００９４】
動作７０４において、送信動作２２０は、１つ以上の領域１０２に対する１つ以上の消毒作用物１０８の使用を回避することの１つ以上の消毒ユニット１１４に対する１つ以上の命令と関連する１つ以上の信号１１２の送信を含み得る。いくつかの実施形態において、１つ以上の送信ユニット１１６は、１つ以上の領域１０２に対する１つ以上の消毒作用物の使用を回避ことの１つ以上の消毒ユニット１１４に対する１つ以上の命令と関連する１つ以上の信号１１２を送信できる。１つ以上の信号１１２は多種類の情報を含むことができる。いくつかの実施形態において、１つ以上の信号１１２は、１つ以上の領域１０２に対する１つ以上の消毒作用物１０８の使用を回避することの１つ以上の消毒ユニット１１４に対する１つ以上の命令を含むことができる。いくつかの実施形態において、１つ以上の信号１１２は１つ以上の領域１０２の１つ以上の地図と関連する。いくつかの実施形態において、１つ以上の信号１１２は、１つ以上の領域１０２の１つ以上の模型と関連する。いくつかの実施形態において、１つ以上の信号１１２は、消毒手順に従うことの１つ以上の消毒ユニット１１４に対する１つ以上の命令と関連する。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から得られる読み込みと関連する。いくつかの実施形態において、１つ以上の信号１１２は、１つ以上の領域１０２内に存在する１つ以上の物影にある領域の１つ以上の位置と関連する。いくつかの実施形態において、１つ以上の信号１１２は、固定式の１つ以上の検査ユニット１１０から１つ以上の消毒ユニット１１４に送信される。いくつかの実施形態において、１つ以上の信号１１２は、移動式の１つ以上の検査ユニット１１０から１つ以上の消毒ユニット１１４に送信される。いくつかの実施形態において、１つ以上の信号１１２は１つ以上の領域１０２の消毒に関する優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の消毒ユニット１１０が１つ以上の消毒作用物１０８を使用すべきではない１つ以上の領域１０２の１つ以上の部分を示す１つ以上の命令と関連する。いくつかの実施形態において、１つ以上の信号１１２は、１つ以上の記録ユニット１２０に対する１つ以上の命令と関連する。いくつかの実施形態において、１つ以上の信号１１２は、１つ以上の消毒作用物１０８が１つ以上の領域１０２内において以前に使用されてから経過している１つ以上の時間の長さと関連する。
【００９５】
動作７０６において、送信動作２２０は、１つ以上の領域１０２内の１つ以上の表面に対して１つ以上の消毒作用物１０８を使用することの１つ以上の消毒ユニット１１４に対する１つ以上の命令と関連する１つ以上の信号１１２の送信を含み得る。いくつかの実施形態において、１つ以上の送信ユニット１１６は、１つ以上の領域１０２内の１つ以上の表面１０６に対して１つ以上の消毒作用物１０８を使用することの１つ以上の消毒ユニット１１４に対する１つ以上の命令と関連する１つ以上の信号１１２を送信できる。１つ以上の信号１１２は、多種類の情報を含むことができる。いくつかの実施形態において、１つ以上の信号１１２は、１つ以上の領域１０２内の１つ以上の表面１０６に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２の１つ以上の地図と関連する。いくつかの実施形態において、１つ以上の信号１１２は、１つ以上の領域１０２の１つ以上の模型と関連する。いくつかの実施形態において、１つ以上の信号１１２は、１つ以上の消毒手順に従うことの１つ以上の消毒ユニット１１４に対する１つ以上の命令と関連する。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から取得された１つ以上の読み込みと関連する。いくつかの実施形態において、１つ以上の信号１１２は、１つ以上の領域１０２内に存在する１つ以上の物影にある領域の位置と関連する。いくつかの実施形態において、１つ以上の信号１１２は、固定式の１つ以上の検査ユニット１１０から１つ以上の消毒ユニット１１４に送信される。いくつかの実施形態において、１つ以上の信号１１２は、移動式の１つ以上の検査ユニット１１０から１つ以上の消毒ユニット１１４に送信される。いくつかの実施形態において、１つ以上の信号１１２は、１つ以上の領域１０２内の１つ以上の表面１０６の消毒に関する優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の領域１０２内の１つ以上の表面１０６と特定される１つ以上の消毒作用物１０８を使用することの１つ以上の消毒ユニット１１４に対する１つ以上の命令と関連する。いくつかの実施形態において、１つ以上の信号１１２は、１つ以上の記録ユニット１２０に対する１つ以上の命令と関連する。いくつかの実施形態において、１つ以上の信号１１２は、１つ以上の消毒作用物１０８が１つ以上の領域１０２内の１つ以上の表面１０６に対して以前に使用されて経過している１つ以上の時間の長さに関連する。
【００９６】
動作７０８において、送信動作２２０は、１つ以上の領域内の１つ以上の表面に対する１つ以上の消毒作用物の使用を回避することの１つ以上の消毒ユニットに対する１つ以上の命令と関連した１つ以上の信号の送信を含み得る。いくつかの実施形態において、１つ以上の送信ユニット１１６は、１つ以上の領域１０２内の１つ以上の表面１０６に対する１つ以上の消毒作用物１０８の使用を回避することの１つ以上の消毒ユニット１１４に対する１つ以上の命令と関連する１つ以上の信号１１２を送信できる。１つ以上の信号１１２は多種類の情報を含むことができる。いくつかの実施形態において、１つ以上の信号１１２は、１つ以上の領域１０２内の１つ以上の表面１０６に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２の１つ以上の地図と関連する。いくつかの実施形態において、１つ以上の信号１１２は、１つ以上の領域１０２の１つ以上の模型と関連する。いくつかの実施形態において、１つ以上の信号１１２は、１つ以上の消毒手順に従うことの１つ以上の消毒ユニット１１４に対する１つ以上の命令と関連する。いくつかの実施形態において、１つ以上の信号１１２は、１つ以上の領域１０２内の１つ以上の表面１０６に割り当てられた１つ以上の消毒状態と関連する。いくつかの実施形態において、１つ以上の信号１１２は、１つ以上のセンサユニット１１８から得られる１つ以上の読み込みと関連する。いくつかの実施形態において、１つ以上の信号１１２は、１つ以上の領域１０２内に存在する１つ以上の物影にある領域の位置と関連する。いくつかの実施形態において、１つ以上の信号１１２は、固定式の１つ以上の検査ユニット１１０から１つ以上の消毒ユニット１１４に送信される。いくつかの実施形態において、１つ以上の信号１１２は、移動式の１つ以上の検査ユニット１１０から１つ以上の消毒ユニット１１４に送信される。いくつかの実施形態において、１つ以上の信号１１２は、１つ以上の領域１０２内の１つ以上の表面１０６の消毒に関する優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の領域１０２内の１つ以上の表面１０６に対して特定された１つ以上の消毒作用物１０８を使用することの１つ以上の消毒ユニット１１４に対する１つ以上の命令と関連する。いくつかの実施形態において、１つ以上の信号１１２は、１つ以上の記録ユニット１２０に対する１つ以上の命令と関連する。いくつかの実施形態において、１つ以上の信号１１２は、１つ以上の消毒作用物１０８が１つ以上の領域１０２内の１つ以上の表面１０６において以前に使用されてから経過している１つ以上の時間の長さと関連する。
【００９７】
動作７１０において、送信動作２２０は、１つ以上の領域１０２内の１つ以上の対象１０４に対して１つ以上の消毒作用物１０８を使用することの１つ以上の消毒ユニット１１４に対する１つ以上の命令と関連する１つ以上の信号１１２の送信を含み得る。いくつかの実施形態において、送信ユニット１１６は、１つ以上の領域１０２内の１つ以上の対象１０４に対して１つ以上の消毒作用物１０８を使用することの１つ以上の消毒ユニット１１４に対する１つ以上の命令と関連する１つ以上の信号１１２を送信できる。１つ以上の信号１１２は多種類の情報を含むことができる。いくつかの実施形態において、１つ以上の信号１１２は、１つ以上の領域１０２内の１つ以上の対象１０４に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２の１つ以上の地図に関連する。いくつかの実施形態において、１つ以上の信号１１２は、１つ以上の領域１０２の１つ以上の模型と関連する。いくつかの実施形態において、１つ以上の信号１１２は、１つ以上の消毒手順に従うことの１つ以上の消毒ユニット１１４に対する１つ以上の命令と関連する。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から得られる１つ以上の読み込みと関連する。いくつかの実施形態において、１つ以上の信号１１２は、１つ以上の領域１０２内に存在する１つ以上の物影にある領域の１つ以上の位置と関連する。いくつかの実施形態において、１つ以上の信号１１２は、固定式の１つ以上の検査ユニット１１０から１つ以上の消毒ユニット１１４に送信される。いくつかの実施形態において、１つ以上の信号１１２は、移動式の１つ以上の検査ユニット１１０から１つ以上の消毒ユニット１１４に送信される。いくつかの実施形態において、１つ以上の信号１１２は、１つ以上の領域１０２内の１つ以上の対象１０４の消毒に関する優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の領域１０２内の１つ以上の対象１０４と特定される１つ以上の消毒作用物１０８を使用することの１つ以上の消毒ユニット１１４に対する１つ以上の命令と関連する。いくつかの実施形態において、１つ以上の信号１１２は、１つ以上の記録ユニット１２０に対する１つ以上の命令と関連する。いくつかの実施形態において、１つ以上の信号１１２は、１つ以上の消毒作用物１０８が１つ以上の領域１０２内において以前に使用されてから経過している１つ以上の時間の長さと関連する。
【００９８】
図８は、図２の例示的な動作フロー２００の代替可能な実施形態を説明する。図８は、送信動作２２０が含み得る少なくとも１つの付加的な動作における実施形態の例を説明する。付加的な動作は、動作８０２、動作８０４、動作８０６、動作８０８および／または動作８１０を含み得る。
【００９９】
動作８０２において、送信動作２２０は、１つ以上の領域１０２内の１つ以上の対象に対する１つ以上の消毒作用物１０８の使用を回避することの１つ以上の消毒ユニット１１４に対する１つ以上の命令と関連する１つ以上の信号１１２の送信を含み得る。いくつかの実施形態において、１つ以上の送信ユニット１１６は、１つ以上の領域１０２内の１つ以上の対象１０４に対する１つ以上の消毒作用物１０８の使用を回避することの１つ以上の消毒ユニット１１４に対する１つ以上の命令と関連する１つ以上の信号１１２を送信できる。１つ以上の信号１１２は多種類の情報を含むことができる。いくつかの実施形態において、１つ以上の信号１１２は、１つ以上の領域１０２内の１つ以上の対象１０４に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２の１つ以上の地図と関連する。いくつかの実施形態において、１つ以上の信号１１２は、１つ以上の領域１０２の１つ以上の模型と関連する。いくつかの実施形態において、１つ以上の信号１１２は、１つ以上の消毒手順に従うことの１つ以上の消毒ユニット１１４に対する１つ以上の命令と関連され得る。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から取得された１つ以上の読み込みと関連する。いくつかの実施形態において、１つ以上の信号１１２は、１つ以上の領域１０２内に存在する１つ以上の物影にある領域の１つ以上の位置と関連する。いくつかの実施形態において、１つ以上の信号１１２は、固定式の１つ以上の検査ユニット１１０から１つ以上の消毒ユニット１１４に対して送信される。いくつかの実施形態において、１つ以上の信号１１２は、移動式の１つ以上の検査ユニット１１０から１つ以上の消毒ユニット１１４に対して送信される。いくつかの実施形態において、１つ以上の信号１１２は、１つ以上の領域１０２内の１つ以上の対象１０４の消毒に関する優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の領域１０２内の１つ以上の対象１０４に対して特定された１つ以上の消毒作用物１０８の使用を回避することの１つ以上の消毒ユニット１１４に対する１つ以上の命令と関連する。いくつかの実施形態において、１つ以上の信号１１２は１つ以上の記録ユニット１２０に対する命令と関連する。いくつかの実施形態において、１つ以上の信号１１２は、１つ以上の消毒作用物１０８が１つ以上の領域１０２内において以前に使用されてから経過している１つ以上の時間の長さと関連する。
【０１００】
動作８０４において、送信動作２２０は、１つ以上の領域１０２の地図と関連する１つ以上の信号１１２の送信を含み得る。いくつかの実施形態において、１つ以上の送信ユニット１１６は、１つ以上の領域１０２と関連する１つ以上の信号１１２を送信できる。いくつかの実施形態において、１つ以上の送信ユニット１１６は、１つ以上の領域１０２の寸法と関連する１つ以上の信号１１２を送信できる。いくつかの実施形態において、１つ以上の送信ユニット１１６は、１つ以上の領域１０２の中の１つ以上の表面１０６および／または１つ以上の対象１０４の１つ以上の位置と関連する１つ以上の信号１１２を送信できる。いくつかの実施形態において、１つ以上の送信ユニット１１６は、１つ以上の領域１０２の寸法ならびに１つ以上の領域１０２内の１つ以上の表面１０６および／または１つ以上の対象１０４の１つ以上の位置と関連する信号１１２を送信できる。いくつかの実施形態において、１つ以上の領域１０２の１つ以上の地図と関連する１つ以上の信号１１２は、１つ以上の消毒ユニット１１４に送信される。１つ以上の信号１１２は、多種類の情報を含むことができる。いくつかの実施形態において、１つ以上の信号１１２は、１つ以上の領域１０２に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２に対する１つ以上の消毒作用物１０８の使用を回避することの１つ以上の消毒ユニット１１４に対する命令を含むことができる。いくつかの実施形態において、１つ以上の信号１１２は、１つ以上の領域１０２内の１つ以上の表面１０６に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２内の１つ以上の表面１０６に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２内の１つ以上の対象１０４に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２内の１つ以上の対象１０４に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の消毒手順に従うことの１つ以上の消毒ユニット１１４に対する１つ以上の命令に関連する。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から取得された１つ以上の読み込みと関連する。いくつかの実施形態において、１つ以上の信号１１２は、１つ以上の領域１０２内に存在する１つ以上の物影にある領域の１つ以上の位置と関連する。いくつかの実施形態において、１つ以上の信号１１２は、固定式の１つ以上の検査ユニット１１０から１つ以上の消毒ユニット１１４に送信される。いくつかの実施形態において、１つ以上の信号１１２は、移動式の１つ以上の検査ユニット１１０から１つ以上の消毒ユニット１１４に送信される。いくつかの実施形態において、１つ以上の信号１１２は、１つ以上の領域１０２の消毒に関する優先順位の決定と関連する。いくつかの実施形態において、１つ以上の信号１１２は、１つ以上の領域１０２内の１つ以上の表面１０６の消毒に関する優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の消毒ユニット１１４が１つ以上の消毒作用物１０８を使用すべきである１つ以上の領域１０２の１つ以上の部分を示す１つ以上の命令と関連する。いくつかの実施形態において、１つ以上の信号１１２は、１つ以上の消毒ユニット１１０が１つ以上の消毒作用物１０８を使用すべきではない１つ以上の領域１０２の１つ以上の場所を示す命令と関連する。いくつかの実施形態において、１つ以上の信号１１２は、１つ以上の領域１０２に対して特定された１つ以上の消毒作用物１０８を使用することの１つ以上の消毒ユニット１１４に対する１つ以上の命令と関連する。いくつかの実施形態において、１つ以上の信号１１２は１つ以上の記録ユニット１２０に対する１つ以上の命令と関連する。いくつかの実施形態において、１つ以上の信号１１２は、１つ以上の消毒作用物１０８が１つ以上の領域１０２内に対して以前に使用されてから経過している１つ以上の時間の長さと関連する。
【０１０１】
動作８０６において、送信動作２２０は、１つ以上の領域の１つ以上の模型と関連する１つ以上の信号の送信を含み得る。いくつかの実施形態において、１つ以上の送信ユニット１１６は、１つ以上の領域１０２の１つ以上の模型と関連する１つ以上の信号１１２を送信できる。いくつかの実施形態において、１つ以上の送信ユニット１１６は、１つ以上の領域１０２の寸法と関連する１つ以上の信号１１２を送信できる。いくつかの実施形態において、１つ以上の送信ユニット１１６は、１つ以上の領域１０２の中の１つ以上の表面１０６および／または１つ以上の対象１０４の１つ以上の位置と関連する１つ以上の信号１１２を送信できる。いくつかの実施形態において、１つ以上の送信ユニット１１６は、１つ以上の領域１０２の寸法ならびに１つ以上の領域１０２内の１つ以上の表面１０６および／または１つ以上の対象１０４の１つ以上の位置と関連する信号１１２を送信できる。いくつかの実施形態において、１つ以上の領域１０２の１つ以上の地図と関連する１つ以上の信号１１２は、１つ以上の消毒ユニット１１４に送信される。１つ以上の信号１１２は多種類の情報を含むことができる。いくつかの実施形態において、１つ以上の信号１１２は、１つ以上の領域１０２に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２に対する１つ以上の消毒作用物１０８の使用を回避することの１つ以上の消毒ユニット１１４に対する命令を含むことができる。いくつかの実施形態において、１つ以上の信号１１２は、１つ以上の領域１０２内の１つ以上の表面１０６に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２内の１つ以上の表面１０６に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２内の１つ以上の対象１０４に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２内の１つ以上の対象１０４に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の消毒手順に従うことの１つ以上の消毒ユニット１１４に対する１つ以上の命令と関連する。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から取得された１つ以上の読み込みと関連する。いくつかの実施形態において、１つ以上の信号１１２は、１つ以上の領域１０２内に存在する１つ以上の物影にある領域の１つ以上の位置と関連する。いくつかの実施形態において、１つ以上の信号１１２は、固定式の１つ以上の検査ユニット１１０から１つ以上の消毒ユニット１１４に送信される。いくつかの実施形態において、１つ以上の信号１１２は、移動式の１つ以上の検査ユニット１１０から１つ以上の消毒ユニット１１４に送信される。いくつかの実施形態において、１つ以上の信号１１２は、１つ以上の領域１０２の消毒に関する優先順位の決定と関連する。いくつかの実施形態において、１つ以上の信号１１２は、１つ以上の領域１０２内の１つ以上の表面１０６の消毒に関する優先順位の決定と関連する。いくつかの実施形態において、１つ以上の信号１１２は、１つ以上の領域１０２内に存在するかまたは存在しない１人以上の人間と関連する。いくつかの実施形態において、１つ以上の信号１１２は、１つ以上の消毒ユニット１１４が１つ以上の消毒作用物１０８を使用すべきである１つ以上の領域１０２の１つ以上の部分を示す１つ以上の命令と関連する。いくつかの実施形態において、１つ以上の信号１１２は、１つ以上の消毒ユニット１１０が１つ以上の消毒作用物１０８を使用すべきではない１つ以上の領域１０２の１つ以上の場所を示す１つ以上の命令と関連する。いくつかの実施形態において、１つ以上の信号１１２は、１つ以上の領域１０２に対して特定された１つ以上の消毒作用物１０８を使用することの１つ以上の消毒ユニット１１４に対する１つ以上の命令と関連する。いくつかの実施形態において、１つ以上の信号１１２は、１つ以上の記録ユニット１２０に対する１つ以上の命令と関連する。いくつかの実施形態において、１つ以上の信号１１２は、１つ以上の消毒作用物１０８が１つ以上の領域１０２内において以前に使用されてから経過している１つ以上の時間の長さと関連する。
【０１０２】
動作８０８において、送信動作２２０は、１つ以上の消毒手順に従うことの１つ以上の消毒ユニット１１４に対する１つ以上の命令と関連する１つ以上の信号１１２の送信を含み得る。いくつかの実施形態において、１つ以上の送信ユニット１１６は、１つ以上の消毒手順に従うことの１つ以上の消毒ユニット１１４に対する１つ以上の命令と関連する１つ以上の信号１１２を送信できる。いくつかの実施形態において、１つ以上の消毒手順は、１つ以上の領域１０２に割り当てられ得る。いくつかの実施形態において、消毒手順は、１つ以上の領域１０２の中の相対的または絶対的な位置に応じて、１つ以上の領域１０２内に使用されるべきである緊急性、待ち時間、強度、および、消毒照射の時間総和強度を特定し得る。いくつかの実施形態において、消毒手順は、１つ以上の領域１０２に対して使用されるべきである１種類以上の消毒作用物１０８を特定し得る。いくつかの実施形態において、消毒手順は、１つ以上の領域１０２に使用すべきではない１種類以上の消毒作用物１０８を特定し得る。いくつかの実施形態において、消毒手順は、１つ以上の消毒作用物１０８が１つ以上の領域１０２に使用されるべきである頻度を特定し得る。いくつかの実施形態において、消毒手順は、１つ以上の領域１０２に使用されるべきである１種類以上の消毒作用物１０８の強度および／または濃度を特定し得る。いくつかの実施形態において、当該消毒手順は、１つ以上の領域１０２が患者の危険度が高いおよび／または感染性が高いと見込まれる領域に対する評価に応じて消毒されて、当該領域１０２が厳密および／または頻繁な消毒処理を受けることを確実にする強度の特定に使用され得る。いくつかの実施形態において、１つ以上の送信ユニット１１６は、１つ以上の消毒手順と関連する１つ以上の記録ユニット１２０、１つ以上のセンサユニット１１８、１つ以上の消毒ユニット１１４、およびこれらのあらゆる組み合わせに対して１つ以上の信号１１２を送信できる。いくつかの実施形態において、１つ以上の送信ユニット１１６は、１つ以上の領域１０２が最後に消毒されてから経過している時間の程度と関連する１つ以上の信号１１２を送信できる。いくつかの実施形態において、１つ以上の送信ユニット１１６は、１つ以上の領域１０２が、所定の時間の長さにおいて１つ以上の領域１０２の消毒を要求する１つ以上の手順に従う場合の決定と関連する１つ以上の信号１１２送信できる。
【０１０３】
動作８１０において、送信動作２２０は、１つ以上の領域１０２に割り当てられた１つ以上の消毒状態と関連する１つ以上の信号１１２の送信を含み得る。いくつかの実施形態において、１つ以上の送信ユニット１１６は、１つ以上の領域１０２に割り当てられた１つ以上の消毒状態と関連する１つ以上の信号１１２を送信できる。いくつかの実施形態において、１つ以上の領域１０２の消毒状態は、１つ以上の領域１０２に割り当てられた１つ以上の消毒度と関連し得る。いくつかの実施形態において、いくつかの領域１０２は、非常に高いレベルの消毒性が所望される場合に非常に高い消毒度に割り当てられ得る。非常に高いレベルの消毒性が所望され得る領域１０２の例としては、これらに限定されないが、病院の手術室、薬剤の包装施設、食品の包装施設、ヌードマウス施設、および病棟などが挙げられる。他の実施形態において、消毒のレベルが高くある必要がなくてもよい領域１０２は、より低い消毒度が割り当てられ得る。いくつかの実施形態において、１つ以上の領域１０２に割り当てられた１つ以上の消毒度は、消毒の時間、消毒の頻度、使用されるべきである消毒作用物１０８の種類、消毒の強度、複数の消毒作用物１０８の使用、１つ以上の領域１０２に割り当てられた危険度、１つ以上の領域１０２内に生じる汚染の種類、および１つ以上の領域１０２内における１人以上の患者の病状などの要素を含み得る。いくつかの実施形態において、１つ以上の送信ユニット１１６は、１つ以上の領域１０２が消毒される必要がある場合、または１つ以上の領域１０２が所望の消毒度を満たすか否かを示す１つ以上の領域の１つ以上の消毒状態と関連する１つ以上の信号１１２を送信できる。いくつかの実施形態において、１つ以上の送信ユニット１１６は、現在消毒されている１つ以上の領域１０２が次に消毒されるべきであるときの決定に関連する１つ以上の信号１１２を送信できる。いくつかの実施形態において、１つ以上の送信ユニット１１６は、１つ以上の消毒ユニット１１４が１つ以上の領域１０２を消毒すべきであるときの命令と関連する１つ以上の信号１１２を送信できる。いくつかの実施形態において、１つ以上の送信ユニット１１６は、１つ以上の領域１０２に割り当てられた１つ以上の消毒度が変化している場合、および１つ以上の領域１０２が１つ以上の新たに割り当てられた消毒度を満たすか否かの決定と関連する１つ以上の信号１１２を送信できる。
【０１０４】
図９は、図２の例示的な動作フロー２００の代替可能な実施形態を説明する。図９は、送信動作２２０が含み得る少なくとも１つの付加的な動作における実施形態の例を説明する。付加的な動作は、動作９０２、動作９０４、動作９０６、動作９０８および／または動作９１０を含み得る。
【０１０５】
動作９０２において、送信動作２２０は、１つ以上のセンサユニット１１８から取得された１つ以上の読み込みと関連する１つ以上の信号１１２の送信を含み得る。いくつかの実施形態において、１つ以上の送信ユニット１１６は、１つ以上のセンサユニット１１８から取得された１つ以上の読み込みと関連する１つ以上の信号１１２を送信できる。いくつかの実施形態において、１つ以上の送信ユニット１１６は、１つ以上のセンサユニット１１８から取得された１つ以上の読み込みと関連する１つ以上の信号１１２を、１つ以上の消毒ユニット１１４、１つ以上の検査ユニット１１０、１つ以上の記録ユニット１２０、および実質的にこれらのあらゆる組み合わせに送信できる。いくつかの実施形態において、１つ以上の送信ユニット１１６は、１つ以上の領域１０２が消毒された１つ以上の時間と関連する１つ以上の信号１１２を送信できる。いくつかの実施形態において、１つ以上の送信ユニット１１６は、１つ以上の領域１０２が頻度で消毒される頻度と関連する１つ以上の信号１１２を送信できる。いくつかの実施形態において、１つ以上の送信ユニット１１６は、１つ以上の領域１０２が消毒される強度と関連する１つ以上の信号１１２を送信できる。いくつかの実施形態において、１つ以上の送信ユニット１１６は、１つ以上の領域１０２内の１つ以上の表面１０６が消毒されているか否かと関連する１つ以上の信号１１２を送信できる。いくつかの実施形態において、１つ以上の送信ユニット１１６は、１つ以上の領域１０２内にて使用されている１種類以上の消毒作用物１０８と関連する１つ以上の信号１１２を送信できる。いくつかの実施形態において、１つ以上の送信ユニット１１６は、１つ以上の領域１０２内の１つ以上の表面１０６に対して使用された１種類以上の消毒作用物１０８と関連する、１つ以上の信号１１２を送信できる。いくつかの実施形態において、１つ以上の送信ユニット１１６は、１つ以上の領域１０２内の１つ以上の対象１０４に対して使用されている１種類以上の消毒作用物１０８と関連する、１つ以上の信号１１２を送信できる。いくつかの実施形態において、１つ以上の送信ユニット１１６は、１つ以上の領域１０２内の１つ以上の対象１０４および／または１つ以上の表面１０６に対して使用されている１種類以上の消毒作用物１０８と関連する、１つ以上の信号１１２を送信できる。
【０１０６】
動作９０４において、送信動作２２０は、１つ以上の領域１０２内に存在する１つ以上の物影にある領域の１つ以上の位置と関連する１つ以上の信号１１２の送信を含み得る。いくつかの実施形態において、１つ以上の送信ユニット１１６は、１つ以上の領域１０２内に存在する１つ以上のの物影にある領域の１つ以上の位置と関連する１つ以上の信号１１２を送信できる。いくつかの実施形態において、物影にある領域は、照射線を発する１つ以上の消毒ユニット１１４と１つ以上の物影にある領域との間に位置する１つ以上の対象１０４が１つ以上の物影にある領域の照射線による照射を妨害するときに生じ得る。いくつかの実施形態において、１つ以上の送信ユニット１１６は、１つ以上の物影にある領域に対する非消毒状態の割り当てと関連する１つ以上の信号１１２を送信できる。いくつかの実施形態において、１つ以上の送信ユニット１１６は、１つ以上の物影にある領域を消毒することの１つ以上の消毒ユニット１１４に対する命令と関連する１つ以上の信号１１２を送信できる。
【０１０７】
動作９０６において、送信動作２２０は、固定式の１つ以上の検査ユニット１１０から１つ以上の消毒ユニット１１４への１つ以上の信号１１２の送信を含み得る。いくつかの実施形態において、１つ以上の送信ユニット１１６は、固定式の１つ以上の検査ユニット１１０から１つ以上の消毒ユニット１１４に１つ以上の信号１１２を送信できる。１つ以上の信号１１２は多種類の情報を含むことができる。いくつかの実施形態において、１つ以上の信号１１２は、１つ以上の領域１０２に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２内の１つ以上の表面１０６に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２内の１つ以上の表面１０６に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２内の１つ以上の対象１０４に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２内の１つ以上の対象１０４に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２の１つ以上の地図と関連する。いくつかの実施形態において、１つ以上の信号１１２は１つ以上の領域１０２の模型と関連する。いくつかの実施形態において、１つ以上の信号１１２は、１つ以上の消毒手順に従うことの１つ以上の消毒ユニット１１４に対する１つ以上の命令に関連する。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から取得された１つ以上の読み込みと関連する。いくつかの実施形態において、１つ以上の信号１１２は、１つ以上の領域１０２内に存在する１つ以上の物影にある領域の１つ以上の位置と関連する。いくつかの実施形態において、１つ以上の信号１１２は、固定式の１つ以上の検査ユニット１１０から１つ以上の消毒ユニット１１４に送信される。いくつかの実施形態において、１つ以上の信号１１２は、移動式の１つ以上の検査ユニット１１０から１つ以上の消毒ユニット１１４に送信される。いくつかの実施形態において、１つ以上の信号１１２は、１つ以上の領域１０２の消毒に関する優先順位の決定と関連する。いくつかの実施形態において、１つ以上の信号１１２は、１つ以上の領域１０２内の１つ以上の表面１０６の消毒に関する優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の消毒ユニット１１４が１つ以上の消毒作用物１０８を使用すべきであるの１つ以上の領域１０２の１つ以上の部分を示す１つ以上の命令と関連する。いくつかの実施形態において、１つ以上の信号１１２は、１つ以上の消毒ユニット１１０が１つ以上の消毒作用物１０８を使用すべきではない１つ以上の領域１０２の１つ以上の部分を表す命令と関連する。いくつかの実施形態において、１つ以上の信号１１２は、１つ以上の領域１０２に対して特定された１つ以上の消毒作用物１０８を使用することの１つ以上の消毒ユニット１１４に対する１つ以上の命令と関連する。いくつかの実施形態において、１つ以上の信号１１２は１つ以上の記録ユニット１２０に対する１つ以上の命令と関連する。いくつかの実施形態において、１つ以上の信号１１２は、１つ以上の消毒作用物１０８が１つ以上の領域１０２内において以前に使用されてから経過している１つ以上の時間の長さと関連する。
【０１０８】
動作９０８において、送信動作２２０は、移動式の１つ以上の検査ユニット１１０から１つ以上の消毒ユニット１１４への１つ以上の信号１１２の送信を含み得る。いくつかの実施形態において、１つ以上の送信ユニット１１６は、移動式の１つ以上の検査ユニット１１０から１つ以上の消毒ユニット１１４に１つ以上の信号１１２を送信できる。１つ以上の信号１１２は、多種類の情報を含むことができる。いくつかの実施形態において、１つ以上の信号１１２は、１つ以上の領域１０２に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２内の１つ以上の表面１０６に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２内の１つ以上の表面１０６に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２内の１つ以上の対象１０４に対して１つ以上の消毒作用物１０８を使用することの１つ以上の消毒ユニット１１４に対する１つ以上の命令を含むことができる。いくつかの実施形態において、１つ以上の信号１１２は、１つ以上の領域１０２内の１つ以上の対象１０４に対する１つ以上の消毒作用物１０８の使用を回避することの１つ以上の消毒ユニット１１４に対する１つ以上の命令を含むことができる。いくつかの実施形態において、１つ以上の信号１１２は、１つ以上の領域１０２の１つ以上の地図と関連する。いくつかの実施形態において、１つ以上の信号１１２は１つ以上の領域１０２の模型と関連する。いくつかの実施形態において、１つ以上の信号１１２は、１つ以上の消毒手順に従うことの１つ以上の消毒ユニット１１４に対する１つ以上の命令と関連する。いくつかの実施形態において、１つ以上の信号１１２は、１つ以上の領域１０２に割り当てられた１つ以上の消毒状態と関連する。いくつかの実施形態において、１つ以上の信号１１２は、１つ以上のセンサユニット１１８から取得された１つ以上の読み込みと関連する。いくつかの実施形態において、１つ以上の信号１１２は、１つ以上の領域１０２内に存在する１つ以上の物影にある領域の１つ以上の位置と関連する。いくつかの実施形態において、１つ以上の信号１１２は、固定式の１つ以上の検査ユニット１１０から１つ以上の消毒ユニット１１４に送信される。いくつかの実施形態において、１つ以上の信号１１２は、移動式の１つ以上の検査ユニット１１０から１つ以上の消毒ユニット１１４に送信される。いくつかの実施形態において、１つ以上の信号１１２は、１つ以上の領域１０２の消毒に関する優先順位の決定と関連する。いくつかの実施形態において、１つ以上の信号１１２は、１つ以上の領域１０２内の１つ以上の表面１０６の消毒に関する優先順位の決定と関連する。いくつかの実施形態において、１つ以上の信号１１２は、１つ以上の領域１０２内に存在するかまたは不在である１人以上の人間と関連する。いくつかの実施形態において、１つ以上の信号１１２は、１つ以上の消毒ユニット１１４が１つ以上の消毒作用物１０８を使用すべきである１つ以上の領域１０２の１つ以上の部分を示す１つ以上の命令と関連する。いくつかの実施形態において、１つ以上の信号１１２は、１つ以上の消毒ユニット１１０が１つ以上の消毒作用物１０８を使用すべきではない１つ以上の領域１０２の１つ以上の部分を表す１つ以上の命令と関連する。いくつかの実施形態において、１つ以上の信号１１２は、１つ以上の領域１０２に対して特定された１つ以上の消毒作用物１０８を使用することの１つ以上の消毒ユニット１１４に対する１つ以上の命令と関連する。いくつかの実施形態において、１つ以上の信号１１２は１つ以上の記録ユニット１２０に対する１つ以上の命令と関連する。いくつかの実施形態において、１つ以上の信号１１２は、１つ以上の消毒作用物１０８が１つ以上の領域１０２内において以前に使用されてから経過している１つ以上の時間の長さと関連する。
【０１０９】
動作９１０において、送信動作２２０は、１つ以上の領域１０２の消毒に関する優先順位の決定と関連する１つ以上の信号１１２の送信を含み得る。いくつかの実施形態において、１つ以上の送信ユニット１１６は、１つ以上の領域１０２の消毒に関する優先順位の決定と関連する１つ以上の信号１１２を送信できる。いくつかの実施形態において、１つ以上の送信ユニット１１６は、１つ以上の領域１０２の消毒の必要性と関連する１つ以上の信号１１２を送信できる。例えば、手術室は、当該手術室内において行なわれる緊急外科手術の存在に起因して、他の領域１０２より前に消毒され得る。いくつかの実施形態において、１つ以上の送信ユニット１１６は１つ以上の領域１０２内における高い感染性の菌の存在と関連する１つ以上の信号１１２を送信できる。例えば、病院の診察室は、天然痘に感染している患者の当該診察室内における存在に起因して、他の領域１０２より前に消毒され得る。いくつかの実施形態において、１つ以上の送信ユニット１１６は、消毒手順に対する適合性と関連する１つ以上の信号１１２を送信できる。
【０１１０】
図１０は、図２の例示的な動作フロー２００の代替可能な実施形態を説明する。図１０は、送信動作２２０が少なくも１つの付加的な動作を包含し得る場合の例示的な実施形態を説明する。付加的な動作は、動作１００２、動作１００４、動作１００６、動作１００８および／または動作１０１０を包含し得る。
【０１１１】
動作１００２において、送信動作２２０は、消毒に関する１つ以上の領域１０２内における１つ以上の表面１０６に対する優先順位の決定と関連する１つ以上の信号１１２の送信を包含し得る。いくつかの実施形態において、１つ以上の送信ユニット１１６は、消毒に関する１つ以上の領域１０２内における１つ以上の表面１０６に対する優先順位の決定と関連する１つ以上の信号１１２を送信できる。いくつかの実施形態において、１つ以上の送信ユニット１１６は、１つ以上の領域１０２内における１つ以上の表面１０６の消毒に関する必要性と関連する１つ以上の信号１１２を送信できる。例えば、手術室内の表面１０６は、手術室内においてなされる緊急手術の存在に起因して、他の領域１０２よりも前に消毒され得る。いくつかの実施形態において、１つ以上の送信ユニット１１６は、１つ以上の領域１０２内における１つ以上の表面１０６内、または表面１０６上における１つ以上の高い感染性を有する菌の存在と関連する１つ以上の信号１１２を送信できる。例えば、病院における診察室内の１つ以上の表面１０６は、診察室内における天然痘に感染している患者の存在に起因して、他の領域１０２よりも前に消毒され得る。いくつかの実施形態において、１つ以上の送信ユニット１１６は、消毒手順との適合性と関連する１つ以上の信号１１２を送信できる。
【０１１２】
動作１００４において、送信動作２２０ｇは、１つ以上の領域１０２内に存在するかまたは不在である１人以上の人間と関連する１つ以上の信号１１２の送信を包含し得る。いくつかの実施形態において、１つ以上の送信ユニット１１６は、１つ以上の領域１０２内に存在するかまたは不在である１人以上の人間と関連する１つ以上の信号１１２を送信できる。いくつかの実施形態において、１つ以上の送信ユニット１１６は、１人以上の人間がさらされている紫外線といった照射線（ｒａｄｉａｔｉｏｎ）の量と関連する１つ以上の信号１１２を送信できる。いくつかの実施形態において、１つ以上の送信ユニット１１６は、１人以上の当該人間に対する照射線の反射を介して１人以上の人間がされされている紫外線といった照射線の量と関連する１つ以上の信号１１２を送信し得る。当該人間の例としては、入院患者、歯科患者、看護士、医師、薬剤関連の労働者、食品関連の労働者、および輸送関連の労働者などが挙げられるが、これらに限定されない。いくつかの実施形態において、１つ以上の送信ユニット１１６は、１人以上の人間に存在する１つ以上の表面１０６に入射する光の量と関連する１つ以上の信号１１２を送信できる。当該表面としては、開放創、目、および肌などが挙げられるが、これらに限定されない。
【０１１３】
動作１００６において、送信動作２２０は、１つ以上の消毒ユニット１１４が１つ以上の消毒作用物１０８を使用すべきである１つ以上の領域１０２の１つ以上の部分を示す１つ以上の命令と関連する１つ以上の信号１１２の送信を包含し得る。いくつかの実施形態において、１つ以上の送信ユニット１１６は、１つ以上の消毒ユニット１１４が１つ以上の消毒作用物１０８を使用すべきである１つ以上の１つ以上の領域１０２の１つ以上の部分を示す１つ以上の命令と関連する１つ以上の信号１１２を送信できる。いくつかの実施形態において、１つ以上の消毒作用物１０８は、１つ以上の領域１０２の１つ以上の部分に使用され得る。いくつかの実施形態において、第１種の消毒作用物１０８は、１つ以上の領域１０２の１つ以上の第１の部分に使用され、かつ第２種の消毒作用物１０８は、１つ以上の領域１０２の１つ以上の第２の部分に使用される。従って、異なる種類の消毒作用物１０８は、１つ以上の領域１０２の異なる部分に使用され得る。いくつかの実施形態において、作用は、１つ以上の領域１０２の１つ以上の部分内に高い感染性の菌を伴うおよび／または高い度合いの汚染を生じる１つ以上の領域１０２の１つ以上の部分内に導入され得る。従って、１つ以上の消毒作用物１０８は、高い感染性の菌または高い度合いの汚染にさらされない１つ以上の領域１０２の他の部分よりも高い頻度に、１つ以上の領域１０２のこれらの１つ以上の部分に対してさらされ得る。例えば、１つ以上の消毒作用物１０８は、研究室１０２内の１つ以上のデスクよりも高い頻度に、研究室内の１つ以上のベンチ作業台に対して使用され得る。
【０１１４】
動作１００８において送信動作２２０は、１つ以上の消毒ユニット１１４が１つ以上の消毒作用物１０８を使用すべきではない１つ以上の領域１０２の１つ以上の部分を示す１つ以上の命令と関連する１つ以上の信号１１２の送信を包含し得る。いくつかの実施形態において、１つ以上の送信ユニット１１６は、１つ以上の消毒ユニット１１４が１つ以上の消毒作用物１０８を使用すべきではない１つ以上の１つ以上の領域１０２の１つ以上の部分を示す１つ以上の命令と関連する１つ以上の信号１１２を送信できる。いくつかの実施形態において、１つ以上の消毒作用物１０８は、１つ以上の領域１０２の１つ以上の部分に対して使用されない。例えば、いくつかの実施形態において、１つ以上の消毒作用物１０８は、研究室試料が培養されている１つ以上の領域１０２の１つ以上の部分に対して使用されない。当該領域の例は、病院の研究室、研究所、および組織培養研究室などに見られ得る。いくつかの実施形態において、１種類以上の消毒作用物１０８は、１つ以上の領域１０２の１つ以上の第１部分に使用されないが、他の種類の消毒作用物１０８は、１つ以上の当該領域１０２の１つ以上の当該第１部分に使用され得る。例えば、いくつかの実施形態において、１つ以上の領域１０２の１つ以上の部分を損なう１つ以上の消毒作用物１０８は、１つ以上の当該領域１０２の１つ以上の当該部分に使用されない。
【０１１５】
動作１０１０において、送信動作２２０は、１つ以上の領域１０２に対して特定された１つ以上の消毒作用物１０８を使用することの１つ以上の消毒ユニット１１４に対する１つ以上の命令と関連する１つ以上の信号１１２の送信を包含し得る。いくつかの実施形態において、１つ以上の送信ユニット１１６は、１つ以上の領域１０２に対して特定された１つ以上の消毒作用物１０８を使用することの１つ以上の消毒ユニット１１４に対する１つ以上の命令と関連する１つ以上の信号１１２を送信できる。いくつかの実施形態において、１つ以上の領域１０２は、他の消毒作用物１０８と比べて１種類以上の消毒作用物１０８を使用して好ましく処理される１種類以上の汚染を含み得る。従って、いくつかの実施形態において、特定される１種類以上の消毒作用物１０８は、１つ以上の消毒作用物１０８が使用されるべきである１つ以上の汚染の特定に基づいて１つ以上の領域１０２内における使用にふさわしく選択される。いくつかの実施形態において、特定される１種類以上の消毒作用物１０８は、１つ以上の領域１０２の特性、１つ以上の領域１０２内における１つ以上の対象１０４の特性、および１つ以上の領域１０２内における１つ以上の表面１０６の特性に基づいて１つ以上の領域１０２内における使用にふさわしく選択される。例えば、いくつかの実施形態において、１つ以上の領域１０２に有害ではない特定される１つ以上の消毒作用物１０８が、選択される。例えば、いくつかの実施形態において、１つ以上の消毒作用物１０８が使用される１つ以上の領域１０２内における対象１０４を溶かさない１つ以上の消毒作用物１０８が、選択される。いくつかの実施形態において、１つ以上の領域１０２の消毒においてより高い有効性を有する特定される１つ以上の消毒作用物１０８が、選択される。例えば、エチレンオキシドといったガスである消毒作用物１０８が、１つ以上の穴の多い領域１０２に使用され得る。
【０１１６】
図１１は、図２の例示的な動作フロー２００の代替可能な実施形態を説明する。図１１は、送信動作２２０が少なくとも１つの付加的な動作を包含し得る場合の例示的な実施形態を説明する。付加的な動作は、動作１１０２および／または動作１１０４を包含し得る。
【０１１７】
動作１１０２において、送信動作２２０は、１つ以上の記録ユニット１２０に対する１つ以上の命令と関連する１つ以上の信号１１２の送信を包含し得る。いくつかの実施形態において、１つ以上の送信ユニット１１６は、１つ以上の記録ユニット１２０に対する１つ以上の命令と関連する１つ以上の信号１１２を送信できる。いくつかの実施形態において、１つ以上の送信ユニット１１６は、１つ以上の領域１０２に割り当てられた１つ以上の消毒手順と関連する１つ以上の信号１１２を送信できる。いくつかの実施形態において、１つ以上の送信ユニット１１６は、１つ以上の領域１０２が消毒されたおよび／または消毒されるべきである１つ以上の時点と関連する１つ以上の信号１１２を送信できる。いくつかの実施形態において、１つ以上の送信ユニット１１６は、１つ以上の領域１０２に使用されたおよび／または使用されるべきである１つ以上の消毒作用物１０８の特定と関連する１つ以上の信号１１２を送信できる。いくつかの実施形態において、１つ以上の送信ユニット１１６は、１つ以上の領域１０２が消毒されたおよび／または消毒されるべきである強度と関連する１つ以上の信号１１２を送信できる。いくつかの実施形態において、１つ以上の送信ユニット１１６は、１つ以上の領域１０２が消毒されたおよび／または消毒されるべきである頻度と関連する信号１１２を送信できる。
【０１１８】
動作１１０４において、送信動作２２０は、１つ以上の消毒作用物１０８が１つ以上の領域１０２内に対して以前に使用されてから経過している時間の長さと関連する消毒ユニット１１４に対する１つ以上の信号１１２の送信を包含し得る。いくつかの実施形態において、１つ以上の送信ユニット１１６は、消毒作用物１０８が領域１０２内に対して以前に使用されてから経過している時間の長さと関連する１つ以上の信号１１２を送信できる。いくつかの実施形態において、１つ以上の消毒作用物１０８が領域１０２に対して以前に使用されてから経過している時間の長さと関連する１つ以上の信号１１２は、１つ以上の領域１０２が１つ以上の当該領域１０２に対して割り当てられた１つ以上の消毒手順に従うことを表すことができる。いくつかの実施形態において、１つ以上の消毒作用物１０８が領域１０２に対して以前に使用されてから経過している時間の長さと関連する１つ以上の信号１１２は、１つ以上の領域１０２が１つ以上の当該領域１０２に対して割り当てられた１つ以上の消毒手順と従わないことを表すことができる。いくつかの実施形態において、１つ以上の消毒作用物１０８が領域１０２に対して以前に使用されてから経過している時間の長さと関連する１つ以上の信号１１２は、１つ以上の領域１０２に対して使用されるべきである１つ以上の消毒作用物１０８を表すことができる。いくつかの実施形態において、１つ以上の消毒作用物１０８が領域１０２に対して以前に使用されてから経過している時間の長さと関連する１つ以上の信号１１２は、１つ以上の領域１０２に対して使用されるべきではない１つ以上の消毒作用物１０８を表すことができる。いくつかの実施形態において、１つ以上の消毒作用物１０８が領域１０２に対して以前に使用されてから経過している時間の長さと関連する１つ以上の信号１１２は、１つ以上の消毒作用物１０８が１つ以上の領域１０２に対して使用されるべきであるときを表すことができる。いくつかの実施形態において、１つ以上の消毒作用物１０８が領域１０２に対して以前に使用されてから経過している時間の長さと関連する１つ以上の信号１１２は、どんな種類のまたは複数のどんな種類の消毒作用物１０８が領域１０２対して使用されるべきであるかを表すことができる。いくつかの実施形態において、１つ以上の消毒作用物１０８が領域１０２に対して以前に使用されてから経過している時間の長さと関連する１つ以上の信号１１２は、どんな種類のまたは複数のどんな種類の消毒作用物１０８が領域１０２対して使用されるべきではないかを表すことができる。
【０１１９】
図１２は、消毒方法の実施に関する動作の例を表す動作フロー１２００を説明する。図１２および消毒方法の実施の間に使用される動作の種々の例を含む以下の図面において、議論および説明は、上述の図１の例に関して、および／または他の例および状況とに関して与えられ得る。しかし、動作が、多くの他の環境および状況、および／または図１の修正版において実施され得ることは、理解されるべきである。また、種々の動作が説明された順番に表されているが、種々の動作が例証される順番とは異なる順番に実施され得るか、または同時に実施され得ることは、理解されるべきである。
【０１２０】
開始動作の後に、動作フロー１２００は、１つ以上の検査ユニット１１０と関連する１つ以上の信号の受信に関する動作１２１０を包含する。いくつかの実施形態において、１つ以上の消毒ユニット１１４は、１つ以上の検査ユニット１１０と関連する１つ以上の信号１１２を受信する。いくつかの実施形態において、１つの消毒ユニット１１４は、１つの検査ユニット１１０と関連する１つの信号１１２を受信する。いくつかの実施形態において、１つの消毒ユニット１１４は、１つの検査ユニット１１０と関連する１つ以上の信号１１２を受信する。いくつかの実施形態において、１つの消毒ユニット１１４は、１つ以上の検査ユニット１１０と関連する１つの信号１１２を受信する。いくつかの実施形態において、１つの消毒ユニット１１４は、１つの検査ユニット１１０と関連する１つ以上の信号１１２を受信する。いくつかの実施形態において、１つの消毒ユニット１１４は、１つ以上の検査ユニット１１０と関連する１つ以上の信号１１２を受信する。いくつかの実施形態において、１つ以上の消毒ユニット１１４は、１つの検査ユニット１１０と関連する１つの信号１１２を受信する。いくつかの実施形態において、１つ以上の消毒ユニット１１４は、１つの検査ユニット１１０と関連する１つ以上の信号１１２を受信する。１つ以上の消毒ユニット１１４は、１つ以上の検査ユニット１１０と関連する１つの信号１１２受信する。
【０１２１】
また、動作フロー１２００は、１つ以上の検査ユニット１１０と関連する１つ以上の信号の受信に応じた１つ以上の領域に対する１つ以上の消毒作用物の使用に関する使用動作１２２０を包含する。いくつかの実施形態において、１つ以上の消毒ユニット１１４は、１つ以上の検査ユニット１１０と関連する１つ以上の信号１１２の受信に応じて１つ以上の領域１０２に対して１つ以上の消毒作用物１０８を使用する。いくつかの実施形態において、１つの消毒ユニット１１４は、１つの検査ユニット１１０と関連する１つの信号１１２の受信に応じて１つの領域１０２に対して１つの消毒作用物１０８を使用する。いくつかの実施形態において、１つ以上の消毒ユニット１１４は、１つの検査ユニット１１０と関連する１つの信号１１２の受信に応じて１つの領域１０２に対して１つの消毒作用物１０８を使用する。いくつかの実施形態において、１つ以上の消毒ユニット１１４は、１つの検査ユニット１１０と関連する１つの信号１１２の受信に応じて１つの領域１０２に対して１つ以上の消毒作用物１０８を使用する。いくつかの実施形態において、１つ以上の消毒ユニット１１４は、１つの検査ユニット１１０と関連する１つ以上の信号１１２の受信に応じて１つ以上の領域１０２に対して１つ以上の消毒作用物１０８を使用する。いくつかの実施形態において、１つの消毒ユニット１１４は、１つ以上の検査ユニット１１０と関連する１つ以上の信号１１２の受信に応じて１つ以上の領域１０２に対して１つ以上の消毒作用物１０８を使用する。いくつかの実施形態において、１つ以上の消毒ユニット１１４は、１つ以上の検査ユニット１１０と関連する１つ以上の信号１１２の受信に応じて１つ以上の領域１０２に対して１つの消毒作用物１０８を使用する。いくつかの実施形態において、１つ以上の消毒ユニット１１４は、１つ以上の検査ユニット１１０と関連する１つ以上の信号１１２の受信に応じて１つの領域１０２に対して１つ以上の消毒作用物１０８を使用する。いくつかの実施形態において、１つ以上の消毒ユニット１１４は、１つ以上の検査ユニット１１０と関連する１つの信号１１２の受信に応じて１つ以上の領域１０２に対して１つ以上の消毒作用物１０８を使用する。
【０１２２】
図１３は、図１２の例示的な動作フロー１２００の代替可能な実施形態を説明する。図１３は、受信動作１２１０が付加的な動作を包含し得る場合の例示的な実施形態を説明する。付加的な動作は、動作１３０２、動作１３０４、動作１３０６、動作１３０８、および／または動作１３１０を包含し得る。
【０１２３】
動作１３０２において、受信動作１２１０は、１つ以上の領域１０２に対して１つ以上の消毒作用物１０８を使用することの１つ以上の命令と関連する１つ以上の信号１１２の受信を包含し得る。いくつかの実施形態において、１つ以上の消毒ユニット１１４は、１つ以上の領域１０２に対して１つ以上の消毒作用物１０８を使用することの１つ以上の命令と関連する１つ以上の信号１１２を受信する。いくつかの実施形態において、１つ以上の消毒ユニット１１４は、１つ以上の領域１０２の１つ以上の地図と関連する１つ以上の信号１１２を受信する。いくつかの実施形態において、１つ以上の消毒ユニット１１４は、１つ以上の領域１０２の１つ以上の模型と関連する１つ以上の信号１１２を受信する。いくつかの実施形態において、１つ以上の消毒ユニット１１４は、１つ以上の消毒ユニット１１４に対する１つ以上の消毒手順に従うことの１つ以上の命令と関連する１つ以上の信号１１２を受信する。いくつかの実施形態において、１つ以上の消毒ユニット１１４は、１つ以上の領域１０２に割り当てられた１つ以上の消毒状態と関連する１つ以上の信号１１２を受信する。いくつかの実施形態において、１つ以上の消毒ユニット１１４は、１つ以上のセンサユニット１１８から取得された１つ以上の読み込みと関連する１つ以上の信号１１２を受信する。いくつかの実施形態において、１つ以上の消毒ユニット１１４は、１つ以上の領域１０２に存在する１つ以上の物陰にある領域の１つ以上の位置と関連する１つ以上の信号１１２を受信する。いくつかの実施形態において、１つ以上の消毒ユニット１１４は、固定式の１つ以上の検査ユニット１１０と関連する１つ以上の信号１１２を受信する。いくつかの実施形態において、１つ以上の消毒ユニット１１４は、移動式の１つ以上の検査ユニット１１０と関連する１つ以上の信号１１２を受信する。いくつかの実施形態において、１つ以上の消毒ユニット１１４は、消毒に関する１つ以上の領域１０２に対する優先順位の決定と関連する１つ以上の信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の領域１０２に対して特定された１つ以上の消毒作用物１０８を使用することの１つ以上の消毒ユニット１１４に対する１つ以上の命令と関連する１つ以上の信号１１２を受信する。いくつかの実施形態において、１つ以上の消毒ユニット１１４は、１つ以上の消毒作用物１０８が１つ以上の領域１０２内に対して以前に使用されてから経過している１つ以上の時間の長さと関連する１つ以上の信号１１２を受信する。
【０１２４】
動作１３０４において、受信動作１２１０は、１つ以上の領域１０２に対する１つ以上の消毒作用物１０８の使用を避けることの１つ以上の命令と関連する信号１１２の受信を包含し得る。いくつかの実施形態において、１つ以上の消毒ユニット１１４は、１つ以上の領域１０２に対する１つ以上の消毒作用物１０８の使用を避けることの１つ以上の命令と関連する１つ以上の信号１１２を受信する。当該信号１１２は、多種類の情報を包含し得る。いくつかの実施形態において、１つ以上の消毒ユニット１１４は、１つ以上の領域１０２に対する１つ以上の消毒作用物１０８の使用を回避することの１つ以上の１つ以上の消毒ユニット１１４に対する１つ以上の命令を包含できる信号１１２を受信する。いくつかの実施形態において、１つ以上の消毒ユニット１１４は、１つ以上の領域１０２の１つ以上の地図と関連する１つ以上の信号１１２を受信する。いくつかの実施形態において、１つ以上の消毒ユニット１１４は、１つ以上の領域１０２の１つ以上の模型と関連する１つ以上の信号１１２を受信する。いくつかの実施形態において、１つ以上の消毒ユニット１１４は、１つ以上の消毒ユニット１１４に対する１つ以上の消毒手順に従うことの１つ以上の命令と関連する１つ以上の信号１１２を受信する。いくつかの実施形態において、１つ以上の消毒ユニット１１４は、１つ以上の領域１０２に割り当てられた１つ以上の消毒状態と関連する１つ以上の信号１１２を受信する。いくつかの実施形態において、１つ以上の消毒ユニット１１４は、１つ以上のセンサユニット１１８から取得された１つ以上の読み込みと関連する１つ以上の信号１１２を受信する。いくつかの実施形態において、１つ以上の消毒ユニット１１４は、領域１０２内に存在する１つ以上の物陰にある領域の１つ以上の位置と関連する１つ以上の１つ以上の信号１１２を受信する。いくつかの実施形態において、１つ以上の消毒ユニット１１４は、固定式の１つ以上の検査ユニット１１０と関連する１つ以上の信号１１２を受信する。いくつかの実施形態において、１つ以上の消毒ユニット１１４は、移動式の１つ以上の検査ユニット１１０と関連する１つ以上の信号１１２を受信する。いくつかの実施形態において、１つ以上の消毒ユニット１１４は、消毒に関する１つ以上の領域１０２に対する優先順位の決定と関連する１つ以上の信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の消毒ユニット１１４が１つ以上の消毒作用物１０８を使用すべきではない１つ以上の領域１０２の１つ以上の部分を示す１つ以上の命令と関連する１つ以上の信号１１２を受信する。いくつかの実施形態において、１つ以上の消毒ユニット１１４は、１つ以上の消毒作用物１０８が１つ以上の領域１０２内に対して以前に使用されてから経過している１つ以上の時間の長さと関連する１つ以上の信号１１２を受信する。
【０１２５】
動作１３０６において、受信動作１２１０は、１つ以上の領域１０２内における１つ以上の表面１０６に対して１つ以上の消毒作用物１０８を使用することの１つ以上の命令と関連する１つ以上の信号１１２の受信を包含し得る。いくつかの実施形態において、１つ以上の消毒ユニット１１４は、１つ以上の領域１０２内における１つ以上の表面１０６に対して１つ以上の消毒作用物１０８を使用することの１つ以上の命令と関連する１つ以上の信号１１２を受信する。当該１つ以上の信号１１２は、多種類の情報を包含し得る。いくつかの実施形態において、１つ以上の消毒ユニット１１４は、１つ以上の領域１０２内における１つ以上の表面１０６に対して１つ以上の消毒作用物１０８を使用することの１つ以上の消毒ユニット１１４に対する１つ以上の命令を包含できる信号１１２を受信する。いくつかの実施形態において、１つ以上の消毒ユニット１１４は、１つ以上の領域１０２の１つ以上の地図と関連する１つ以上の信号１１２を受信する。いくつかの実施形態において、１つ以上の消毒ユニット１１４は、１つ以上の領域１０２の１つ以上の模型と関連する１つ以上の信号１１２を受信する。いくつかの実施形態において、１つ以上の消毒ユニット１１４は、１つ以上の消毒手順に従うことの１つ以上の消毒ユニット１１４に対する１つ以上の命令と関連する１つ以上の信号１１２を受信する。いくつかの実施形態において、１つ以上の消毒ユニット１１４は、１つ以上の領域１０２に割り当てられた１つ以上の消毒状態と関連する１つ以上の信号１１２を受信する。いくつかの実施形態において、１つ以上の消毒ユニット１１４は、１つ以上のセンサユニット１１８から取得された１つ以上の読み込みと関連する１つ以上の信号１１２を受信する。いくつかの実施形態において、１つ以上の消毒ユニット１１４は、１つ以上の領域１０２内に存在する１つ以上の物陰にある領域の１つ以上の位置と関連する１つ以上の信号１１２を受信する。いくつかの実施形態において、１つ以上の消毒ユニット１１４は、固定式の１つ以上の検査ユニット１１０と関連する１つ以上の信号１１２を受信する。いくつかの実施形態において、１つ以上の消毒ユニット１１４は、移動式の１つ以上の検査ユニット１１０と関連する１つ以上の信号１１２を受信する。いくつかの実施形態において、１つ以上の消毒ユニット１１４は、１つ以上の消毒に関する１つ以上の領域１０２内における１つ以上の表面１０６に対する優先順位の決定と関連する信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の領域１０２内における１つ以上の表面１０６に対して特定された１つ以上の消毒作用物１０８を使用することの１つ以上の消毒ユニット１１４に対する１つ以上の命令と関連する１つ以上の信号１１２を受信する。いくつかの実施形態において、１つ以上の消毒ユニット１１４は、１つ以上の消毒作用物１０８が１つ以上の領域１０２内における１つ以上の表面１０６に対して以前に使用されてから経過している１つ以上の時間の長さと関連する１つ以上の信号１１２を受信する。
【０１２６】
動作１３０８において、受信動作１２１０は、１つ以上の領域１０２内における１つ以上の表面１０６に対する１つ以上の消毒作用物１０８の使用を回避することの１つ以上の命令と関連する１つ以上の信号１１２の受信を包含し得る。いくつかの実施形態において、１つ以上の消毒ユニット１１４は、１つ以上の領域１０２内における１つ以上の表面１０６に対する１つ以上の消毒作用物１０８の使用を回避することの１つ以上の命令と関連する１つ以上の信号１１２を受信する。当該１つ以上の信号１１２は、多種類の情報を包含し得る。いくつかの実施形態において、１つ以上の消毒ユニット１１４は、１つ以上の領域１０２内における１つ以上の表面１０６に対する１つ以上の消毒作用物１０８の使用を回避することの１つ以上の消毒ユニット１１４に対する１つ以上の命令を包含できる１つ以上の信号１１２を受信する。いくつかの実施形態において、１つ以上の消毒ユニット１１４は、１つ以上の領域１０２の１つ以上の地図と関連する１つ以上の信号１１２を受信する。いくつかの実施形態において、１つ以上の消毒ユニット１１４は、１つ以上の領域１０２の１つ以上の模型と関連する１つ以上の信号１１２を受信する。いくつかの実施形態において、１つ以上の消毒ユニット１１４は、１つ以上の消毒手順に従うことの１つ以上の消毒ユニット１１４に対する１つ以上の命令と関連する１つ以上の信号１１２を受信する。いくつかの実施形態において、１つ以上の消毒ユニット１１４は、１つ以上の領域１０２内における１つ以上の表面１０６に割り当てられた１つ以上の消毒状態と関連する１つ以上の信号１１２を受信する。いくつかの実施形態において、１つ以上の消毒ユニット１１４は、１つ以上のセンサユニット１１８から取得された１つ以上の読み込みと関連する１つ以上の信号１１２を受信する。いくつかの実施形態において、１つ以上の消毒ユニット１１４は、１つ以上の領域１０２内に存在する１つ以上の物陰にある領域の１つ以上の位置と関連する１つ以上の信号１１２を受信する。いくつかの実施形態において、１つ以上の消毒ユニット１１４は、固定式の１つ以上の検査ユニット１１０と関連する１つ以上の信号１１２を受信する。いくつかの実施形態において、１つ以上の消毒ユニット１１４は、移動式の１つ以上の検査ユニット１１０と関連する１つ以上の信号１１２を受信する。いくつかの実施形態において、１つ以上の消毒ユニット１１４は、消毒に関する１つ以上の領域１０２内の１つ以上の表面１０６に対する優先順位の決定と関連する１つ以上の信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の領域１０２内における１つ以上の表面１０６に対して特定された１つ以上の消毒作用物１０８を使用することの１つ以上の消毒ユニット１１４に対する１つ以上の命令と関連する１つ以上の信号１１２を受信する。いくつかの実施形態において、１つ以上の消毒ユニット１１４は、１つ以上の消毒作用物１０８が１つ以上の領域１０２内における１つ以上の表面１０６に対して以前に使用されてから経過している１つ以上の時間の長さと関連する１つ以上の信号１１２を受信する。
【０１２７】
動作１３１０において、受信動作１２１０は、１つ以上の領域１０２内における１つ以上の対象１０４に対して１つ以上の消毒作用物１０８を使用すること１つ以上の１つ以上のの命令と関連する１つ以上の信号１１２の受信を包含し得る。いくつかの実施形態において、１つ以上の消毒ユニット１１４は、１つ以上の領域１０２内における１つ以上の対象１０４に対して１つ以上の消毒作用物１０８を使用することの１つ以上の命令と関連する１つ以上の信号１１２を受信する。当該１つ以上の信号１１２は、多種類の情報を包含し得る。いくつかの実施形態において、１つ以上の消毒ユニット１１４は、１つ以上の領域１０２内における１つ以上の対象１０４に対して１つ以上の消毒作用物１０８を使用することの１つ以上の消毒ユニット１１４に対する１つ以上の命令と関連する１つ以上の信号１１２を受信する。いくつかの実施形態において、１つ以上の消毒ユニット１１４は、１つ以上の領域１０２の１つ以上の地図と関連する１つ以上の信号１１２を受信する。いくつかの実施形態において、１つ以上の消毒ユニット１１４は、１つ以上の領域１０２の１つ以上の模型と関連する１つ以上の信号１１２を受信する。いくつかの実施形態において、１つ以上の消毒ユニット１１４は、１つ以上の消毒手順に従うことの１つ以上の消毒ユニット１１４に対する１つ以上の命令と関連する１つ以上の信号１１２を受信する。いくつかの実施形態において、１つ以上の消毒ユニット１１４は、１つ以上の領域１０２に割り当てられた１つ以上の消毒状態と関連する１つ以上の信号１１２を受信する。いくつかの実施形態において、１つ以上の消毒ユニット１１４は、１つ以上のセンサユニット１１８から取得された１つ以上の読み込みと関連する１つ以上の信号１１２を受信する。いくつかの実施形態において、１つ以上の消毒ユニット１１４は、１つ以上の領域１０２内に存在する１つ以上の物陰にある領域の１つ以上の位置と関連する１つ以上の信号１１２を受信する。いくつかの実施形態において、１つ以上の消毒ユニット１１４は、固定式の１つ以上の検査ユニット１１０と関連する１つ以上の信号１１２を受信する。いくつかの実施形態において、１つ以上の消毒ユニット１１４は、移動式の１つ以上の検査ユニット１１０と関連する１つ以上の信号１１２を受信する。いくつかの実施形態において、１つ以上の消毒ユニット１１４は、消毒に関する１つ以上の領域１０２内における１つ以上の対象１０４に対する優先順位の決定と関連する１つ以上の信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の領域１０２内における１つ以上の対象１０４に対して特定された１つ以上の消毒作用物１０８を使用することの１つ以上の消毒ユニット１１４に対する１つ以上の命令と関連する１つ以上の信号１１２を受信する。いくつかの実施形態において、１つ以上の消毒ユニット１１４は、１つ以上の消毒作用物１０８が１つ以上の領域１０２内に以前に使用されてから経過している１つ以上の時間の長さと関連する１つ以上の信号１１２を受信する。
【０１２８】
図１４は、図１２の例示的な動作フロー１２００の代替可能な実施形態を説明する。図１４は、受信動作１２１０が少なくとも１つの受信動作を包含し得る場合の例示的な実施形態を説明する。付加的な動作は、動作１４０２、動作１４０４、動作１４０６、動作１４０８および／または動作１４１０包含し得る。
【０１２９】
動作１４０２において、受信動作１２１０は、１つ以上の領域１０２内における１つ以上の対象に対する１つ以上の消毒作用物１０８の使用を回避することの１つ以上の命令と関連する１つ以上の信号１１２の受信を包含し得る。いくつかの実施形態において、１つ以上の消毒ユニット１１４は、１つ以上の領域１０２内における１つ以上の対象１０４に対する１つ以上の消毒作用物１０８の使用を回避することの１つ以上の命令と関連する１つ以上の信号１１２を受信する。当該１つ以上の信号１１２は、多種類の情報を包含し得る。いくつかの実施形態において、１つ以上の消毒ユニット１１４は、１つ以上の信号１１２を受信して、１つ以上の領域１０２内における１つ以上の対象１０４に対する１つ以上の消毒作用物１０８の使用を回避する。いくつかの実施形態において、１つ以上の消毒ユニット１１４は、１つ以上の領域１０２の１つ以上の地図と関連する信号１１２を受信する。いくつかの実施形態において、１つ以上の消毒ユニット１１４は、１つ以上の領域１０２の１つ以上の模型と関連する１つ以上の信号１１２を受信する。いくつかの実施形態において、１つ以上の消毒ユニット１１４は、１つ以上の消毒手順に従うことの１つ以上の命令と関連する１つ以上の信号１１２を受信する。いくつかの実施形態において、１つ以上の消毒ユニット１１４は、１つ以上の領域１０２に割り当てられた１つ以上の消毒状態と関連する信号１１２を受信する。いくつかの実施形態において、１つ以上の消毒ユニット１１４は、１つ以上のセンサユニット１１８から取得された読み込みと関連する１つ以上の信号１１２を受信する。いくつかの実施形態において、１つ以上の消毒ユニット１１４は、１つ以上の領域１０２内に存在する１つ以上の物陰にある領域の１つ以上の位置と関連する１つ以上の信号１１２を受信する。いくつかの実施形態において、１つ以上の消毒ユニット１１４は、固定式の検査ユニット１１０と関連する１つ以上の信号１１２を受信する。いくつかの実施形態において、消毒ユニット１１４は、移動式の１つ以上の検査ユニット１１０と関連する１つ以上の信号１１２を受信する。いくつかの実施形態において、１つ以上の消毒ユニット１１４は、消毒に関する１つ以上の領域１０２内における１つ以上の対象１０４に対する優先順位の決定と関連する１つ以上の信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の領域１０２内における１つ以上の対象１０４に対して特定された１つ以上の消毒作用物１０８の使用を回避することの１つ以上の命令と関連する信号１１２を受信する。いくつかの実施形態において、１つ以上の消毒ユニット１１４は、１つ以上の消毒作用物１０８が１つ以上の領域１０２内に対して以前に使用されてから経過している時間の長さと関連する１つ以上の信号１１２を受信する。
【０１３０】
動作１４０４において、受信動作１２１０は、１つ以上の領域１０２の１つ以上の地図と関連する１つ以上の信号１１２の受信を包含し得る。いくつかの実施形態において、１つ以上の消毒ユニット１１４は、１つ以上の領域１０２の１つ以上の地図と関連する１つ以上の信号１１２を受信する。いくつかの実施形態において、１つ以上の消毒ユニット１１４は、１つ以上の領域１０２の寸法と関連する１つ以上の信号１１２を受信する。いくつかの実施形態において、１つ以上の消毒ユニット１１４は、１つ以上の領域１０２内における１つ以上の表面１０６および／または１つ以上の対象１０４と関連する１つ以上の信号１１２を受信する。いくつかの実施形態において、１つ以上の消毒ユニット１１４は、領域１０２の寸法ならびに１つ以上の領域１０２内における１つ以上の表面１０６および／または１つ以上の対象１０４の１つ以上の位置と関連する１つ以上の信号１１２を受信する。いくつかの実施形態において、１つ以上の消毒ユニット１１４は、１つ以上の領域１０２の１つ以上の地図と関連する１つ以上の信号１１２を受信する。当該１つ以上の信号１１２は、多種類の情報を含み得る。いくつかの実施形態において、１つ以上の消毒ユニット１１４は、１つ以上の領域１０２に対して１つ以上の消毒作用物１０８を使用することの１つ以上の命令を包含できる１つ以上の信号１１２を受信する。いくつかの実施形態において、１つ以上の消毒ユニット１１４は、１つ以上の領域１０２に対する１つ以上の消毒作用物１０８の使用を回避することの１つ以上の命令を包含できる１つ以上の信号１１２を受信する。いくつかの実施形態において、１つ以上の消毒ユニット１１４は、１つ以上の領域１０２内における１つ以上の表面１０６に対して１つ以上の消毒作用物１０８を使用することの１つ以上の命令を包含できる１つ以上の信号１１２を受信する。いくつかの実施形態において、１つ以上の消毒ユニット１１４は、１つ以上の領域１０２内における１つ以上の表面１０６に対する１つ以上の消毒作用物１０８の使用を回避することの１つ以上の命令を包含できる１つ以上の信号１１２を受信する。いくつかの実施形態において、消毒ユニット１１４は、１つ以上の領域１０２内における１つ以上の対象１０４に対して１つ以上の消毒作用物１０８を使用することの１つ以上の命令を包含できる１つ以上の信号１１２を受信する。いくつかの実施形態において、消毒ユニット１１４は、１つ以上の領域１０２内における１つ以上の対象１０４に対する１つ以上の消毒作用物１０８の使用を回避することの１つ以上の命令を包含できる１つ以上の信号１１２を受信する。いくつかの実施形態において、消毒ユニット１１４は、１つ以上の消毒手順に従うことの１つ以上の命令と関連する１つ以上の信号１１２を受信する。消毒消毒ユニット１１４は、１つ以上の領域１０２に割り当てられた１つ以上の消毒状態と関連する１つ以上の信号１１２を受信する。いくつかの実施形態において、１つ以上の消毒ユニット１１４は、１つ以上のセンサユニット１１８から取得された１つ以上の読み込みと関連する１つ以上の信号１１２を受信する。いくつかの実施形態において、１つ以上の消毒ユニット１１４は、１つ以上の領域１０２内に存在する１つ以上の物陰にある領域の１つ以上の位置と関連する１つ以上の信号１１２を受信する。いくつかの実施形態において、１つ以上の消毒ユニット１１４は、固定式の１つ以上の検査ユニット１１０と関連する１つ以上の信号１１２を受信する。いくつかの実施形態において、１つ以上の消毒ユニット１１４は、移動式の検査ユニット１１０と関連する１つ以上の信号１１２を受信する。いくつかの実施形態において、１つ以上の消毒ユニット１１４は、消毒に関する１つ以上の領域１０２に対する優先順位の決定と関連する１つ以上の信号１１２を受信する。いくつかの実施形態において、消毒ユニット１１４は、消毒に関する１つ以上の領域１０２内における１つ以上の表面１０６に対する優先順位の決定と関連する１つ以上の信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の消毒ユニット１１４が１つ以上の消毒作用物１０８を使用すべきである１つ以上の領域１０２の１つ以上の位置を示す１つ以上の命令と関連する１つ以上の信号１１２を受信する。いくつかの実施形態において、１つ以上の消毒ユニット１１４は、１つ以上の消毒ユニット１１４が１つ以上の消毒作用物１０８を使用すべきではない１つ以上の領域１０２の１つ以上の位置を示す１つ以上の命令と関連する１つ以上の信号１１２を受信する。いくつかの実施形態において、消毒ユニット１１４は、１つ以上の領域１０２に対して特定された１つ以上の消毒作用物１０８を使用することの１つ以上の命令と関連する１つ以上の信号１１２を受信する。いくつかの実施形態において、１つ以上の消毒ユニット１１４は、１つ以上の消毒作用物１０８が１つ以上の領域１０２内に対して以前に使用されてから経過している時間の長さと関連する１つ以上の信号１１２を受信する。
【０１３１】
動作１４０６において、受信動作１２１０は、１つ以上の領域１０２の１つ以上の模型と関連する１つ以上の信号１１２の受信を包含し得る。いくつかの実施形態において、１つ以上の消毒ユニット１１４は、１つ以上の領域１０２の１つ以上の模型と関連する１つ以上の信号１１２を受信する。いくつかの実施形態において、１つ以上の消毒ユニット１１４は、１つ以上の領域１０２の寸法と関連する１つ以上の信号１１２を受信する。いくつかの実施形態において、１つ以上の消毒ユニット１１４は、１つ以上の領域１０２内における１つ以上の位置および／または１つ以上の対象１０４の１つ以上の位置と関連する１つ以上の信号１１２を受信する。いくつかの実施形態において、１つ以上の消毒ユニット１１４は、１つ以上の領域１０２の寸法ならびに１つ以上の領域１０２の１つ以上の表面１０６および／または１つ以上の対象１０４の１つ以上の位置と関連する１つ以上の信号１１２を受信する。いくつかの実施形態において、１つ以上の消毒ユニット１１４は、１つ以上の領域１０２に対して１つ以上の消毒作用物１０８を使用することの１つ以上の命令と関連する１つ以上の信号１１２を受信する。いくつかの実施形態において、１つ以上の消毒ユニット１１４は、１つ以上の領域１０２に対する１つ以上の消毒作用物１０８の使用を回避することの１つ以上の命令と関連する１つ以上の信号１１２を受信する。いくつかの実施形態において、１つ以上の消毒ユニット１１４は、１つ以上の領域１０２内における１つ以上の表面１０６に対して１つ以上の消毒作用物１０８を使用することの１つ以上の命令を包含できる１つ以上の信号１１２を受信する。いくつかの実施形態において、１つ以上の消毒ユニット１１４は、１つ以上の領域１０２内における１つ以上の表面１０６に対する１つ以上の消毒作用物１０８の使用を回避することの１つ以上の命令を包含し得る１つ以上の信号１１２を受信する。いくつかの実施形態において、１つ以上の消毒ユニット１１４は、１つ以上の領域１０２内における１つ以上の対象１０４に対して１つ以上の消毒作用物１０８を使用することの１つ以上の命令を包含できる１つ以上の信号１１２を受信する。いくつかの実施形態において、１つ以上の消毒ユニット１１４は、１つ以上の領域１０２内における１つ以上の対象１０４に対する１つ以上の消毒作用物１０８の使用を回避することの１つ以上の命令を包含できる１つ以上の信号１１２を受信する。いくつかの実施形態において、１つ以上の消毒ユニット１１４は、１つ以上の消毒手順に従うことの１つ以上の命令と関連する１つ以上の信号１１２を受信する。いくつかの実施形態において、１つ以上の消毒ユニット１１４は、１つ以上の領域１０２に割り当てられた１つ以上の消毒状態と関連する１つ以上の信号１１２を受信する。いくつかの実施形態において、消毒ユニット１１４は、１つ以上のセンサユニット１１８から取得された１つ以上の読み込みと関連する１つ以上の信号１１２を受信する。いくつかの実施形態において、消毒ユニット１１４は、１つ以上の領域１０２内に存在する１つ以上の物陰にある領域の１つ以上の位置と関連する１つ以上の信号１１２を受信する。いくつかの実施形態において、１つ以上の消毒ユニット１１４は、固定式の検査ユニット１１０と関連する１つ以上の信号１１２を受信する。いくつかの実施形態において、消毒ユニット１１４は、移動式の１つ以上の検査ユニット１１０と関連する１つ以上の信号１１２を受信する。いくつかの実施形態において、１つ以上の消毒ユニット１１４は、消毒に関する１つ以上の領域１０２に対する優先順位の決定と関連する１つ以上の信号１１２を受信する。いくつかの実施形態において、１つ以上の消毒ユニット１１４は、消毒に関する１つ以上の領域１０２内における１つ以上の表面１０６に対する優先順位の決定と関連する１つ以上の信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の領域１０２の１つ以上の位置を示して１つ以上の消毒作用物１０８を使用する１つ以上の命令と関連する１つ以上の信号１１２を受信する。いくつかの実施形態において、１つ以上の消毒ユニット１１４は、１つ以上の領域１０２の１つ以上の位置を示して１つ以上の消毒作用物１０８を使用しない１つ以上の命令と関連する１つ以上の信号１１２を受信する。１つ以上の消毒ユニット１１４は、１つ以上の領域１０２に対して特定された１つ以上の消毒作用物１０８を使用することの１つ以上の命令と関連する１つ以上の信号１１２を受信する。いくつかの実施形態において、１つ以上の消毒ユニット１１４は、１つ以上の消毒作用物１０８が１つ以上の領域１０２内に対して以前に使用されてから経過している時間の長さと関連する１つ以上の信号１１２を受信する。
【０１３２】
動作１４０８において、受信動作１２１０は、１つ以上の領域１０２に割り当てられた１つ以上の消毒手順に従うことの１つ以上の命令と関連する１つ以上の信号１１２の受信を包含し得る。いくつかの実施形態において、１つ以上の消毒ユニット１１４は、１つ以上の消毒手順に従うことの１つ以上の命令と関連する１つ以上の信号１１２を受信する。いくつかの実施形態において、１つ以上の消毒手順は、１つ以上の領域１０２に割り当てられ得る。いくつかの実施形態において、１つ以上の消毒手順は、１つ以上の領域１０２内における相対位置または絶対位置に応じて１つ以上の領域１０２内に使用されるべきである照射線消毒の緊急性、待ち時間、強度、および時間総和強度を特定し得る。いくつかの実施形態において、消毒手順は、１つ以上の領域１０２に使用されるべきである１種類以上の消毒作用物１０８を特定し得る。いくつかの実施形態において、消毒手順は、１つ以上の領域１０２に使用されるべきではない１種類以上の消毒作用物１０８を特定し得る。いくつかの実施形態において、消毒手順は、１つ以上の消毒作用物１０８が１つ以上の領域１０２に使用されるべきである頻度を特定し得る。いくつかの実施形態において、消毒手順は、１つ以上の消毒作用物１０８が１つ以上の領域１０２に使用されるべきである強度および／または濃度を特定し得る。多くの消毒手順は、１つ以上の領域１０２に割り当てられ得る。いくつかの実施形態において、当該消毒手順は、１つ以上の領域１０２が患者の危険度の高いおよび／または感染性の高いと見込まれる領域に対する評価に応じて消毒されて、当該領域１０２が厳密および／または頻繁な消毒処理を受けることを確実にする強度の特定に使用され得る。いくつかの実施形態において、１つ以上の消毒ユニット１１４は、１つ以上の領域１０２が最後に消毒されてから過ぎている時間の程度と関連する１つ以上の信号１１２を受信する。いくつかの実施形態において、１つ以上の消毒ユニット１１４は、所定の時間の長さにおいて１つ以上の領域１０２の消毒を要求する１つ以上の領域１０２が１つ以上の手順に従う場合の決定と関連する信号１１２を受信する。
【０１３３】
動作１４１０において、受信動作１２１０は、１つ以上の領域１０２に割り当てられた１つ以上の消毒状態と関連する１つ以上の信号１１２の受信を包含し得る。いくつかの実施形態において、１つ以上の消毒ユニット１１４は、１つ以上の領域１０２に割り当てられた１つ以上の消毒状態と関連する１つ以上の信号１１２を受信する。いくつかの実施形態において、１つ以上の領域１０２の消毒状態は、１つ以上の領域１０２に割り当てられた消毒度と関連し得る。例えば、いくつかの領域１０２は、非常に高い消毒性の度合いが所望される場合に、非常に高い消毒度を割り当てられ得る。非常に高い無菌の度合いが所望される場合の領域１０２の例としては、病院の手術室、製剤の梱包施設、食品の梱包施設、ヌードマウスの施設、および病院の病室などが挙げられるが、これらに限定されない。他の例において、消毒性の度合いが同様に高くあることを必要としない場合の領域１０２は、より低い消毒度を割り当てられ得る。いくつかの実施形態において、１つ以上の領域１０２に割り当てられる１つ以上の消毒度は、消毒の時間、消毒の頻度、使用される消毒作用物１０８の種類、消毒の強度、複数の消毒作用物１０８の使用、１つ以上の領域１０２に割り当てられる危険度、１つ以上の領域１０２内に生じる汚染の種類、および１つ以上の領域１０２内における１人以上の患者の病状などに関する要素を包含し得る。いくつかの実施形態において、消毒ユニット１１４は、１つ以上の領域１０２が消毒されるべきである場合、または１つ以上の領域１０２が所望の消毒度を満たしているか否かを示す１つ以上の領域１０２の１つ以上の消毒状態と関連する１つ以上の信号１１２を受信する。いくつかの実施形態において、１つ以上のユニット消毒１１４は、現在のところ消毒済の１つ以上の領域１０２がふたたび消毒されるべきである場合の決定と関連する１つ以上の信号１１２を受信する。いくつかの実施形態において、１つ以上の消毒ユニット１１４は、１つ以上の消毒するべきであるときを示す１つ以上の命令と関連する１つ以上の信号１１２を受信する。いくつかの実施形態において、１つ以上の消毒ユニット１１４は、１つ以上の領域１０２に割り当てられた１つ以上の消毒度が変化している場合、および１つ以上の領域１０２が１つ以上の新たに割り当てられた消毒度を満たすか否かの決定と関連する１つ以上の信号１１２を受信する。
【０１３４】
図１５は、図１２の例示的な動作フロー１２００の代替可能な実施形態を説明する。図１５は、少なくとも１つの動作を包含し得る場合の例示的な実施形態を説明する。付加的な動作は、動作１５０２、動作１５０４、動作１５０６、動作１５０８および／または動作１５１０を包含し得る。
【０１３５】
動作１５０２において、受信動作１２１０は、１つ以上のセンサユニット１１８から取得された１つ以上の読み込みと関連する１つ以上の信号１１２の受信を包含し得る。いくつかの実施形態において、１つ以上の消毒ユニット１１４は、１つ以上のセンサユニット１１８から取得された１つ以上の読み込みと関連する信号１１２を受信する。いくつかの実施形態において、１つ以上の消毒ユニット１１４は、１つ以上の領域１０２が消毒された時点と関連する１つ以上の信号１１２を受信する。いくつかの実施形態において、消毒ユニット１１４は、１つ以上の領域１０２が消毒される頻度の程度と関連する１つ以上の信号１１２を受信する。いくつかの実施形態において、いくつかの実施形態において、１つ以上の消毒ユニット１１４は、１つ以上の領域１０２が消毒される強度と関連する１つ以上の信号１１２を受信する。いくつかの実施形態において、１つ以上の領域１０２内における１つ以上の表面１０６が消毒されているか否かと関連する１つ以上の信号１１２を受信する。いくつかの実施形態において、１つ以上の消毒ユニット１１４は、１つ以上の領域１０２内に使用されている１種類以上の消毒作用物１０８と関連する１つ以上の信号１１２を受信する。いくつかの実施形態において、１つ以上の消毒ユニット１１４は、１つ以上の領域１０２内における１つ以上の表面１０６に使用されている１つ以上の消毒作用物１０８と関連する１つ以上の信号１１２を受信する。いくつかの実施形態において、１つ以上の消毒ユニット１１４は、１つ以上の領域１０２内における１つ以上の対象１０４に使用されている１種類以上の消毒作用物１０８と関連する１つ以上の信号１１２を受信する。いくつかの実施形態において、１つ以上の消毒ユニット１１４は、１つ以上の領域１０２内における１つ以上の表面１０６および／または１つ以上の対象１０４に使用されている１つ以上の消毒作用物１０８と関連する１つ以上の信号１１２を受信する。
【０１３６】
動作１５０４において、受信動作１２１０は、１つ以上の領域１０２内に存在する１つ以上の物陰にある領域の１つ以上の位置と関連する１つ以上の信号１１２の受信を包含し得る。いくつかの実施形態において、１つ以上の消毒ユニット１１４は、１つ以上の領域１０２内に存在する１つ以上の物陰にある領域の位置と関連する１つ以上の信号１１２を受信する。いくつかの実施形態において、物陰にある領域は、照射線を発する１つ以上の消毒ユニット１１４と当該１つ以上の物陰にある領域との間に位置する１つ以上の対象１０４によって照射線が１つ以上の物陰にある領域に到達することを妨げられる場合を生じ得る。いくつかの実施形態において、１つ以上の消毒ユニット１１４は、１つ以上の物陰にある領域に対する１つ以上の未消毒状態と関連する１つ以上の信号１１２を受信する。いくつかの実施形態において、１つ以上の消毒ユニット１１４は、１つ以上の物陰にある領域を消毒することの１つ以上の消毒ユニット１１４に対する命令と関連する１つ以上の信号１１２を受信する。
【０１３７】
動作１５０６において、受信動作１２１０は、固定式の１つ以上の検査ユニット１１０と関連する１つ以上の信号１１２の受信を包含し得る。いくつかの実施形態において、１つ以上の消毒ユニット１１４は、固定式の１つ以上の検査ユニット１１０関連する１つ以上の信号１１２を受信する。当該１つ以上の信号１１２は、多種類の情報を包含し得る。いくつかの実施形態において、１つ以上の消毒ユニット１１４は、１つ以上の領域１０２に対して１つ以上の消毒作用物１０８と使用することの１つ以上の命令を包含できる信号１１２を受信する。いくつかの実施形態において、１つ以上の消毒ユニット１１４は、１つ以上の領域１０２に対する１つ以上の消毒作用物１０８の使用を回避することの１つ以上の命令を包含できる信号１１２を受信する。いくつかの実施形態において、１つ以上の消毒ユニット１１４は、１つ以上の領域１０２内における１つ以上の表面１０６に対して１つ以上の消毒作用物１０８を使用することの１つ以上の命令を包含できる１つ以上の信号１１２を受信する。いくつかの実施形態において、１つ以上の消毒ユニット１１４は、１つ以上の領域１０２内における１つ以上の表面１０６に対する１つ以上の消毒作用物１０８の使用を回避することの１つ以上の命令を包含できる１つ以上の信号１１２を受信する。いくつかの実施形態において、１つ以上の消毒ユニット１１４は、１つ以上の領域１０２内における１つ以上の対象１０４に対して１つ以上の消毒作用物１０８を使用することの１つ以上の命令を包含できる１つ以上の信号１１２を受信する。いくつかの実施形態において、１つ以上の消毒ユニット１１４は、１つ以上の領域１０２内における１つ以上の対象１０４に対する１つ以上の消毒作用物１０８の使用を回避することの１つ以上の命令を包含できる１つ以上の信号１１２を受信する。いくつかの実施形態において、１つ以上の消毒ユニット１１４は、１つ以上の領域１０２の１つ以上の地図と関連する１つ以上の信号１１２を受信する。１つ以上の消毒ユニット１１４は、１つ以上の領域１０２の１つ以上の模型と関連する１つ以上の信号１１２を受信する。いくつかの実施形態において、１つ以上の消毒ユニット１１４は、１つ以上の消毒手順に従うことの１つ以上の命令と関連する１つ以上の信号１１２を受信する。いくつかの実施形態において、１つ以上の消毒ユニット１１４は、１つ以上の領域１０２に割り当てられた１つ以上の消毒状態と関連する１つ以上の信号１１２を受信する。いくつかの実施形態において、１つ以上の消毒ユニット１１４は、１つ以上のセンサユニット１１８から取得された１つ以上の読み込みと関連する１つ以上の信号１１２を受信する。いくつかの実施形態において、１つ以上の消毒ユニット１１４は、１つ以上の領域１０２内に存在する１つ以上の物陰にある領域の１つ以上の位置と関連する１つ以上の信号１１２を受信する。いくつかの実施形態において、１つ以上の消毒ユニット１１４は、消毒に関する１つ以上の領域１０２に対する優先順位の決定と関連する１つ以上の信号１１２を受信する。いくつかの実施形態において、１つ以上の消毒ユニット１１４は、消毒に関する１つ以上の領域１０２内における１つ以上の表面１０６に対する優先順位の決定と関連する１つ以上の信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の領域１０２の１つ以上の部分を示して１つ以上の消毒作用物１０８を使用することの１つ以上の命令と関連する１つ以上の信号１１２を受信する。いくつかの実施形態において、１つ以上の消毒ユニット１１４は、１つ以上の領域１０２の１つ以上の部分を示して１つ以上の消毒作用物１０８を使用することの１つ以上の命令と関連する１つ以上の信号１１２を受信する。いくつかの実施形態において、消毒ユニット１１４は、１つ以上の領域１０２に対して特定された１つ以上の消毒作用物１０８を使用することの１つ以上の命令と関連する１つ以上の信号１１２を受信する。いくつかの実施形態において、１つ以上の消毒ユニット１１４は、１つ以上の消毒作用物１０８が１つ以上の領域１０２内に対して以前に使用されてから経過している１つ以上の長さと関連する１つ以上の信号１１２を受信する。
【０１３８】
動作１５０８において、受信動作１２１０は、移動式の１つ以上の検査ユニット１１０と関連する１つ以上の信号１１２の受信を包含し得る。いくつかの実施形態において、消毒ユニット１１４は、移動式の１つ以上の検査ユニット１１０と関連する１つ以上の信号１１２を受信する。当該１つ以上の信号１１２は、多種類の情報を包含し得る。いくつかの実施形態において、１つ以上の消毒ユニット１１４は、１つ以上の領域１０２に対して１つ以上の消毒作用物１０８を使用することの１つ以上の命令を包含できる１つ以上の信号１１２を受信する。いくつかの実施形態において、１つ以上の消毒ユニット１１４は、１つ以上の領域１０２に対する１つ以上の消毒作用物１０８の使用を回避することの１つ以上の命令を包含できる１つ以上の信号１１２を受信する。いくつかの実施形態において、１つ以上の消毒ユニット１１４は、１つ以上の領域１０２内における１つ以上の表面１０６に対して１つ以上の消毒作用物１０８を使用することの１つ以上の命令を包含できる１つ以上の信号１１２を受信する。いくつかの実施形態において、１つ以上の領域１０２内における１つ以上の表面１０６に対する１つ以上の消毒作用物１０８の使用を回避することの１つ以上の命令を包含できる１つ以上の信号１１２を受信する。いくつかの実施形態において、１つ以上の１つ以上の消毒ユニット１１４は、１つ以上の領域１０２内の１つ以上の対象１０４に対して１つ以上の消毒作用物１０８を使用することの命令を包含できる１つ以上の信号１１２を受信する。いくつかの実施形態において、１つ以上の１つ以上の消毒ユニット１１４は、１つ以上の領域１０２内の１つ以上の対象１０４に対する１つ以上の消毒作用物１０８の使用を回避することの命令を包含できる１つ以上の信号１１２を受信する。いくつかの実施形態において、１つ以上の消毒ユニット１１４は、１つ以上の領域１０２の地図と関連する１つ以上の信号１１２を受信する。いくつかの実施形態において、１つ以上の消毒ユニット１１４は、１つ以上の領域１０２の模型と関連する１つ以上の信号１１２を受信する。いくつかの実施形態において、１つ以上の消毒ユニット１１４は、１つ以上の消毒手順に従うことの１つ以上の命令と関連する１つ以上の信号１１２を受信する。いくつかの実施形態において、１つ以上の消毒ユニット１１４は、１つ以上の領域１０２に割り当てられた１つ以上の消毒状態と関連する１つ以上の信号１１２を受信する。いくつかの実施形態において、１つ以上の消毒ユニット１１４は、１つ以上のセンサユニット１１８から取得された１つ以上の読み込みと関連する１つ以上の信号１１２を受信する。いくつかの実施形態において、１つ以上の消毒ユニット１１４は、１つ以上の領域１０２内に存在する１つ以上の物陰にある領域の１つ以上の位置と関連する１つ以上の信号１１２を受信する。いくつかの実施形態において、１つ以上の消毒ユニット１１４は、消毒に関する１つ以上の領域１０２に対する優先順位の決定と関連する１つ以上の信号１１２を受信する。いくつかの実施形態において、１つ以上の消毒ユニット１１４は、消毒に関する１つ以上の領域１０２内における１つ以上の表面１０６に対する優先順位の決定と関連する１つ以上の信号１１２を受信する。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、１つ以上の消毒ユニット１１４は、１つ以上の領域１０２内における１つ以上の部分を示す１つ以上の命令と関連する１つ以上の信号１１２を受信する。いくつかの実施形態において、１つ以上の消毒ユニット１１４は、１つ以上の領域１０２内における１つ以上の部分を示して１つ以上の消毒作用物１０８を使用することの１つ以上の命令と関連する１つ以上の信号１１２を受信する。いくつかの実施形態において、１つ以上の消毒ユニット１１４は、１つ以上の領域１０２に対して特定された１つ以上の消毒作用物１０８を使用することの１つ以上の命令と関連する１つ以上の信号１１２を受信する。いくつかの実施形態において、１つ以上の消毒ユニット１１４は、１つ以上の消毒作用物１０８が１つ以上の領域１０２内に対して以前に使用されてから経過している１つ以上の時間の長さと関連する１つ以上の信号１１２を受信する。
【０１３９】
動作１５１０において、受信動作１２１０は、消毒に関する１つ以上の領域１０２に対する優先順位の決定と関連する１つ以上の信号１１２の受信を包含し得る。いくつかの実施形態において、１つ以上の消毒ユニット１１４は、消毒に関する１つ以上の領域１０２に対する優先順位の決定と関連する１つ以上の信号１１２を受信する。いくつかの実施形態において、１つ以上の消毒ユニット１１４は、１つ以上の領域１０２の消毒に対する必要性と関連する１つ以上の信号１１２を受信する。例えば、手術室は、手術室内においてなされる緊急手術の存在に起因して他の領域１０２よりも前に消毒され得る。いくつかの実施形態において、消毒ユニット１１４は、１つ以上の領域１０２内における高い感染性の菌の存在と関連する１つ以上の信号１１２を受信する。例えば、病院における診察室は、天然痘に感染している患者の診察室内における存在に起因して他の領域１０２よりも前に消毒され得る。いくつかの実施形態において、１つ以上の消毒ユニット１１４は、１つ以上の消毒手順との適合性と関連する１つ以上の信号１１２を受信する。
【０１４０】
図１６は、図１２の例示的な動作フロー１２００の代替可能な実施形態を説明する。図１６は、受信動作１２１０が少なくとも１つの付加的な動作を含み得る場合の例示的な実施形態を説明する。付加的な動作は、動作１６０２、動作１６０４、動作１６０６、動作１６０８および／または動作１６１０を包含し得る。
【０１４１】
動作１６０２において、消毒に関する１つ以上の領域１０２内における１つ以上の表面に対する優先順位の決定と関連する１つ以上の信号１１２の受信を包含し得る。いくつかの実施形態において、１つ以上の消毒ユニット１１４は、消毒に関する１つ以上の領域１０２内における１つ以上の表面１０６に対する優先順位の決定と関連する１つ以上の信号１１２を受信する。いくつかの実施形態において、１つ以上の消毒ユニット１１４は、１つ以上の領域１０２内における１つ以上の表面１０６の消毒に対する必要性と関連する１つ以上の信号１１２を受信する。例えば、手術室内の１つ以上の表面１０６は、手術室内においてなされる緊急手術の存在に起因して他の領域１０２よりも前に消毒され得る。いくつかの実施形態において、１つ以上の消毒ユニット１１４は、１つ以上の領域１０２内における１つ以上の表面１０６の内部または表面１０６上における高い感染性の菌の存在と関連する１つ以上の信号１１２を受信する。例えば、病院における診察室内の１つ以上の表面１０６は、天然痘に感染している患者の診察室内における存在に起因して他の領域１０２よりも前に消毒され得る。いくつかの実施形態において、１つ以上の消毒ユニット１１４は、消毒手順との適合性と関連する１つ以上の信号１１２を受信する。
【０１４２】
動作１６０４において、受信動作１２１０は、消毒に関する１つ以上の領域１０２内における１つ以上の対象１０４に対する優先順位の決定と関連する１つ以上の信号１１２の受信を包含し得る。いくつかの実施形態において、１つ以上の消毒ユニット１１４は、消毒に関する１つ以上の領域１０２内における１つ以上の対象１０４に対する優先順位の決定と関連する１つ以上の信号１１２を受信する。いくつかの実施形態において、１つ以上の消毒ユニット１１４は、１つ以上の領域１０２内における１つ以上の対象１０４の消毒に対する必要性と関連する１つ以上の信号１１２を受信する。例えば、外科器具といった１つ以上の対象１０４は、当該外科器具を用いてなされる緊急手術の存在に起因して、実質的に直ちに消毒され得る。いくつかの実施形態において、１つ以上の消毒ユニット１１４は、１つ以上の対象１０４上における高い感染性の菌の存在と関連する１つ以上の信号１１２を受信する。例えば、病院内の１つ以上の対象１０４は、天然痘に感染している患者を処置するための対象１０４の使用に起因して、他の対象１０４よりも前に消毒され得る。いくつかの実施形態において、１つ以上の消毒ユニット１１４は、消毒手順との適合性と関連する１つ以上の信号１１２を受信する。
【０１４３】
動作１６０６において、受信動作１２１０は、１つ以上の領域１０２内に存在するかまたは不在である１人以上の人間と関連する１つ以上の信号１１２の受信を包含し得る。いくつかの実施形態において、１つ以上の消毒ユニット１１４は、１つ以上の領域１０２内に存在するかまたは不在である１人以上の人間と関連する１つ以上の信号１１２を受信する。いくつかの実施形態において、消毒ユニット１１４は、１人以上の人間がさらされている紫外線といった照射線の量と関連する１つ以上の信号１１２を受信する。いくつかの実施形態において、１つ以上の消毒ユニット１１４は、１人以上の人間における照射線の反射を介して１人以上の人間がさらされている紫外線といった照射線の量と関連する１つ以上の信号１１２を受信する。当該人間の例としては、病院の患者、歯科の患者、看護士、医師、製剤関連の労働者、食品関連の労働者、および運輸関連の労働者などが挙げられるが、これらに限定されない。いくつかの実施形態において、１つ以上の消毒ユニット１１４は、１人以上の人間に存在する１つ以上の表面１０６に入射する光の量と関連する１つ以上の信号１１２を受信する。当該表面の例としては、開放創、目、および肌などが挙げられるが、これに限定されない。
【０１４４】
動作１６０８において、受信動作１２１０は、１つ以上の領域１０２内に使用される１つ以上の消毒作用物１０８の予想される作用と関連する１つ以上の信号１１２の受信を包含し得る。いくつかの実施形態において、１つ以上の消毒ユニット１１４は、１つ以上の領域１０２内に使用される消毒作用物１０８の予想される作用と関連する１つ以上の信号１１２を受信する。いくつかの実施形態において、消毒ユニット１１４は、１つ以上の領域１０２に使用される１つ以上の消毒作用物１０８の作用を予想できる１つ以上の検査ユニット１１０と関連する１つ以上の信号１１２を受信する。いくつかの実施形態において、１つ以上の検査ユニット１１０は、使用されるべきである１つ以上の消毒作用物１０８の使用の特定、濃度、時間および／または実質的にこれらのあらゆる組み合わせを利用して、１つ以上の領域１０２内に存在し得るかまたは非存在であり得る１種類以上の汚染に対する１つ以上の消毒作用物１０８の作用を予想できる。いくつかの実施形態において、１つ以上の領域１０２に対する１つ以上の消毒作用物１０８の使用の特定、濃度、時間および／または実質的にこれらのあらゆる組み合わせは、１つ以上の検査ユニット１１０によって決定され得る。いくつかの実施形態において、当該１つ以上の消毒ユニット１１４は、１つ以上の消毒ユニット１１４によって１つ以上の領域１０２内に対して以前に消毒された。
【０１４５】
動作１６１０において、受信動作１２１０は、１つ以上の消毒作用物１０８が１つ以上の領域１０２内に対して以前に使用されてから経過している時間の長さと関連する１つ以上の信号１１２の受信を包含し得る。いくつかの実施形態において、１つ以上の消毒ユニット１１４は、１つ以上の消毒作用物１０８が１つ以上の領域１０２に対して以前に使用されてから経過している時間の長さと関連する１つ以上の信号１１２を受信する。いくつかの実施形態において、１つ以上の消毒作用物１０８が１つ以上の領域１０２に対して以前に使用されてから経過している時間の長さと関連する１つ以上の信号１１２は、１つ以上の領域１０２に割り当てられた１つ以上の消毒手順に従うことを示すことができる。いくつかの実施形態において、１つ以上の消毒作用物１０８が１つ以上の領域１０２に対して以前に使用されてから経過している時間の長さと関連する１つ以上の信号１１２は、１つ以上の領域１０２に割り当てられた１つ以上の消毒手順に従わないことを示すことができる。いくつかの実施形態において、１つ以上の消毒作用物１０８が１つ以上の領域１０２に対して以前に使用されてから経過している時間の長さと関連する１つ以上の信号１１２は、１つ以上の消毒作用物１０８が１つ以上の領域１０２に対して使用されるべきであることを示すことができる。いくつかの実施形態において、１つ以上の消毒作用物１０８が１つ以上の領域１０２に対して以前に使用されてから経過している時間の長さと関連する１つ以上の信号１１２は、１つ以上の消毒作用物１０８が１つ以上の領域１０２に対して使用されるべきではないことを示すことができる。いくつかの実施形態において、いくつかの実施形態において、１つ以上の消毒作用物１０８が１つ以上の領域１０２に対して以前に使用されてから経過している時間の長さと関連する１つ以上の信号１１２は、１つ以上の消毒作用物１０８が１つ以上の領域１０２に対して使用されるべきであるときを示すことができる。いくつかの実施形態において、１つ以上の消毒作用物１０８が１つ以上の領域１０２に対して以前に使用されてから経過している時間の長さと関連する１つ以上の信号１１２は、どんな種類またはどんな複数の種類の１つ以上の消毒作用物１０８が１つ以上の領域１０２に対して使用されるべきであるかということを示すことができる。いくつかの実施形態において、１つ以上の消毒作用物１０８が１つ以上の領域１０２に対して以前に使用されてから経過している時間の長さと関連する１つ以上の信号１１２は、どんな種類またはどんな複数の種類の消毒作用物１０８が１つ以上の領域１０２に対して使用されるべきではないことを示すことができる。いくつかの実施形態において、１つ以上の消毒作用物１０８は、１つ以上の消毒ユニット１１４によって１つ以上の領域１０２に対して以前に使用された。
【０１４６】
図１７は、図１２の例示的な動作フロー１２００の代替可能な実施形態を説明する。図１７は、受信動作１２１０が少なくとも１つの付加的な動作を包含し得る場合の例示的な実施形態を説明する。付加的な動作は、動作１７０２、動作１７０４、動作１７０６および／または動作１７０８を包含し得る。
【０１４７】
動作１７０２において、受信動作１２１０は、１つ以上の領域１０２内に対して１つ以上の消毒作用物１０８を使用すべきである場所を示す１つ以上の命令と関連する１つ以上の信号１１２の受信を包含し得る。いくつかの実施形態において、１つ以上の消毒ユニット１１４は、１つ以上の領域１０２内に対して１つ以上の消毒作用物１０８を使用すべきである場所を示す１つ以上の命令と関連する１つ以上の信号１１２を受信できる。いくつかの実施形態において、１つ以上の消毒ユニット１１４は、１つ以上の消毒作用物１０８が使用されるべきである１つ以上の領域１０２の１つ以上の部分を示す１つ以上の命令と関連する信号１１２を受信できる。いくつかの実施形態において、１つ以上の消毒ユニット１１４は、１つ以上の消毒作用物１０８が１つ以上の領域１０２の１つ以上の１つ以上の部分に使用され得ることを示す１つ以上の信号１１２を受信できる。いくつかの実施形態において、１つ以上の消毒ユニット１１４は、第１種の消毒作用物１０８が１つ以上の領域１０２の第１部分に使用され得ること、および第２種の消毒作用物１０８が１つ以上の領域１０２の第２部分に使用され得ることを示す１つ以上の命令と関連する１つ以上の信号１１２を受信できる。従って、異なる種類の消毒作用物１０８が１つ以上の領域１０２の異なる部分に使用され得る。
【０１４８】
動作１７０４において、受信動作１２１０は、１つ以上の領域１０２内に対して１つ以上の消毒作用物１０８を使用すべきではない場所を示す１つ以上の命令と関連する１つ以上の信号１１２の受信を包含し得る。いくつかの実施形態において、１つ以上の消毒ユニット１１４は、１つ以上の領域１０２内に対して１つ以上の消毒作用物１０８を使用すべきではない場所を示す１つ以上の命令と関連する１つ以上の信号１１２を受信できる。いくつかの実施形態において、１つ以上の消毒ユニット１１４は、１つ以上の消毒作用物１０８が使用されるべきではない１つ以上の領域１０２の１つ以上の部分を示す１つ以上の命令と関連する１つ以上の信号１１２を受信できる。例えば、いくつかの実施形態において、１つ以上の消毒作用物１０８は、研究室試料が培養されている１つ以上の領域１０２の１つ以上の部分に対して使用されるべきではない。当該領域の例は、病院の研究室、研究所、および組織培養研究室などに見られ得る。いくつかの実施形態において、１つ以上の領域１０２の１つ以上の部分に損害を与える１つ以上の消毒作用物１０８は、１つ以上の領域１０２の１つ以上の部分に使用されるべきではない。
【０１４９】
動作１７０６において、受信動作１２１０は、１つ以上の消毒作用物１０８を特定して１つ以上の領域１０２に対して使用することと関連する１つ以上の信号１１２の受信を包含し得る。いくつかの実施形態において、１つ以上の消毒ユニット１１４は、１つ以上の消毒作用物１０８を特定して１つ以上の領域１０２に対して使用することと関連する１つ以上の信号１１２を受信できる。いくつかの実施形態において、１つ以上の消毒ユニット１１４は、１つ以上の領域１０２に対して特定された１つ以上の消毒作用物１０８を使用することの１つ以上の命令と関連する１つ以上の信号１１２を受信できる。いくつかの実施形態において、１つ以上の領域１０２は、他の種類の消毒作用物１０８と比べて１種類以上の消毒作用物１０８を用いて好ましく処理される１種類以上の汚染を含み得る。従って、いくつかの実施形態において、特定される１種類以上の消毒作用物１０８は、１つ以上の消毒作用物１０８が使用されるべきである１つ以上の汚染の特定に基づいて１つ以上の領域１０２内に対する使用にふさわしく選択される。いくつかの実施形態において、特定される１種類以上の消毒作用物１０８は、１つ以上の領域１０２の特性、１つ以上の領域１０２内における１つ以上の対象１０４の特性、および１つ以上の領域１０２内における１つ以上の表面１０６の特性などに基づいて１つ以上の領域１０２内に対する使用にふさわしく選択される。例えば、いくつかの実施形態において、１つ以上の消毒ユニット１１４は、１つ以上の領域１０２に悪影響を与えない１つ以上の消毒作用物１０８と関連する１つ以上の信号１１２を受信できる。例えば、１つ以上の消毒作用物１０８が使用されるべきである１つ以上の領域１０２内における１つ以上の対象１０４を溶かさない１つ以上の消毒作用物１０８が、選択され得る。いくつかの実施形態において、１つ以上の消毒ユニット１１４は、１つ以上の領域１０２の消毒により良好な有効性を有する１つ以上の消毒作用物１０８と関連する１つ以上の信号１１２を受信できる。例えば、エチレンオキシドといったガスである消毒作用物１０８は、穴の多い１つ以上の領域１０２に使用され得る。
【０１５０】
動作１７０８において、受信動作１２１０は、１つ以上のユニット１２０と関連する１つ以上の信号１１２の受信を包含し得る。いくつかの実施形態において、１つ以上の消毒ユニット１１４は、１つ以上の記録ユニット１２０と関連する１つ以上の信号１１２を受信できる。いくつかの実施形態において、１つ以上の消毒ユニット１１４は、１つ以上の領域１０２に割り当てられた１つ以上の消毒手順と関連する１つ以上の信号１１２を受信できる。いくつかの実施形態において、１つ以上の消毒ユニット１１４は、１つ以上の領域１０２が消毒された、および／または消毒されるべきである１つ以上の時点と関連する１つ以上の信号１１２を受信できる。いくつかの実施形態において、１つ以上の消毒ユニット１１４は、１つ以上の領域１０２に使用された、および／または使用されるべきである１つ以上の消毒作用物１０８の特定と関連する１つ以上の信号１１２を受信できる。いくつかの実施形態において、１つ以上の消毒ユニット１１４は、１つ以上の領域１０２が消毒された、および／または消毒されるべきである強度と関連する１つ以上の信号１１２を受信できる。いくつかの実施形態において、１つ以上の消毒ユニット１１４は、１つ以上のが消毒された、および／または消毒されるべきである頻度と関連する１つ以上の信号１１２を受信できる。
【０１５１】
図１８は、図１２の例示的な動作フロー１２００の代替可能な実施形態を説明する。図１８は、使用動作１２２０が少なくとも１つの付加的な動作を包含し得る場合の例示的な実施形態を説明する。付加的な動作は、動作１８０２、動作１８０４、動作１８０６、動作１８０８および／または動作１８１０を包含し得る。
【０１５２】
動作１８０２において、使用動作１２２０は、１つ以上の領域１０２に対する１つ以上の消毒作用物１０８の使用を包含し得る。いくつかの実施形態において、１つ以上の消毒ユニット１１４は、１つ以上の領域１０２に対して１つ以上の消毒作用物１０８を使用し得る。いくつかの実施形態において、１つ以上の消毒ユニット１１４は、１つ以上の領域１０２の１つ以上の地図に従って１つ以上の領域１０２に対して１つ以上の消毒作用物１０８を使用し得る。いくつかの実施形態において、１つ以上の消毒ユニット１１４は、１つ以上の領域１０２の１つ以上の模型に従って１つ以上の領域１０２に対して１つ以上の消毒作用物１０８を使用し得る。いくつかの実施形態において、１つ以上の消毒ユニット１１４は、１つ以上の消毒手順に従って１つ以上の領域１０２に対して１つ以上の消毒作用物１０８を使用し得る。いくつかの実施形態において、１つ以上の消毒ユニット１１４は、１つ以上の領域１０２に割り当てられた１つ以上の消毒状態に従って１つ以上の領域１０２に対して１つ以上の消毒作用物１０８を使用し得る。いくつかの実施形態において、１つ以上の消毒ユニット１１４は、１つ以上のセンサユニット１１８から取得された１つ以上の読み込みに従って１つ以上の領域１０２に対して１つ以上の消毒作用物１０８を使用し得る。いくつかの実施形態において、１つ以上の消毒ユニット１１４は、１つ以上の領域１０２内に存在する１つ以上の物陰にある領域に対して１つ以上の消毒作用物１０８を使用し得る。いくつかの実施形態において、１つ以上の消毒ユニット１１４は、固定式の１つ以上の検査ユニット１１０と関連する１つ以上の命令に従って１つ以上の領域１０２に対して１つ以上の消毒作用物１０８を使用し得る。いくつかの実施形態において、１つ以上の消毒ユニット１１４は、移動式の１つ以上の検査ユニット１１０と関連する１つ以上の命令に従って１つ以上の領域１０２に対して１つ以上の消毒作用物１０８を使用し得る。いくつかの実施形態において、１つ以上の消毒ユニット１１４は、１つ以上の領域１０２に割り当てられた１つ以上の優先順位に従って１つ以上の領域１０２に対して１つ以上の消毒作用物１０８を使用し得る。いくつかの実施形態において、１つ以上の消毒ユニット１１４は、１つ以上の領域１０２内における１人以上の人間の存在または不在に従って１つ以上の領域１０２に対して１つ以上の消毒作用物１０８を使用し得る。いくつかの実施形態において、消毒ユニット１１４は、１つ以上の領域１０２に対して特定された１つ以上の消毒作用物１０８を使用し得る。いくつかの実施形態において、１つ以上の消毒作用物１０８が１つ以上の領域１０２内に対して以前に使用されてから経過している１つ以上の時間の長さに従って１つ以上の領域１０２に対して１つ以上の消毒作用物１０８を使用し得る。
【０１５３】
動作１８０４において、使用動作１２２０は、１つ以上の領域１０２に対する１つ以上の消毒作用物１０８の使用の回避を包含し得る。いくつかの実施形態において、１つ以上の消毒ユニット１１４は、１つ以上の領域１０２に対する１つ以上の消毒作用物１０８の使用を回避し得る。いくつかの実施形態において、１つ以上の消毒ユニット１１４は、１つ以上の領域１０２の１つ以上の地図に従って１つ以上の領域１０２に対する１つ以上の消毒作用物１０８の使用を回避し得る。いくつかの実施形態において、１つ以上の消毒ユニット１１４は、１つ以上の領域１０２の１つ以上の模型に従って１つ以上の領域１０２に対する１つ以上の消毒作用物１０８の使用を回避し得る。いくつかの実施形態において、１つ以上の消毒ユニット１１４は、１つ以上の消毒手順に従って１つ以上の領域１０２に対する１つ以上の消毒作用物１０８の使用を回避し得る。いくつかの実施形態において、１つ以上の消毒ユニット１１４は、１つ以上の領域１０２に割り当てられた１つ以上の消毒状態に従って１つ以上の領域１０２に対する１つ以上の消毒作用物１０８の使用を回避し得る。いくつかの実施形態において、１つ以上の消毒ユニット１１４は、１つ以上のセンサユニット１１８から取得された１つ以上の読み込みに従って１つ以上の領域１０２に対する１つ以上の消毒作用物１０８の使用を回避し得る。いくつかの実施形態において、１つ以上の消毒ユニット１１４は、１つ以上の領域１０２内に存在する１つ以上の物陰にある領域に対する１つ以上の消毒作用物１０８の使用を回避し得る。いくつかの実施形態において、１つ以上の消毒ユニット１１４は、固定式の１つ以上の検査ユニット１１０と関連する１つ以上の命令に従って１つ以上の領域１０２に対する１つ以上の消毒作用物１０８の使用を回避し得る。いくつかの実施形態において、１つ以上の消毒ユニット１１４は、移動式の１つ以上の検査ユニット１１０と関連する１つ以上の命令に従って１つ以上の領域１０２に対する１つ以上の消毒作用物１０８の使用を回避し得る。いくつかの実施形態において、１つ以上の消毒ユニット１１４は、１つ以上の領域１０２に割り当てられた１つ以上の優先順位に従って１つ以上の領域１０２に対する１つ以上の消毒作用物１０８の使用を回避し得る。いくつかの実施形態において、１つ以上の消毒ユニット１１４は、１つ以上の領域１０２内における１人以上の人間の存在または不在に従って１つ以上の領域１０２に対する１つ以上の消毒作用物１０８の使用を回避し得る。いくつかの実施形態において、いくつかの実施形態において、１つ以上の消毒ユニット１１４は、１つ以上の領域１０２に対して特定された１つ以上の消毒作用物１０８の使用を回避し得る。いくつかの実施形態において、１つ以上の消毒ユニット１１４は、１つ以上の消毒作用物１０８が１つ以上の領域１０２内に対して以前に使用されてから経過している時間の長さに従って１つ以上の領域１０２に対する１つ以上の消毒作用物１０８の使用を回避し得る。
【０１５４】
動作１８０６において、使用動作１２２０は、１つ以上の領域１０２内における１つ以上の表面１０６に対する１つ以上の消毒作用物１０８の使用を包含し得る。いくつかの実施形態において、１つ以上の消毒ユニット１１４は、１つ以上の領域１０２内における１つ以上の表面１０６に対して１つ以上の消毒作用物１０８を使用し得る。いくつかの実施形態において、１つ以上の消毒ユニット１１４は、１つ以上の領域１０２の１つ以上の地図に従って１つ以上の領域１０２内における１つ以上の表面１０６に対して１つ以上の消毒作用物１０８を使用し得る。いくつかの実施形態において、１つ以上の消毒ユニット１１４は、１つ以上の領域１０２の１つ以上の模型に従って１つ以上の領域１０２内における１つ以上の表面１０６に対して１つ以上の消毒作用物１０８を使用し得る。いくつかの実施形態において、１つ以上の消毒ユニット１１４は、１つ以上の消毒手順に従って１つ以上の領域１０２内における１つ以上の表面１０６に対して１つ以上の消毒作用物１０８を使用し得る。いくつかの実施形態において、１つ以上の表面１０６に割り当てられた１つ以上の消毒状態に従って１つ以上の領域１０２内における１つ以上の表面１０６に対して１つ以上の消毒作用物１０８を使用し得る。いくつかの実施形態において、１つ以上の消毒ユニット１１４は、１つ以上のセンサユニット１１８から取得された１つ以上の読み込みに従って１つ以上の領域１０２内における１つ以上の表面１０６に対して１つ以上の消毒作用物１０８を使用し得る。いくつかの実施形態において、１つ以上の消毒ユニット１１４は、１つ以上の領域１０２内に存在する１つ以上の物陰にある領域内の１つ以上の表面１０６に対して１つ以上の消毒作用物１０８を使用し得る。いくつかの実施形態において、消毒ユニット１１４は、固定式の１つ以上の検査ユニット１１０と関連する１つ以上の信号１１２に従って１つ以上の領域１０２内における１つ以上の表面１０６に対して１つ以上の消毒作用物１０８を使用し得る。いくつかの実施形態において、１つ以上の消毒ユニット１１４は、移動式の１つ以上の検査ユニット１１０と関連する１つ以上の信号１１２に従って１つ以上の領域１０２内における１つ以上の表面１０６に対して１つ以上の消毒作用物１０８を使用し得る。いくつかの実施形態において、１つ以上の消毒ユニット１１４は、１つ以上の領域１０２内における１つ以上の表面１０６に割り当てられた１つ以上の優先順位に従って１つ以上の表面１０６に対して１つ以上の消毒作用物１０８を使用し得る。いくつかの実施形態において、１つ以上の消毒ユニット１１４は、１人以上の人間が１つ以上の領域１０２内に存在するかまたは不在であることに従って１つ以上の領域１０２内における１つ以上の表面１０６に対して１つ以上の消毒作用物１０８を使用し得る。いくつかの実施形態において、１つ以上の消毒ユニット１１４は、１つ以上の領域１０２内における１つ以上の表面１０６に対して特定された１つ以上の消毒作用物１０８を使用し得る。いくつかの実施形態において、１つ以上の消毒ユニット１１４は、１つ以上の消毒作用物１０８が１つ以上の領域１０２内における１つ以上の表面１０６に対して以前に使用されてから経過している時間の長さに従って１つ以上の領域１０２内における１つ以上の表面１０６に対して１つ以上の消毒作用物１０８を使用し得る。
【０１５５】
動作１８０８において、使用動作１２２０は、１つ以上の領域１０２内における１つ以上の表面１０６に対する１つ以上の消毒作用物１０８の使用の回避を包含し得る。いくつかの実施形態において、１つ以上の消毒ユニット１１４は、１つ以上の領域１０２内における１つ以上の表面１０６に対する１つ以上の消毒作用物１０８の使用を回避し得る。いくつかの実施形態において、１つ以上の消毒ユニット１１４は、１つ以上の領域１０２の１つ以上の地図に従って１つ以上の領域１０２内における１つ以上の表面１０６に対する１つ以上の消毒作用物１０８の使用を回避し得る。いくつかの実施形態において、１つ以上の消毒ユニット１１４は、１つ以上の領域１０２内における１つ以上の模型に従って１つ以上の領域１０２内における１つ以上の表面１０６に対する１つ以上の消毒作用物１０８の使用を回避し得る。いくつかの実施形態において、１つ以上の消毒ユニット１１４は、１つ以上の消毒手順に従って１つ以上の領域１０２内における１つ以上の表面１０６に対する１つ以上の消毒作用物１０８の使用を回避し得る。いくつかの実施形態において、１つ以上の消毒ユニット１１４は、１つ以上の表面１０６に割り当てられた１つ以上の消毒状態に従って１つ以上の領域１０２内における１つ以上の表面１０６に対する１つ以上の消毒作用物１０８の使用を回避し得る。いくつかの実施形態において、１つ以上の消毒ユニット１１４は、１つ以上のセンサユニット１１８から取得された１つ以上の読み込みに従って１つ以上の領域１０２内における１つ以上の表面１０６に対する１つ以上の消毒作用物１０８の使用を回避し得る。いくつかの実施形態において、１つ以上の消毒ユニット１１４は、１つ以上の領域１０２内に存在する１つ以上の物陰にある領域内の１つ以上の表面１０６に対する１つ以上の消毒作用物１０８の使用を回避し得る。いくつかの実施形態において、１つ以上の消毒ユニット１１４は、固定式の１つ以上の検査ユニット１１０と関連する１つ以上の信号１１２に従って１つ以上の領域１０２内における１つ以上の表面１０６に対する１つ以上の消毒作用物１０８の使用を回避し得る。いくつかの実施形態において、１つ以上の消毒ユニット１１４は、移動式の１つ以上の検査ユニット１１０と関連する１つ以上の信号１１２に従って１つ以上の領域１０２内における１つ以上の表面１０６に対する１つ以上の消毒作用物１０８の使用を回避し得る。いくつかの実施形態において、１つ以上の消毒ユニット１１４は、１つ以上の領域１０２内における１つ以上の表面１０６に割り当てられた優先順位に従って１つ以上の領域１０２内における１つ以上の表面１０６に対する１つ以上の消毒作用物１０８の使用を回避し得る。いくつかの実施形態において、１つ以上の消毒ユニット１１４は、１つ以上の領域１０２内に１人以上の人間が存在するかまたは不在であることに従って１つ以上の領域１０２内における１つ以上の表面１０６に対する１つ以上の消毒作用物１０８の使用を回避し得る。いくつかの実施形態において、１つ以上の消毒ユニット１１４は、１つ以上の領域１０２内における１つ以上の表面１０６に対して特定された１つ以上の消毒作用物１０８の使用を回避し得る。いくつかの実施形態において、１つ以上の消毒ユニット１１４は、１つ以上の消毒作用物１０８が１つ以上の領域１０２内における１つ以上の表面１０６に対して以前に使用されてから経過している時間の長さに従って１つ以上の領域１０２内における１つ以上の表面１０６に対する１つ以上の消毒作用物１０８の使用を回避し得る。
【０１５６】
動作１８１０において、使用動作１２２０は、１つ以上の領域１０２内における１つ以上の対象１０４に対する１つ以上の消毒作用物１０８の使用を包含し得る。いくつかの実施形態において、１つ以上の消毒ユニット１１４は、１つ以上の領域１０２内における１つ以上の対象１０４に対して１つ以上の消毒作用物１０８を使用し得る。いくつかの実施形態において、１つ以上の消毒ユニット１１４は、１つ以上の領域１０２の１つ以上の地図に従って１つ以上の領域１０２内における１つ以上の対象１０４に対して１つ以上の消毒作用物１０８を使用し得る。いくつかの実施形態において、１つ以上の消毒ユニット１１４は、１つ以上の領域１０２の１つ以上の模型に従って１つ以上の領域１０２内における１つ以上の対象１０４に対して１つ以上の消毒作用物１０８を使用し得る。いくつかの実施形態において、１つ以上の消毒ユニット１１４は、１つ以上の消毒手順に従って１つ以上の領域１０２内における１つ以上の対象１０４に対して１つ以上の消毒作用物１０８を使用し得る。いくつかの実施形態において、１つ以上の消毒ユニット１１４は、１つ以上の領域１０２に割り当てられた１つ以上の消毒状態に従って１つ以上の領域１０２内における１つ以上の対象１０４に対して１つ以上の消毒作用物１０８を使用し得る。いくつかの実施形態において、１つ以上の消毒ユニット１１４は、１つ以上のセンサユニット１１８から取得された読み込みに従って１つ以上の領域１０２内における１つ以上の対象１０４に対して１つ以上の消毒作用物１０８を使用し得る。いくつかの実施形態において、１つ以上の消毒ユニット１１４は、１つ以上の領域１０２内に存在する１つ以上の物陰にある領域内における１つ以上の対象１０４に対して１つ以上の消毒作用物１０８を使用し得る。いくつかの実施形態において、１つ以上の消毒ユニット１１４は、固定式の１つ以上の検査ユニット１１０と関連する１つ以上の信号１１２に従って１つ以上の領域１０２内における１つ以上の対象１０４に対して１つ以上の消毒作用物１０８を使用し得る。いくつかの実施形態において、１つ以上の消毒ユニット１１４は、移動式の１つ以上の検査ユニット１１０と関連する１つ以上の信号１１２に従って１つ以上の領域１０２内における１つ以上の対象１０４に対して１つ以上の消毒作用物１０８を使用し得る。いくつかの実施形態において、１つ以上の消毒ユニット１１４は、１つ以上の対象１０４と関連する優先順位に従って１つ以上の領域１０２内における１つ以上の対象１０４に対して１つ以上の消毒作用物１０８を使用し得る。いくつかの実施形態において、１つ以上の消毒ユニット１１４は、１人以上の人間が１つ以上の領域１０２内に存在するかまたは不在であることに従って１つ以上の領域１０２内における１つ以上の対象１０４に対して１つ以上の消毒作用物１０８を使用し得る。いくつかの実施形態において、１つ以上の消毒ユニット１１４は、１つ以上の領域１０２内における１つ以上の対象１０４に対して特定された１つ以上の消毒作用物１０８を使用し得る。いくつかの実施形態において、１つ以上の消毒ユニット１１４は、１つ以上の消毒作用物１０８が１つ以上の領域１０２内に対して以前に使用されてから経過している時間の長さに従って１つ以上の領域１０２内における１つ以上の対象１０４に対して１つ以上の消毒作用物１０８を使用し得る。
【０１５７】
図１９は、図１２の例示的な動作フロー１２００の代替可能な実施形態を説明する。図１９は、使用動作１２２０が少なくとも１つの付加的な動作を包含し得る場合の例示的な実施形態を説明する。付加的な動作は、動作１９０２、動作１９０４、動作１９０６、動作１９０８および／または動作１９１０を包含し得る。
【０１５８】
動作１９０２において、使用動作１２２０は、１つ以上の領域１０２内における１つ以上の対象１０４に対する１つ以上の消毒作用物１０８の使用の回避を包含し得る。いくつかの実施形態において、１つ以上の消毒ユニット１１４は、１つ以上の領域１０２内における１つ以上の対象１０４に対する１つ以上の消毒作用物１０８の使用を回避し得る。いくつかの実施形態において、１つ以上の消毒ユニット１１４は、１つ以上の領域１０２の１つ以上の地図に従って１つ以上の領域１０２内における１つ以上の対象１０４に対する１つ以上の消毒作用物１０８の使用を回避し得る。いくつかの実施形態において、１つ以上の消毒ユニット１１４は、１つ以上の領域１０２の型に従って１つ以上の領域１０２内における１つ以上の対象１０４に対する１つ以上の消毒作用物１０８の使用を回避し得る。いくつかの実施形態において、１つ以上の消毒ユニット１１４は、１つ以上の消毒手順に従って１つ以上の領域１０２内における１つ以上の対象１０４に対する１つ以上の消毒作用物１０８の使用を回避し得る。いくつかの実施形態において、１つ以上の消毒ユニット１１４は、１つ以上の領域１０２に割り当てられた１つ以上の消毒状態に従って１つ以上の領域１０２内における１つ以上の対象１０４に対する１つ以上の消毒作用物１０８の使用を回避し得る。いくつかの実施形態において、１つ以上の消毒ユニット１１４は、１つ以上のセンサユニット１１８から取得された１つ以上の読み込みに従って１つ以上の領域１０２内における１つ以上の対象１０４に対する１つ以上の消毒作用物１０８の使用を回避し得る。いくつかの実施形態において、１つ以上の消毒ユニット１１４は、１つ以上の領域１０２内に存在する１つ以上の物陰にある領域内における１つ以上の対象１０４に対する１つ以上の消毒作用物１０８の使用を回避し得る。いくつかの実施形態において、１つ以上の消毒ユニット１１４は、固定式の１つ以上の検査ユニット１１０と関連する１つ以上の信号１１２に従って１つ以上の領域１０２内における１つ以上の対象１０４に対する１つ以上の消毒作用物１０８の使用を回避し得る。いくつかの実施形態において、１つ以上の消毒ユニット１１４は、移動式の１つ以上の検査ユニット１１０と関連する１つ以上の信号１１２に従って１つ以上の領域１０２内における１つ以上の対象１０４に対する１つ以上の消毒作用物１０８の使用を回避し得る。いくつかの実施形態において、１つ以上の消毒ユニット１１４は、１つ以上の対象１０４と関連する１つ以上の優先順位に従って１つ以上の領域１０２内における１つ以上の対象１０４に対する１つ以上の消毒作用物１０８の使用を回避し得る。いくつかの実施形態において、１つ以上の消毒ユニット１１４は、１人以上の人間が１つ以上の領域１０２内に存在するかまたは不在であるかどうかに従って１つ以上の領域１０２内における１つ以上の対象１０４に対する１つ以上の消毒作用物１０８の使用を回避し得る。いくつかの実施形態において、１つ以上の消毒ユニット１１４は、１つ以上の領域１０２内における１つ以上の対象１０４に対して特定された１つ以上の消毒作用物１０８の使用を回避し得る。いくつかの実施形態において、１つ以上の消毒ユニット１１４は、１つ以上の消毒作用物１０８が１つ以上の領域１０２内に対して以前に使用されてから経過している時間の長さに従って１つ以上の領域１０２内における１つ以上の対象１０４に対する１つ以上の消毒作用物１０８の使用を回避し得る。
【０１５９】
動作１９０４において、使用動作１２２０は、１つ以上の領域１０２の１つ以上の地図に従った１つ以上の領域１０２内に対する１つ以上の消毒作用物１０８の使用を包含し得る。いくつかの実施形態において、１つ以上の消毒ユニット１１４は、１つ以上の領域１０２内における１つ以上の地図に従って１つ以上の領域１０２内に対して１つ以上の消毒作用物１０８を使用し得る。いくつかの実施形態において、１つ以上の消毒ユニット１１４は、１つ以上の地図によって実質的に示される通りの１つ以上の領域１０２の１つ以上の寸法に従って１つ以上の領域１０２内に対して１つ以上の消毒作用物１０８を使用し得る。いくつかの実施形態において、１つ以上の消毒ユニット１１４は、１つ以上の地図によって実質的に示される通りの１つ以上の領域１０２内における１つ以上の表面１０６および／または１つ以上の対象１０４の１つ以上の位置に従って１つ以上の領域１０２内に対して１つ以上の消毒作用物１０８を使用し得る。いくつかの実施形態において、１つ以上の消毒ユニット１１４は、１つ以上の地図によって実質的に示される通りの１つ以上の対象１０４の１つ以上の寸法ならびに１つ以上の領域１０２内における１つ以上の表面１０６および／または１つ以上の対象１０４の１つ以上の位置に従って１つ以上の領域１０２に対して１つ以上の消毒作用物１０８を使用し得る。いくつかの実施形態において、１つ以上の消毒ユニット１１４は、１つ以上の地図に従って１つ以上の領域１０２に対する１つ以上の消毒作用物１０８の使用を回避し得る。いくつかの実施形態において、１つ以上の消毒ユニット１１４は、１つ以上の領域１０２の１つ以上の地図に従って１つ以上の領域１０２内における１つ以上の表面１０６に対して１つ以上の消毒作用物１０８を使用し得る。いくつかの実施形態において、１つ以上の消毒ユニット１１４は、１つ以上の領域１０２の１つ以上の地図に従って１つ以上の領域１０２内における１つ以上の表面１０６に対する１つ以上の消毒作用物１０８の使用を回避し得る。いくつかの実施形態において、１つ以上の消毒ユニット１１４は、１つ以上の領域１０２の１つ以上の地図に従って１つ以上の領域１０２内における１つ以上の対象１０４に対して１つ以上の消毒作用物１０８を使用し得る。１つ以上の領域１０２の１つ以上の地図に従って１つ以上の領域１０２内における１つ以上の対象１０４に対する１つ以上の消毒作用物１０８の使用を回避し得る。いくつかの実施形態において、１つ以上の消毒ユニット１１４は、１つ以上の領域１０２の１つ以上の地図に従って１つ以上の領域１０２内における１つ以上の物陰にある領域に対して１つ以上の消毒作用物１０８を使用し得る。いくつかの実施形態において、１つ以上の消毒ユニット１１４は、１つ以上の領域１０２の１つ以上の地図に示される通りの１つ以上の領域１０２の１つ以上の優先順位に従って１つ以上の領域１０２に対して１つ以上の消毒作用物１０８を使用し得る。いくつかの実施形態において、１つ以上の消毒ユニット１１４は、１つ以上の地図に示される通りの１つ以上の表面１０６の１つ以上の優先順位に従って１つ以上の領域１０２に対して１つ以上の消毒作用物１０８を使用し得る。いくつかの実施形態において、１つ以上の消毒ユニット１１４は、１つ以上の地図に従って１つ以上の領域１０２の１つ以上の部分に対して１つ以上の消毒作用物１０８を使用し得る。いくつかの実施形態において、１つ以上の消毒ユニット１１４は、１つ以上の地図に従って１つ以上の部分に対する１つ以上の消毒ユニット１１４の使用を回避し得る。
【０１６０】
動作１９０６において、使用動作１２２０は、１つ以上の領域１０２の１つ以上の模型に従った１つ以上の領域１０２に対する１つ以上の消毒作用物１０８の使用を包含し得る。いくつかの実施形態において、１つ以上の消毒ユニット１１４は、１つ以上の領域１０２の１つ以上の模型に従って１つ以上の領域１０２に対して１つ以上の消毒作用物１０８を使用し得る。いくつかの実施形態において、１つ以上の消毒ユニット１１４は、１つ以上の領域１０２の１つ以上の寸法を規定する１つ以上の領域１０２の１つ以上の模型に従って１つ以上の消毒作用物１０８を使用し得る。いくつかの実施形態において、１つ以上の消毒ユニット１１４は、１つ以上の領域１０２内における１つ以上の表面１０６および／または１つ以上の対象１０４の１つ以上の位置を規定する１つ以上の領域１０２の１つ以上の模型に従って１つ以上の消毒作用物１０８を使用し得る。いくつかの実施形態において、１つ以上の消毒ユニット１１４は、１つ以上の対象１０４の１つ以上の寸法ならびに１つ以上の領域１０２内における１つ以上の表面１０６および／または１つ以上の対象１０４の１つ以上の位置を規定する１つ以上の領域１０２の１つ以上の模型に従って１つ以上の消毒作用物１０８を使用し得る。いくつかの実施形態において、１つ以上の消毒ユニット１１４は、１つ以上の領域１０２内に１つ以上の消毒作用物１０８を使用すべきである場所を示す１つ以上の領域１０２の１つ以上の模型に従って１つ以上の消毒作用物１０８を使用し得る。いくつかの実施形態において、１つ以上の消毒ユニット１１４は、１つ以上の領域１０２内に１つ以上の消毒作用物１０８を使用すべきではない場所を示す１つ以上の領域１０２の１つ以上の模型に従って１つ以上の消毒作用物１０８を使用し得る。いくつかの実施形態において、１つ以上の消毒ユニット１１４は、１つ以上の領域１０２内において１つ以上の消毒作用物１０８を使用すべきである１つ以上の表面１０６を示す１つ以上の領域１０２の１つ以上の模型に従って１つ以上の消毒作用物１０８を使用し得る。いくつかの実施形態において、１つ以上の消毒ユニット１１４は、１つ以上の領域１０２において１つ以上の消毒作用物１０８を使用すべきではない１つ以上の表面１０６を示す１つ以上の領域１０２の１つ以上の模型に従って１つ以上の消毒作用物１０８を使用し得る。いくつかの実施形態において、１つ以上の消毒ユニット１１４は、１つ以上の領域１０２内において１つ以上の消毒作用物１０８を使用すべきである１つ以上の対象１０４を示す１つ以上の領域１０２の１つ以上の模型に従って１つ以上の消毒作用物１０８を使用し得る。いくつかの実施形態において、１つ以上の消毒ユニット１１４は、１つ以上の領域１０２において１つ以上の消毒作用物１０８を使用すべきではない１つ以上の対象１０４を示す１つ以上の領域１０２の１つ以上の模型に従って１つ以上の消毒作用物１０８を使用し得る。いくつかの実施形態において、１つ以上の消毒ユニット１１４は、１つ以上の消毒手順に従うことの命令を包含する１つ以上の領域１０２の１つ以上の模型に従って１つ以上の消毒作用物１０８を使用し得る。いくつかの実施形態において、１つ以上の消毒ユニット１１４は、１つ以上の領域１０２に割り当てられた１つ以上の消毒状態を包含する１つ以上の領域１０２の１つ以上の模型に従って１つ以上の消毒作用物１０８を使用し得る。いくつかの実施形態において、１つ以上の消毒ユニット１１４は、１つ以上のセンサユニット１１８から取得された１つ以上の読み込みを包含する１つ以上の領域１０２の１つ以上の模型に従って１つ以上の消毒作用物１０８を使用し得る。いくつかの実施形態において、１つ以上の消毒ユニット１１４は、１つ以上の領域１０２内に存在する１つ以上の物陰にある領域の１つ以上の位置を示す１つ以上の領域１０２の１つ以上の模型に従って１つ以上の消毒作用物１０８を使用し得る。いくつかの実施形態において、１つ以上の消毒ユニット１１４は、消毒に関して１つ以上の領域１０２の優先順位を決定する１つ以上の領域１０２の１つ以上の模型に従って１つ以上の消毒作用物１０８を使用し得る。いくつかの実施形態において、１つ以上の消毒ユニット１１４は、消毒に関して１つ以上の領域１０２内における１つ以上の表面１０６の優先順位を決定する１つ以上の領域１０２の１つ以上の模型に従って１つ以上の消毒作用物１０８を使用し得る。いくつかの実施形態において、１つ以上の消毒ユニット１１４は、１つ以上の領域１０２内における１人以上の人間の存在または不在を包含する１つ以上の領域１０２１つ以上の模型に従って１つ以上の消毒作用物１０８を使用し得る。いくつかの実施形態において、１つ以上の消毒ユニット１１４は、１つ以上の消毒作用物１０８が使用されるべきである１つ以上の領域１０２の１つ以上の位置を示す１つ以上の領域１０２の１つ以上の模型に従って１つ以上の消毒作用物１０８を使用し得る。いくつかの実施形態において、１つ以上の消毒ユニット１１４は、１つ以上の消毒作用物１０８が使用されるべきではない１つ以上の領域１０２の１つ以上の位置を示す１つ以上の領域１０２の１つ以上の模型に従って１つ以上の消毒作用物１０８を使用し得る。いくつかの実施形態において、１つ以上の消毒ユニット１１４は、１つ以上の領域１０２に対して使用すべきである１つ以上の消毒作用物１０８を特定する１つ以上の領域１０２の１つ以上の模型に従って１つ以上の消毒作用物１０８を使用し得る。いくつかの実施形態において、１つ以上の消毒ユニット１１４は、１つ以上の消毒作用物１０８が１つ以上の領域１０２内に対して以前に使用されてから経過している時間の長さを示す１つ以上の領域１０２の１つ以上の模型に従って１つ以上の消毒作用物１０８を使用し得る。
【０１６１】
動作１９０８において、使用動作１２２０は、１つ以上の消毒手順に従った１つ以上の領域１０２に対する１つ以上の消毒作用物１０８の使用を包含し得る。いくつかの実施形態において、１つ以上の消毒ユニット１１４は、１つ以上の消毒手順に従って１つ以上の領域１０２に対して１つ以上の消毒作用物１０８を使用し得る。いくつかの実施形態において、１つ以上の消毒ユニット１１４は、１つ以上の領域１０２内における相対位置または絶対位置のいずれかに応じて１つ以上の領域１０２内に使用されるべきである消毒照射線の緊急性、待ち時間、強度および時間総和強度を特定する１つ以上の消毒手順に従って１つ以上の領域１０２に対して１つ以上の消毒作用物１０８を使用し得る。いくつかの実施形態において、１つ以上の消毒ユニット１１４は、１つ以上の領域１０２に対して使用されるべきである１種類以上の消毒作用物１０８を特定する１つ以上の消毒手順に従って１つ以上の領域１０２に対して１つ以上の消毒作用物１０８を使用し得る。いくつかの実施形態において、１つ以上の消毒ユニット１１４は、１つ以上の領域１０２に使用されるべきではない１種類以上の消毒作用物１０８を特定する１つ以上の消毒手順に従って１つ以上の領域１０２に対して１つ以上の消毒作用物１０８を使用し得る。いくつかの実施形態において、１つ以上の消毒ユニット１１４は、１つ以上の消毒作用物１０８が１つ以上の領域１０２に使用されるべきである頻度を特定する１つ以上の消毒手順に従って１つ以上の領域１０２に対して１つ以上の消毒作用物１０８を使用し得る。いくつかの実施形態において、１つ以上の消毒ユニット１１４は、１つ以上の消毒作用物１０８が１つ以上の領域１０２に対して使用されるべきである強度および／または集中度を特定する１つ以上の消毒手順に従って１つ以上の領域１０２に対して１つ以上の消毒作用物１０８を使用し得る。いくつかの実施形態において、１つ以上の消毒ユニット１１４は、１つ以上の領域１０２が消毒されて患者の危険性が高いおよび／または感染性が高くなる見込みのある領域の評価に応じて当該領域１０２が厳密および／または頻繁な消毒処理を受けることを確実にする強度を特定する１つ以上の消毒手順に従って１つ以上の領域１０２に対して１つ以上の消毒作用物１０８を使用し得る。いくつかの実施形態において、１つ以上の消毒ユニット１１４は、１つ以上の領域１０２が最後に消毒されてから経過している時間の程度と関連する１つ以上の消毒手順に従って１つ以上の領域１０２に対して１つ以上の消毒作用物１０８を使用し得る。いくつかの実施形態において、１つ以上の消毒ユニット１１４は、所定の時間の長さにおける１つ以上の領域１０２に対する消毒を要求する１つ以上の消毒手順に従って１つ以上の領域１０２に対して１つ以上の消毒作用物１０８を使用し得る。
【０１６２】
動作１９１０において、使用動作１２２０は、１つ以上の領域１０２に割り当てられた１つ以上の消毒状態に従った１つ以上の領域１０２に対する１つ以上の消毒作用物１０８の使用を包含し得る。いくつかの実施形態において、１つ以上の消毒ユニット１１４は、１つ以上の領域１０２に割り当てられた１つ以上の消毒状態に従って１つ以上の領域１０２に対して１つ以上の消毒作用物１０８を使用し得る。いくつかの実施形態において、１つ以上の消毒ユニット１１４は、１つ以上の領域１０２に割り当てられた１つ以上の消毒度と関連し得る１つ以上の領域１０２に割り当てられた１つ以上の消毒状態に従って１つ以上の領域１０２に対して１つ以上の消毒作用物１０８を使用し得る。いくつかの実施形態において、１つ以上の消毒ユニット１１４は、消毒の時間、消毒の頻度、使用されるべきである消毒作用物１０８の種類、消毒の強度、複数の消毒作用物１０８に使用、１つ以上の領域１０２に割り当てられた危険度、１つ以上の領域１０２に生じる汚染の種類、および／または１つ以上の領域１０２内における患者の病状（ｄｉｓｅａｓｅ  ｓｔａｔｅ）に関する要素を包含する１つ以上の消毒状態に従って１つ以上の領域１０２に対して１つ以上の消毒作用物１０８を使用し得る。いくつかの実施形態において、１つ以上の消毒ユニット１１４は、１つ以上の領域１０２が消毒される場合または１つ以上の領域１０２が所望の消毒度を満たすか否かを示す１つ以上の消毒状態に従って１つ以上の領域１０２に対して１つ以上の消毒作用物１０８を使用し得る。
【０１６３】
図２０は、図１２の例示的な動作フロー１２００の代替可能な実施形態を説明する。図２０は、使用動作１２２０が少なくとも１つの付加的な動作を包含し得る場合の例示的な実施形態を説明する。付加的な動作は、動作２００２、動作２００４、動作２００６、動作２００８および／または動作２０１０を包含し得る。
【０１６４】
動作２００２において、使用動作１２２０は、１つ以上のセンサユニット１１８から取得された１つ以上の読み込みに従った１つ以上の領域１０２に対する１つ以上の消毒作用物１０８の使用を包含し得る。いくつかの実施形態において、１つ以上の消毒ユニット１１４は、１つ以上のセンサユニット１１８から取得された１つ以上の読み込みに従って１つ以上の領域１０２に対して１つ以上の消毒作用物１０８を使用し得る。いくつかの実施形態において、１つ以上の消毒ユニット１１４は、１つ以上の領域１０２が消毒された１つ以上の時点を示す１つ以上のセンサユニット１１８から取得された読み込みに従って１つ以上の領域１０２に対して１つ以上の消毒作用物１０８を使用し得る。いくつかの実施形態において、１つ以上の消毒ユニット１１４は、１つ以上の領域１０２が消毒される頻度の程度を示す１つ以上のセンサユニット１１８から取得された読み込みに従って１つ以上の領域１０２に対して１つ以上の消毒作用物１０８を使用し得る。いくつかの実施形態において、１つ以上の消毒ユニット１１４は、１つ以上の領域１０２が消毒される強度を示す１つ以上のセンサユニット１１８から取得された読み込みに従って１つ以上の領域１０２に対して１つ以上の消毒作用物１０８を使用し得る。いくつかの実施形態において、１つ以上の消毒ユニット１１４は、１つ以上の領域１０２内における１つ以上の表面１０６が消毒されているか否かを示す１つ以上のセンサユニット１１８から取得された読み込みに従って１つ以上の領域１０２に対して１つ以上の消毒作用物１０８を使用し得る。いくつかの実施形態において、１つ以上の消毒ユニット１１４は、１つ以上の領域１０２内に使用されている１種類以上の消毒作用物１０８を示す１つ以上のセンサユニット１１８から取得された読み込みに従って１つ以上の領域１０２に対して１つ以上の消毒作用物１０８を使用し得る。いくつかの実施形態において、１つ以上の消毒ユニット１１４は、１つ以上の消毒ユニット１１４は、１つ以上の領域１０２内における１つ以上の表面１０６に使用されている１種類以上の消毒作用物１０８を示す１つ以上のセンサユニット１１８から取得された読み込みに従って１つ以上の領域１０２に対して１つ以上の消毒作用物１０８を使用し得る。いくつかの実施形態において、１つ以上の消毒ユニット１１４は、１つ以上の消毒ユニット１１４は、１つ以上の領域１０２内における１つ以上の対象１０４に使用されている１種類以上の消毒作用物１０８を示す１つ以上のセンサユニット１１８から取得された読み込みに従って１つ以上の領域１０２に対して１つ以上の消毒作用物１０８を使用し得る。いくつかの実施形態において、１つ以上の消毒ユニット１１４は、１つ以上の消毒ユニット１１４は、１つ以上の領域１０２内における１つ以上の表面１０６および／または１つ以上の対象１０４に使用されている１種類以上の消毒作用物１０８を示す１つ以上のセンサユニット１１８から取得された読み込みに従って１つ以上の領域１０２に対して１つ以上の消毒作用物１０８を使用し得る。１つ以上の消毒ユニット１１４は、１つ以上の領域１０２に存在する１つ以上の物陰にある領域を示す１つ以上のセンサユニット１１８から取得された読み込みに従って１つ以上の領域１０２に対して１つ以上の消毒作用物１０８を使用し得る。
【０１６５】
動作２００４において、使用動作１２２０は、１つ以上の領域１０２内に存在する１つ以上の物陰にある領域に対する１つ以上の消毒作用物１０８の使用を包含し得る。いくつかの実施形態において、１つ以上の消毒ユニット１１４は、１つ以上の領域１０２内に存在する１つ以上の物陰にある領域に対して１つ以上の消毒作用物１０８を使用し得る。
【０１６６】
動作２００６において、使用動作１２２０は、固定式の１つ以上の消毒ユニット１１４から１つ以上の領域１０２に対する１つ以上の消毒作用物１０８の使用を包含し得る。いくつかの実施形態において、固定式の１つ以上の消毒ユニット１１４は、１つ以上の領域１０２に対して１つ以上の消毒作用物１０８を使用し得る。いくつかの実施形態において、１つ以上の消毒ユニット１１４は、１つ以上の領域１０２に対する１つ以上の消毒作用物１０８の使用を回避し得る。いくつかの実施形態において、１つ以上の消毒ユニット１１４は、１つ以上の領域１０２内における１つ以上の表面１０６に対して１つ以上の消毒作用物１０８を使用し得る。いくつかの実施形態において、１つ以上の消毒ユニット１１４は、１つ以上の領域１０２内における１つ以上の表面１０６に対する１つ以上の消毒作用物１０８の使用を回避し得る。いくつかの実施形態において、１つ以上の消毒ユニット１１４は、１つ以上の領域１０２内における１つ以上の対象１０４に対して１つ以上の消毒作用物１０８を使用し得る。いくつかの実施形態において、１つ以上の消毒ユニット１１４は、１つ以上の領域１０２内における１つ以上の対象１０４に対する１つ以上の消毒作用物１０８の使用を回避し得る。いくつかの実施形態において、１つ以上の消毒ユニット１１４は、１つ以上の領域１０２の１つ以上の地図に従って１つ以上の消毒作用物１０８を使用し得る。いくつかの実施形態において、１つ以上の消毒ユニット１１４は、１つ以上の領域１０２の１つ以上の模型に従って１つ以上の消毒作用物１０８を使用し得る。いくつかの実施形態において、１つ以上の消毒ユニット１１４は、１つ以上の領域１０２に割り当てられた１つ以上の消毒手順に従って１つ以上の領域１０２に対して１つ以上の消毒作用物１０８を使用し得る。いくつかの実施形態において、１つ以上の消毒ユニット１１４は、１つ以上の領域１０２に割り当てられた１つ以上の消毒状態に従って１つ以上の領域１０２に対して１つ以上の消毒作用物１０８を使用し得る。いくつかの実施形態において、１つ以上の消毒ユニット１１４は、１つ以上のセンサユニット１１８から取得された１つ以上の読み込みに従って１つ以上の消毒作用物１０８を使用し得る。いくつかの実施形態において、１つ以上の消毒ユニット１１４は、１つ以上の領域１０２内における１つ以上の物陰にある領域の１つ以上の位置に従って１つ以上の消毒作用物１０８を使用し得る。
【０１６７】
いくつかの実施形態において、１つ以上の消毒ユニット１１４は、１つ以上の領域１０２に割り当てられた消毒に関する１つ以上の優先順位に従って１つ以上の消毒作用物１０８を使用し得る。いくつかの実施形態において、１つ以上の消毒ユニット１１４は、１つ以上の領域１０２内における１つ以上の表面１０６に割り当てられた消毒に関する１つ以上の優先順位に従って１つ以上の消毒作用物１０８を使用し得る。いくつかの実施形態において、１つ以上の消毒ユニット１１４は、１人以上の人間が１つ以上の領域１０２内に存在することまたは不在であることに従って１つ以上の消毒作用物１０８を使用し得る。いくつかの実施形態において、１つ以上の消毒ユニット１１４は、１つ以上の領域１０２の１つ以上の部分に対して１つ以上の消毒作用物１０８を使用し得る。いくつかの実施形態において、１つ以上の消毒ユニット１１４は、１つ以上の消毒作用物１０８が１つ以上の領域１０２内に対して以前に使用されてから経過している時間の長さに従って１つ以上の領域１０２に対して１つ以上の消毒作用物１０８を使用し得る。
【０１６８】
動作２００８において、移動式の１つ以上の消毒ユニット１１４から１つ以上の領域１０２に対する１つ以上の消毒作用物１０８の使用を包含し得る。いくつかの実施形態において、移動式の１つ以上の消毒ユニット１１４は、１つ以上の領域１０２に対して１つ以上の消毒作用物１０８を使用し得る。いくつかの実施形態において、１つ以上の消毒ユニット１１４は、１つ以上の領域１０２に対する１つ以上の消毒作用物１０８の使用を回避し得る。いくつかの実施形態において、１つ以上の消毒ユニット１１４は、１つ以上の領域１０２内における１つ以上の表面１０６に対して１つ以上の消毒作用物１０８を使用し得る。いくつかの実施形態において、１つ以上の消毒ユニット１１４は、１つ以上の領域１０２内における１つ以上の表面１０６に対する１つ以上の消毒作用物１０８の使用を回避し得る。いくつかの実施形態において、１つ以上の消毒ユニット１１４は、１つ以上の領域１０２内における１つ以上の対象１０４に対して１つ以上の消毒作用物１０８を使用し得る。いくつかの実施形態において、１つ以上の消毒ユニット１１４は、１つ以上の領域１０２内における１つ以上の対象１０４に対する１つ以上の消毒作用物１０８の使用を回避し得る。いくつかの実施形態において、１つ以上の消毒ユニット１１４は、１つ以上の領域１０２の１つ以上の地図に従って１つ以上の消毒作用物１０８を使用し得る。いくつかの実施形態において、１つ以上の消毒ユニット１１４は、１つ以上の領域１０２の１つ以上の模型に従って１つ以上の消毒作用物１０８を使用し得る。いくつかの実施形態において、１つ以上の消毒ユニット１１４は、１つ以上の領域１０２に割り当てられた１つ以上の消毒手順に従って１つ以上の消毒作用物１０８を使用し得る。いくつかの実施形態において、１つ以上の消毒ユニット１１４は、１つ以上の領域１０２に割り当てられた１つ以上の消毒状態に従って１つ以上の消毒作用物１０８を使用し得る。１つ以上のセンサユニット１１８から取得された１つ以上の読み込みに従って１つ以上の消毒作用物１０８を使用し得る。いくつかの実施形態において、１つ以上の消毒ユニット１１４は、１つ以上の領域１０２内に存在する１つ以上の物陰にある領域の１つ以上の位置に従って１つ以上の消毒作用物１０８を使用し得る。
【０１６９】
いくつかの実施形態において、１つ以上の消毒ユニット１１４は、１つ以上の領域１０２に割り当てられた消毒に関する１つ以上の優先順位に従って１つ以上の消毒作用物１０８を使用し得る。いくつかの実施形態において、１つ以上の消毒ユニット１１４は、１つ以上の領域１０２内における１つ以上の表面１０６に割り当てられた消毒に関する１つ以上の優先順位に従って１つ以上の消毒作用物１０８を使用し得る。いくつかの実施形態において、１つ以上の消毒ユニット１１４は、１人以上の人間が１つ以上の領域１０２内に存在することまたは不在であることに従って１つ以上の消毒作用物１０８を使用し得る。いくつかの実施形態において、１つ以上の消毒ユニット１１４は、１つ以上の領域１０２の１つ以上の部分に対して１つ以上の消毒作用物１０８を使用し得る。いくつかの実施形態において、１つ以上の消毒ユニット１１４は、１つ以上の消毒作用物１０８が１つ以上の領域１０２内に対して以前に使用されてから経過している時間の長さに従って１つ以上の領域１０２に対して１つ以上の消毒作用物１０８を使用する。
【０１７０】
動作２０１０において、使用動作１２２０は、優先順位決定された様式における１つ以上の領域１０２に対する１つ以上の消毒作用物１０８の使用を包含し得る。いくつかの実施形態において、１つ以上の消毒ユニット１１４は、優先順位決定された様式において１つ以上の領域１０２に対して１つ以上の消毒作用物１０８を使用し得る。いくつかの実施形態において、１つ以上の消毒ユニット１１４は、１つ以上の領域１０２の消毒の必要性に従って１つ以上の領域１０２に対して１つ以上の消毒作用物１０８を使用し得る。例えば、手術室は、当該手術室内においてなされる緊急手術の存在に起因して他の領域１０２よりも前に消毒され得る。いくつかの実施形態において、１つ以上の消毒ユニット１１４は、１つ以上の領域１０２内における高い感染性の菌の存在に従って１つ以上の領域１０２に対して１つ以上の消毒作用物１０８を使用し得る。例えば、病院における診察室は、天然痘に感染している患者の当該診察室内における存在に起因して他の領域１０２よりも前に消毒され得る。いくつかの実施形態において、１つ以上の消毒ユニット１１４は、消毒手順に従って１つ以上の領域１０２に対して１つ以上の消毒作用物１０８を使用し得る。
【０１７１】
図２１は、図１２の例示的な動作フロー１２００の代替可能な実施形態を説明する。図２１は、使用動作１２２０が少なくとも１つの付加的な動作を包含し得る場合の例示的な実施形態を説明する。付加的な動作は、動作２１０２、動作２１０４、動作２１０６、動作２１０８および／または動作２１１０を包含し得る。
【０１７２】
動作２１０２において、使用動作１２２０は、優先順位決定された様式における１つ以上の領域１０２内における１つ以上の表面１０６に対する１つ以上の消毒作用物１０８の使用を包含し得る。いくつかの実施形態において、１つ以上の消毒ユニット１１４は、優先順位決定された様式において１つ以上の領域１０２内における１つ以上の表面１０６に対して１つ以上の消毒作用物１０８を使用し得る。いくつかの実施形態において、１つ以上の消毒ユニット１１４は、１つ以上の表面１０６の消毒の必要性に従って１つ以上の領域１０２に対して１つ以上の消毒作用物１０８を使用し得る。いくつかの実施形態において、１つ以上の消毒ユニット１１４は、１つ以上の表面１０６上における高い感染性の菌の存在に従って１つ以上の領域１０２内における１つ以上の表面１０６に対して１つ以上の消毒作用物１０８を使用し得る。いくつかの実施形態において、１つ以上の消毒ユニット１１４は、消毒手順に従って１つ以上の表面１０６に対して１つ以上の消毒作用物１０８を使用し得る。
【０１７３】
動作２１０４において、使用動作１２２０は、優先順位決定された様式における１つ以上の領域１０２内における１つ以上の対象１０４に対する１つ以上の消毒作用物１０８使用を包含し得る。いくつかの実施形態において、１つ以上の消毒ユニット１１４は、１つ以上の領域１０２内における１つ以上の対象１０４に対して１つ以上の消毒作用物１０８を使用し得る。いくつかの実施形態において、１つ以上の消毒ユニット１１４は、１つ以上の対象１０４の消毒の必要性に従って１つ以上の領域１０２内における１つ以上の対象１０４に対して１つ以上の消毒作用物１０８を使用し得る。いくつかの実施形態において、１つ以上の消毒ユニット１１４は、１つ以上の対象１０４上における高い感染性の菌の存在に従って１つ以上の領域１０２内における１つ以上の対象１０４に対して１つ以上の消毒作用物１０８を使用し得る。いくつかの実施形態において、消毒手順に従って１つ以上の対象１０４に対して１つ以上の消毒作用物１０８を使用し得る。
【０１７４】
動作２１０６において、使用動作１２２０は、１つ以上の領域１０２内に存在する１人以上の人間に対する１つ以上の領域１０２内への１つ以上の消毒作用物１０８の使用を包含し得る。いくつかの実施形態において、１つ以上の消毒ユニット１１４は、１つ以上の領域１０２内に存在する１人以上の人間に対して１つ以上の消毒作用物１０８使用し得る。いくつかの実施形態において、１つ以上の消毒作用物１０８は、人間が消毒済の１つ以上の領域１０２に入る前に１人以上の人間に対して使用され得る。いくつかの実施形態において、１つ以上の消毒作用物１０８は、人間が消毒行為を始める前に使用され得る。いくつかの実施形態において、１つ以上の消毒ユニット１１４は、感染性の菌に汚染されているか、またはさらされる１人以上の人間に対して１つ以上の消毒作用物１０８を使用し得る。
【０１７５】
動作２１０８において、使用動作１２２０は、１人以上の人間が１つ以上の領域１０２に不在である場合における１つ以上の領域１０２に対する１つ以上の消毒作用物１０８の使用を包含し得る。いくつかの実施形態において、１つ以上の消毒ユニット１１４は、１人以上の人間が１つ以上の領域１０２に不在である場合に１つ以上の領域１０２に対して１つ以上の消毒作用物１０８を使用し得る。いくつかの実施形態において、１つ以上の消毒ユニット１１４は、人間に有害な１つ以上の消毒作用物１０８を使用し得る。従って、有害な消毒作用物１０８に対する人間のばくろは、低減されるかまたは排除され得る。
【０１７６】
動作２１１０において、使用動作１２２０は、１人以上の人間が１つ以上の領域１０２内に存在する場合における１つ以上の領域１０２に対する１つ以上の消毒作用物１０８の使用の回避を包含し得る。いくつかの実施形態において、１つ以上の消毒ユニット１１４は、１人以上の人間が１つ以上の領域１０２内に存在する場合における１つ以上の領域１０２に対する１つ以上の消毒作用物１０８の使用を回避し得る。いくつかの実施形態において、１つ以上の領域１０２に対する１つ以上の消毒作用物１０８の使用の過程にある１つ以上の消毒ユニット１１４は、１つ以上の領域１０２に１人以上の人間が入ると当該使用を停止し得る。いくつかの実施形態において、１つ以上の消毒ユニット１１４は、１人以上の人間が１つ以上の領域１０２内に存在する場合に１つ以上の領域１０２に対する１つ以上の消毒作用物１０８の使用を中止し得るかまたは遅らせ得る。
【０１７７】
図２２は、図１２の例示的な動作フロー１２００の代替可能な実施形態を説明する。図２２は、使用動作が少なくとも１つの付加的な動作を包含し得る場合の例示的な実施形態を説明する。付加的な動作は、動作２２０２、動作２２０４、動作２２０６、動作２２０８、動作２２１０および／または動作２２１２を包含し得る。
【０１７８】
動作２２０２において、使用動作１２２０は、１つ以上の領域１０２の１つ以上の部分に対する１つ以上の消毒作用物１０８の使用を包含し得る。いくつかの実施形態において、１つ以上の消毒ユニット１１４は、１つ以上の領域１０２の１つ以上の部分に対して１つ以上の消毒作用物１０８を使用し得る。いくつかの実施形態において、第１種の消毒作用物１０８は、１つ以上の領域１０２の１つ以上の第１部分に使用され、かつ第２種の消毒作用物１０８は、１つ以上の領域１０２の１つ以上の第２部分に使用される。従って、異なる種類の消毒作用物１０８は、１つ以上の領域１０２の異なる部分に対して使用され得る。いくつかの実施形態において、作用は、１つ以上の領域１０２の１つ以上の部分内に高い感染性の菌を含む、および／または高い度合いの汚染を生じる１つ以上の領域１０２の１つ以上の部分内に実施され得る。従って、１つ以上の消毒作用物１０８は、高い感染性の菌または高い度合いの汚染にさらされない１つ以上の領域１０２の他の部分よりも１つ以上の領域１０２のそれらの１つ以上の部分に対してより頻度高く使用され得る。例えば、１つ以上の消毒作用物１０８は、研究室１０２内の１つ以上の机よりも研究室内の１つ以上の作業台に対してより頻度高く使用され得る。
【０１７９】
動作２２０４において、使用動作１２２０は、１つ以上の領域１０２の１つ以上の部分に対する１つ以上の消毒作用物１０８の使用の回避を包含し得る。いくつかの実施形態において、１つ以上の消毒ユニット１１４は、１つ以上の領域１０２の１つ以上の部分に対する１つ以上の消毒作用物１０８の使用を回避し得る。いくつかの実施形態において、１つ以上の消毒作用物１０８は、１つ以上の領域１０２の１つ以上の部分に対して使用されない。例えば、いくつかの実施形態において、１つ以上の消毒作用物１０８は、研究室試料が培養されている１つ以上の領域１０２に対して使用されない。当該領域の例は、病院の研究室、研究所、および組織培養研究所などに見られ得る。いくつかの実施形態において、１種類以上の消毒作用物１０８は、１つ以上の領域１０２の１つ以上の第１部分に対して使用されないが、他の種類の消毒作用物１０８は１つ以上の領域１０２の１つ以上の第１部分に対して使用され得る。例えば、いくつかの実施形態において、１つ以上の領域１０２の１つ以上の部分を損なう１つ以上の消毒作用物１０８は、１つ以上の領域１０２の１つ以上の部分に対して使用されない。
【０１８０】
動作２２０６において、使用動作１２２０は、１つ以上の領域１０２に対する１つ以上の消毒作用物１０８の以前の使用から経過している１つ以上の時間の長さに従った１つ以上の消毒作用物１０８の使用を包含し得る。いくつかの実施形態において、１つ以上の消毒ユニット１１４は、１つ以上の領域１０２に対する１つ以上の消毒作用物１０８の以前の使用から経過している１つ以上の時間の長さに従って１つ以上の消毒作用物１０８に使用され得る。いくつかの実施形態において、１つ以上の消毒ユニット１１４は、１つ以上の領域１０２に割り当てられた１つ以上の消毒手順に従って１つ以上の消毒作用物１０８を使用し得る。いくつかの実施形態において、１つ以上の消毒作用物１０８が１つ以上の領域１０２内に対して以前に使用されてから経過している１つ以上の時間の長さは、１つ以上の消毒作用物１０８が１つ以上の領域１０２に対して使用されるべきであるときを示すことができる。いくつかの実施形態において、１つ以上の消毒作用物１０８が１つ以上の領域１０２内に対して以前に使用されてから経過している１つ以上の時間の長さは、どんな種類またはどんな複数の種類の消毒作用物１０８が１つ以上の領域１０２に対して使用されるべきであることを示すことができる。いくつかの実施形態において、１つ以上の消毒作用物１０８が１つ以上の領域１０２内に対して以前に使用されてから経過している１つ以上の時間の長さは、どんな種類、またはどんな複数の種類の消毒作用物１０８が１つ以上の領域１０２に対して使用されるべきではないことを示すことができる。
【０１８１】
動作２２０８において、１つ以上の領域１０２に対して使用動作１２２０は、１つ以上の領域１０２に対して特定された１つ以上の消毒作用物１０８の使用を包含し得る。いくつかの実施形態において、１つ以上の消毒ユニット１１４は、１つ以上の領域１０２に対して特定された１つ以上の消毒作用物１０８を使用し得る。いくつかの実施形態において、１つ以上の領域１０２は、他の種類の消毒作用物１０８と比べて１種類以上の消毒作用物１０８を用いて好ましく処理される１種類以上の汚染を含み得る。従って、いくつかの実施形態において、特定される１つ以上の消毒作用物１０８は、１つ以上の消毒作用物１０８が使用されるべきである１つ以上の汚染の特定に基づいて１つ以上の領域１０２内への使用にふさわしく選択される。いくつかの実施形態において、特定される１種類以上の消毒作用物１０８は、１つ以上の領域１０２の特性、１つ以上の領域１０２内における１つ以上の領域１０２、および１つ以上の領域１０２内における１つ以上の表面１０６の特性などに基づいて１つ以上の領域１０２内への使用にふさわしく選択される。例えば、いくつかの実施形態において、１つ以上の領域１０２に対して有害ではない特定される１つ以上の消毒作用物１０８が、選択される。例えば、１つ以上の消毒作用物１０８が使用されるべきである１つ以上の領域１０２内における１つ以上の対象１０４を溶かさない１つ以上の消毒作用物１０８が、選択される。いくつかの実施形態において、１つ以上の領域１０２の消毒に非常な有効性を有する特定される１つ以上の消毒作用物１０８が、選択される。例えば、エチレンオキシドといったガスである消毒作用物１０８は、穴の多い１つ以上の領域１０２に対して使用され得る。
【０１８２】
動作２２１０において、使用動作１２２０は、ガンマ線、ソニック  ラジエーション、化学物質、赤外線、蒸気およびガスからなる群から選択される１つ以上の消毒作用物１０８の使用を包含し得る。いくつかの実施形態において、１つ以上の消毒ユニット１１４は、ガンマ線、ソニック  ラジエーション、化学物質、赤外線、蒸気およびガスからなる群から選択される１つ以上の消毒作用物１０８を使用し得る。いくつかの実施形態において、１つ以上の消毒ユニット１１４は、ガンマ線、ソニック  ラジエーション、化学物質、赤外線、蒸気、ガス、および実質的にこれらのあらゆる組み合わせである１つ以上の消毒ユニット１１４を使用できる。
【０１８３】
動作２２１２において、使用動作１２２０は、紫外線を含む１つ以上の消毒作用物１０８の使用を包含し得る。いくつかの実施形態において、１つ以上の消毒ユニット１１４は、紫外線を含む１つ以上の消毒作用物１０８を使用し得る。いくつかの実施形態において、１つ以上の消毒ユニット１１４は、実質的に絶え間なく消毒照射線を発することができる。いくつかの実施形態において、１つ以上の消毒ユニット１１４は、パルスとして消毒照射線を発することができる。いくつかの実施形態において、１つ以上の消毒ユニット１１４は、紫外線および／またはガンマ線といった複数の種類の消毒照射線および／または消毒照射線の組み合わせを発することができる。いくつかの実施形態において、１つ以上の消毒ユニット１１４は、１００ナノメートルと４００ナノメートルとの間にある波長および／または１００ナノメートルと４００ナノメートルとの間にある波長の実質的にあらゆる組み合わせを有する紫外線を発することができる。他の実施形態において、１つ以上の消毒ユニット１１４は、１８０ナノメートルと３００ナノメートルとの間にある波長および／または１８０ナノメートルと３００ナノメートルとの間にある波長の実質的にあらゆる組み合わせを有する紫外線を発することができる。いくつかの実施形態において、１つ以上の消毒ユニット１１４は、２５５ナノメートルと２８０ナノメートルとの間にある波長および／または２５５ナノメートルと２８０ナノメートルとの間にある波長の実質的にあらゆる組み合わせを有する紫外線を発することができる。いくつかの実施形態において、１つ以上の消毒ユニット１１４は、２５０ナノメートルと２８０ナノメートルとの間にある波長および／または２５０ナノメートルと２８０ナノメートルとの間にある波長の実質的にあらゆる組み合わせを有する紫外線を発することができる。いくつかの実施形態において、１つ以上の消毒ユニット１１４は、不均整ながら中心があり、かつ約２６５ナノメートルである波長および／またはそのような光の波長の実質的にあらゆる組み合わせを有する紫外線を発することができる。いくつかの実施形態において、１つ以上の消毒ユニット１１４は、照射線の１つ以上の波長の照射を排除できる。
【０１８４】
図２３は、消毒方法の実施に関する動作の例を示す動作フロー２３００を説明する。消毒方法の実施の間に使用される動作の種々の例を含む図２３および以下の図面において、議論および説明は、上述の図１に関して、および／または他の例および状況に関して与えられ得る。しかし、当該動作が多くの他の環境および状況、および／または図１の修正版において実行され得ることは、理解されるべきである。また、種々の動作は、例証された順番に順番に表されているが、種々の動作が例証される順番とは異なる順番に実施され得るか、または同時に実施され得ることは、理解されるべきである。
【０１８５】
開始動作の後に、動作フロー２３００は、１つ以上の領域１０２の検査に関する回路構成に関する動作２３１０を包含する。いくつかの実施形態において、１つ以上の領域１０２の検査に関する回路構成は、１つの領域１０２を検査できる。いくつかの実施形態において、１つ以上の領域１０２の検査に関する回路構成は、１つ以上の領域１０２を検査できる。いくつかの実施形態において、１つ以上の領域１０２の検査に関する回路構成は、１つの領域１０２の１つの部分を検査できる。いくつかの実施形態において、１つ以上の領域１０２の検査に関する回路構成は、１つ以上の領域１０２の１つ以上の部分を検査できる。いくつかの実施形態において、１つ以上の領域１０２の検査に関する回路構成は、１つ以上の領域１０２の地図を作製できる。いくつかの実施形態において、１つ以上の領域１０２の検査に関する回路構成は、１つ以上の領域１０２の模型を作製できる。
【０１８６】
また、動作フロー２３００は、１つ以上の領域１０２の検査に関する回路構成に応じた１つ以上の消毒ユニットに対する１つ以上の信号の送信に関する回路構成に関する動作２３２０を包含する。いくつかの実施形態において、送信に関する回路構成は、１つ以上の消毒ユニット１１４に対して１つ以上の信号１１２を送信できる。例えば、いくつかの実施形態において、送信に関する回路構成は、１つの消毒ユニット１１４に対して１つの信号１１２を送信できる。いくつかの実施形態において、送信に関する回路構成は、１つの消毒ユニット１１４に対して２つ以上の信号１１２を送信できる。他の実施形態において、送信に関する回路構成は、２つ以上の消毒ユニット１１４に対して１つの信号１１２を送信できる。
【０１８７】
図２４は、消毒方法の実施に関する動作の例を表す動作フロー２４００を説明する。消毒方法の実施の間に使用される動作の種々の例を含む図２４および以下の図面において、議論および説明は、上述した図１に関して、および／または他の例および状況に関して与えられ得る。しかし、多くの他の環境および状況、および／または図１の修正版において実施され得ることは、理解されるべきである。また、種々の動作は、例証された順番に順番に表されているが、種々の動作が例証される順番とは異なる順番に実施され得るか、または同時に実施され得ることは、理解されるべきである。
【０１８８】
開始動作の後に、動作フロー２４００は、１つ以上の検査ユニット１１０と関連する１つ以上の信号の受信に関する回路構成に関する動作２４１０を包含する。いくつかの実施形態において、１つ以上の検査ユニット１１０と関連する１つ以上の信号１１２の受信に関する回路構成は、１つの検査ユニット１１０からの１つの信号１１２を受信できる。いくつかの実施形態において、１つ以上の検査ユニット１１０と関連する１つ以上の信号１１２の受信に関する回路構成は、１つの検査ユニット１１０からの１つ以上の信号１１２を受信できる。いくつかの実施形態において、１つ以上の検査ユニット１１０と関連する１つ以上の信号１１２の受信に関する回路構成は、１つ以上の検査ユニット１１０からの１つ以上の信号１１２を受信できる。
【０１８９】
また、動作フロー２４００は、１つ以上の検査ユニット１１０と関連する１つ以上の信号の受信に関する回路構成に応じた１つ以上の領域に対する消毒作用物の使用に関する回路構成を包含し得る。いくつかの実施形態において、１つ以上の検査ユニット１１０と関連する１つ以上の信号１１２の受信に関する回路構成に応じた１つ以上の領域１０２に対する消毒作用物１０８の使用に関する回路構成は、１つ以上の領域１０２に対する１つ以上の消毒作用物１０８の使用を命令できる。いくつかの実施形態において、１つ以上の検査ユニット１１０と関連する１つ以上の信号１１２の受信に関する回路構成に応じた１つ以上の領域１０２に対する消毒作用物１０８の使用に関する回路構成は、１つの領域１０２に対する１つの消毒作用物１０８の使用を命令できる。いくつかの実施形態において、１つ以上の検査ユニット１１０と関連する１つ以上の信号１１２の受信に関する回路構成に応じた１つ以上の領域１０２に対する消毒作用物１０８の使用に関する回路構成は、１つの領域１０２に対する１つ以上の消毒作用物１０８の使用を命令できる。いくつかの実施形態において、１つ以上の検査ユニット１１０と関連する１つ以上の信号１１２の受信に関する回路構成に応じた１つ以上の領域１０２に対する消毒作用物１０８の使用に関する回路構成は、１つ以上の領域１０２に対する１つの消毒作用物１０８の使用を命令できる。
【０１９０】
本明細書における実質的にあらゆる複数形および／または単数形の用語の使用に関して、当業者は、状況および用途に相応しいように、複数形から単数形に、および／または単数形から複数形に言い換え可能である。種々の単数形／複数形の置換は、本明細書において、明確化を目的として特に説明されていない。
【０１９１】
本明細書に記載されている議論中の内容の特定の局面が示され、かつ説明されているが、変更および改良が本明細書に記載の内容およびそのより広い局面から逸脱することなくなされ得、そしてそれ故に、添付の特許請求の範囲が、本明細書に記載されている内容の真の精神および範囲内にあるような当該変更および改良のすべてを、特許請求の範囲の範囲内に包含することは、本明細書の教示に基づいて当業者にとって明白である。さらに、本発明が添付の特許請求の範囲によって規定されることは、理解される。本明細書、および特に添付の特許請求の範囲（例えば、添付の特許請求の範囲の主要部）において通常に使用される用語が、“制限のない（ｏｐｅｎ）”用語（例えば、“〜を含む”という用語は、“〜を含むが、これ（ら）に限定されない”）と解釈され、“〜を有する”という用語は、“〜を少なくとも有する”解釈され、“〜が挙げられる”という用語は、“〜が挙げられるが、これ（ら）に限定されない”と解釈されるべきである）として一般的に意図されることは、当業者によって理解される。導入された請求項の叙述（ｒｅｃｉｔａｉｏｎ）の明確な数値が意図される場合には当該意図が特許請求範囲に明白に叙述され、かつ当該叙述がない場合には当該意図がないことは、当業者に理解される。例えば、理解を助けるために、以下に添付の特許請求の範囲は、“少なくとも１つの”および“１つ以上の”という前置き表現の利用を含めて、請求項の叙述を導入し得る。しかし、当該表現の利用は、“ａ”および“ａｎ”という不定冠詞による請求項の叙述の導入が、導入された請求項の当該叙述を含むあらゆる請求項を請求項の当該叙述の１つのみを含む発明に制限することを意味すると（同じ請求項が“１つ以上の”または“少なくとも１つの”という前置きの表現、ならびに“ａ”または“ａｎ”といった不定冠詞を含む場合にも等しく）解釈されるべきではなく（例えば、“ａ”および／または“ａｎ”が、一般的に“少なくとも１つの”または“１つ以上の”を意味すると解釈されるべきである）；同じことは、導入された請求項の叙述に使用される定冠詞の利用に関しても使用される。さらに、導入された請求項の叙述の明確な数値が明白に叙述されている場合にも等しく、当業者は、当該叙述が少なくとも叙述された数値を意味すると一般的に解釈されることを認識する（例えば、他の修飾語のない“２つの叙述”というだけの叙述は、少なくとも２つの叙述、または２つ以上の叙述を典型的に意味する）。さらに、“Ａ、ＢおよびＣの少なくとも１つ”と類似の形式が使用されるような場合には、当該構成は、当業者がその形式を理解する意味に意図される（例えば、“Ａ、ＢおよびＣを有するシステム”としては、Ａのみ、Ｂのみ、Ｃのみ、ＡおよびＢをともに、ＡおよびＣをともに、ＢおよびＣをともに、および／またはＡ、ＢおよびＣをともに有するシステムなどが挙げられるが、これらに限定されない）。“Ａ、ＢまたはＣの少なくとも１つ”と類似の形式が使用されるような場合には、当該構成は、当業者がその形式を理解する意味に意図される（例えば、“Ａ、ＢおよびＣを有するシステム”としては、Ａのみ、Ｂのみ、Ｃのみ、ＡおよびＢをともに、ＡおよびＣをともに、ＢおよびＣをともに、および／またはＡ、ＢおよびＣをともに有するシステムなどが挙げられるが、これらに限定されない）。２つ以上の択一的な用語を提示している択一的な単語および／または表現は、明細書本文、特許請求の範囲、または図面のいずれかにおいて、当該用語の１つ、当該用語のいずれか、または当該用語の両方を含むという可能性を意図して理解されるべきことは、当業者によって理解される。例えば、“ＡまたはＢ”という用語は、“Ａ”、“Ｂ”または“ＡおよびＢ”の可能性を含むことを理解される。
【０１９２】
当業者は、技術の状態が、システムの局面のハードウェア実施とソフトウェア実施の間にほとんど違いがない程度まで発展しており；ハードウェアおよびソフトウェアの利用が、一般的に（特定の状況において、ハードウェアとソフトウェアとの間の選択が重要になり得るという点において、必ずしもそうとはいえないが）コスト対効率の兼ね合いを表す設計上の選択であることを認識する。当業者は、本明細書に記載の処理および／またはシステムおよび／または他の技術が達成され得る種々の伝達手段があり（例えば、ハードウェア、ソフトウェアおよび／またはファームウェア）、かつ好ましい伝達手段が採用される処理および／またはシステムおよび／または他の技術と関連して変えられることを、十分に理解する。例えば、速度および精度が最高であることを実施手段が決定する場合に、実施手段は、主にハードウェアおよび／またはファームウェアを選択し得る；代替可能に、自由度が最高である場合に、実施手段は、ハードウェア、ソフトウェア、および／またはファームウェアのある組み合わせを選択し得る。従って、本明細書に記載の処理および／またはシステムおよび／または他の技術が達成され得る種々の見込みのある、利用されるべきあらゆる伝達手段があり、当該伝達手段は、当該伝達手段が配置される状況、および当該実施手段の関心事（例えば、速度、自由度、または予測性）に依存する選択である点において、他のものより本質的に優れているものではなく、変更され得るあらゆるものである。当業者は、実施の光学的な局面が、光学的指向性のハードウェア、ソフトウェアおよび  またはファームウェアを典型的に採用することを認識する。
【０１９３】
上述の詳細な説明は、ブロック図、フローチャート、および／または例の使用を介して、装置および／または処理の種々の実施形態を説明している。当該ブロック図、フローチャート、および／または例が１つ以上の機能および／または動作を含む範囲において、当該ブロック図、フローチャート、および／または例の範囲内の機能および／または動作のそれぞれが、広範なハードウェア、ソフトウェア、ファームウェア、または実質的にこれらのあらゆる組み合わせによって、個々におよび／または共同して実施され得ることは、当業者によって理解される。いくつかの実施形態において、本明細書に記載されている内容のいくつかの部分は、特定用途向け集積回路（ＡＳＩＣｓ）、フィールドプログラマブルゲートアレイ（ＦＰＧＡｓ）、デジタルシグナルプロセッサ（ｄｉｇｉｔａｌ  ｓｉｇｎａｌ  ｐｒｏｃｅｓｓｏｒｓ）（ＤＰＳｓ）、他の集積フォーマットを介して実施され得る。しかし、本明細書に開示された実施形態のある局面のすべてまたは一部が、１つ以上のコンピュータにおいて実行させる１つ以上のコンピュータプログラムとして（例えば、１つ以上のコンピュータシステムにおいて実行させる１つ以上のコンピュータプログラムとして）、１つ以上のプロセッサにおいて実行させる１つ以上のプログラムとして（例えば、１つ以上のマイクロプロセッサにおいて実行させる１つ以上のプログラムとして）、ファームウェアとして、または実質的にこれらのあらゆる組み合わせとして、集積回路において同等に実施され得ること、ならびにソフトウェアおよび  またはファームウェア用の、回路構成および／またはコード書き込みの設計が本開示に照らして十分に当業者の技術範囲内であることを、当業者は認識する。さらに、本明細書に記載の内容の機構が、種々の形態におけるプログラムプロダクト（ｐｒｏｇｒａｍ  ｐｒｏｄｕｃｔ）として分布可能であること、および本明細書に記載の内容の例示的な実施形態が、当該分布を実際に実行するために使用される特定の種類の信号支持媒体に関係なく使用されることを、当業者は十分に理解する。信号支持媒体の例としては、以下の：フロッピー（登録商標）ディスク、ハードディスクドライブ、コンパクトディスク（ＣＤ）、デジタルビデオディスク（ＤＶＤ）、デジタルテープ、コンピュータメモリなどといった追記型の媒体；ならびにデジタル通信媒体および／またはアナログ通信媒体（例えば、光ファイバケーブル、導波管、有線の通信回線、無線の通信回線など）といった伝送型の媒体が挙げられるが、これらに限定されない。
【０１９４】
一般的な意味において、当業者は、本明細書に記載の種々の実施形態が、ソフトウェア、ハードウェア、ファームウェアもしくは実質的にこれらのあらゆる組み合わせといった広範な電気構成要素；ならびに剛体、弾性体もしくはねじれ体（ｔｏｒｓｉｏｎａｌ  ｂｏｄｉｅｓ）、液圧応用機械、および電磁気作動装置、または実質的にこれらのあらゆる組み合わせといった機械的な力もしくは運動を伝え得る広範な構成要素を有する電気機械システムによって、個々におよび／または共同して実施され得ることを認識する。従って、本明細書において使用されるときの“電気機械システム”としては、変換器（例えば、作動装置、モータ、圧電性結晶など）と作動可能に連結された電気回路構成、少なくとも１つの個別の電気回路を有する電気回路構成、少なくとも１つの集積回路を有する電気回路構成、少なくとも１つの特定用途向け集積回路を有する電気回路構成、コンピュータプログラム（例えば、本明細書に記載の処理および／または装置を少なくとも部分的に達成するコンピュータプログラムによって構成される多目的コンピュータか、または本明細書に記載の処理および／または装置を少なくとも部分的に達成するコンピュータプログラムによって構成されるマイクロプロセッサ）によって構成された多目的演算装置を形成する電気回路構成、記憶装置（例えば、ランダムアクセスメモリの形態）を形成する電気回路構成、通信装置（例えば、変復調装置、通信切替器、光学−電気装置など）を形成する電気回路構成、ならびに光学的なまたは他の類似物といったこれらに対する非電気的な類似物が挙げられるが、これらに限定されない。当業者は、本明細書において使用されるような電気機械システムが、文脈に指定されていない限り、電気作動および機械作動の両方を有するシステムに限定される必要がないことを認識する。
【０１９５】
一般的な意味において、当業者は、広範なハードウェア、ソフトウェア、ファームウェア、またはこれらの実質的にあるゆる組み合わせによって個々におよび／または共同して実施され得る本明細書に記載の種々の局面が、各種の“電気回路構成”から構成されることとしてみなされ得ることを認識する。従って、本明細書において使用されるときの“電気回路構成”としては、少なくとも１つの個別の電気回路を有する電気回路構成、少なくとも１つの集積回路を有する電気回路構成、少なくとも１つの特定用途向け集積回路を有する電気回路構成、コンピュータプログラム（例えば、本明細書に記載の処理および／または装置を少なくとも部分的に達成するコンピュータプログラムによって構成される多目的コンピュータか、または本明細書に記載の処理および／または装置を少なくとも部分的に達成するコンピュータプログラムによって構成されるマイクロプロセッサ）によって構成される多目的演算装置を形成する電気回路構成、記憶装置（例えば、ランダムアクセスメモリの形態）を形成する電気回路構成、および／または通信装置（例えば、変復調装置、通信切替器、または光学−電気装置）を形成する電気回路構成が挙げられるが、これらに限定されない。当業者は、本明細書に記載の内容が、アナログ形式またはデジタル形式またはこれらのある組み合わせにおいて実施され得ることを認識する。
【０１９６】
当業者は、それが、本明細書において説明した形式における装置および／または処理および／またはシステムを実施する技術、ならびに当該実施された装置および／または処理および／またはシステムをより総合的な装置および／または処理および／またはシステムに集積するために、技術的手法および／またはビジネス手法をそれに従って使用する技術の範囲内にあることを認識する。すなわち、本明細書に記載の装置および／または処理および／またはシステムの少なくとも一部が、適度な量の実験を介して、他の装置および／または処理および／またはシステムに統合され得る。当該他の装置および／または処理および／またはシステムの例が、状況および用途に応じて、（ａ）空路の輸送機関（例えば、飛行機、ロケット、ホバークラフト、ヘリコプターなど）、（ｂ）陸路の輸送機関（例えば、自動車、トラック、機関車、戦車、装甲兵員輸送車など）、（ｃ）建造物（例えば、家、倉庫、事務所など）、（ｄ）家庭用電気機器（例えば、冷蔵庫、洗浄器、乾燥機など）、（ｅ）通信システム（例えば、ネットワークシステム、電話、画面外から聞こえるＩＰシステムなど）、（ｆ）企業体（例えば、コムキャスト（Ｃｏｍｃａｓｔ）、クエスト（Ｑｕｅｓｔ）、サウスウエスタンベル（Ｓｏｕｔｈｗｅｓｔｅｒｎ  Ｂｅｌｌ）といったインターネット接続サービス業者（ＩＳＰ）事業体など）、または（ｇ）スプリント（Ｓｐｒｉｎｔ）、シングラー（Ｃｉｎｇｕｌａｒ）、ネクステル（Ｎｅｘｔｅｌ）といった有線／無線サービス企業体の、装置および／または処理および／またはシステムのすべてまたは一部を含み得ることを、当業者は認識する。
【０１９７】
ユーザ１２２は、本明細書において単一の図示された形状として示されている／記載されているが、当業者は、ユーザ１２２が、人間のユーザ、ロボットのユーザ（例えば、コンピュータを利用したもの）、および／または実質的にこれらのあらゆる組み合わせ（例えば、ユーザが、１つ以上のロボットの動作主によって支援され得る）の見本で有り得ることを十分に理解する。さらに、ユーザ１２２は、本明細書に記載の単一の存在として示されるが、実際には、２つ以上の存在から構成され得る。当業者は、一般的に、同じことが“送信主”および／または本明細書に使用される用語といった他の存在を指す用語についても言えることを十分に理解する。
【０１９８】
本明細書に記載の内容は、ときとして、他の異なる構成要素を含むか、または接続された異なる構成要素を説明する。そのように表現される構造が単に例示的であり、かつ実際には、同じ機能性を達成する他の多くの構造が実施され得ることが理解されるべきである。概念的な意味において、同じ機能性を達成するための構成のあらゆる配置は、所望の機能性が達成されるように効果的に“関連付けられる”。従って、本明細書において特定の機能性を達成するため組み合わせられた、あらゆる２つの構成要素は、構造または中間の構成要素を問わず、所望の機能が達成されるように互いに“関連付けられる”と想像され得る。また同様に、そのように関連付けられたあらゆる２つの構成要素は、所望の機能性を達成するために互いに“動作可能に接続されている”、または“動作可能に連結されている”とみなされ得、かつまた、関連付け可能な、および／または互いに通信可能なあらゆる２つの構成要素は、所望の機能性を達成するために互いに“動作可能に連結されている”とみなされ得る。動作可能な連結の特定の例としては、物理的に一体になり得るおよび／または物理的に作用する構成要素、および／または無線的に作用可能なおよび／または無線的に作用する構成要素、および／または論理的に作用するおよび／または論理的に作用可能な構成要素が挙げられるが、これらに限定されない。
【０１９９】
本明細書に引用されている公開物、特許および特許出願のすべては、引用によって本明細書に組み込まれる。上述の詳述は、これらの特定の実施形態に関して記載されており、かつ多くの詳細は、例証を目的として説明されているが、本発明が付加的な実施形態を生じることが多いこと、および本明細書に記載の特定の詳細が本発明の基本原理から逸脱することなく相当に変更され得ることは、当業者にとって明白である。
【０２００】
多種類の手段が、本明細書に記載されているシステムの１つ以上の実施形態の範囲内に含まれ得る。当該手段の例としては、回路構成、プログラミング、ハードウェア、ソフトウェア、ファームウェア、電気機械システム、論理、および／またはこれらのあらゆる組み合わせが挙げられるが、これらに限定されない。
【０２０１】
いくつかの実施形態において、システムは、１つ以上の領域を検査する手段および１つ以上の領域を検査する上記手段に応じて１つ以上の消毒ユニットに対して１つ以上の信号を送信する手段を包含し得る。
【０２０２】
いくつかの実施形態において、１つ以上の領域を検査する上記手段は、１つ以上の上記領域が消毒されるべきである場合を決定する手段を包含し得る。
【０２０３】
いくつかの実施形態において、１つ以上の領域を検査する上記手段は、１つ以上の上記領域が消毒されるべきではない場合を決定する手段を包含し得る。
【０２０４】
いくつかの実施形態において、１つ以上の領域を検査する上記手段は、消毒されるべきである１つ以上の上記領域内における１つ以上の表面を決定する手段を包含し得る。
【０２０５】
いくつかの実施形態において、１つ以上の領域を検査する上記手段は、消毒されるべきではない１つ以上の上記領域内における１つ以上の表面を決定する手段を包含し得る。
【０２０６】
いくつかの実施形態において、１つ以上の領域を検査する上記手段は、消毒されるべきである１つ以上の上記領域内における１つ以上の対象を決定する手段を包含し得る。
【０２０７】
いくつかの実施形態において、１つ以上の領域を検査する上記手段は、消毒されるべきではない１つ以上の上記領域内における１つ以上の対象を決定する手段を包含し得る。
【０２０８】
いくつかの実施形態において、１つ以上の領域を検査する上記手段は、１つ以上の上記領域の地図を作製する手段を包含し得る。
【０２０９】
いくつかの実施形態において、１つ以上の領域を検査する上記手段は、１つ以上の上記領域の模型を作製する手段を包含し得る。
【０２１０】
いくつかの実施形態において、１つ以上の領域を検査する上記手段は、１つ以上の上記領域が１つ以上の消毒手順に従う場合を決定する手段を包含し得る。
【０２１１】
いくつかの実施形態において、１つ以上の領域を検査する上記手段は、１つ以上の上記領域に関する１つ以上の消毒状態を決定する手段を包含し得る。
【０２１２】
いくつかの実施形態において、１つ以上の領域を検査する上記手段は、１つ以上のセンサユニットからの１つ以上の読み込みを取得する手段を包含し得る。
【０２１３】
いくつかの実施形態において、１つ以上の領域を検査する上記手段は、１つ以上の物陰にある領域が１つ以上の上記領域内に存在する場合を決定する手段を包含し得る。
【０２１４】
いくつかの実施形態において、１つ以上の領域を検査する上記手段は、固定式の１つ以上の検査ユニットを用いて１つ以上の上記領域を検査する手段を包含し得る。
【０２１５】
いくつかの実施形態において、１つ以上の領域を検査する上記手段は、移動式の１つ以上の検査ユニットを用いて１つ以上の上記領域を検査する手段を包含し得る。
【０２１６】
いくつかの実施形態において、１つ以上の領域を検査する上記手段は、消毒に関して１つ以上の上記領域に対する優先順位を決定する手段を包含し得る。
【０２１７】
いくつかの実施形態において、１つ以上の領域を検査する上記手段は、消毒に関して１つ以上の上記領域内における１つ以上の表面に対する優先順位を決定する手段を包含し得る。
【０２１８】
いくつかの実施形態において、１つ以上の領域を検査する上記手段は、１人以上の人間が１つ以上の上記領域内に存在するかまたは不在である場合を決定する手段を包含し得る。
【０２１９】
いくつかの実施形態において、１つ以上の領域を検査する上記手段は、１つ以上の上記領域内に使用される１つ以上の消毒作用物の作用を予想する手段を包含し得る。
【０２２０】
いくつかの実施形態において、１つ以上の領域を検査する上記手段は、１つ以上の上記領域内に使用された１つ以上の消毒作用物の以前の作用から経過している１つ以上の時間の長さを決定する手段を包含し得る。
【０２２１】
いくつかの実施形態において、１つ以上の領域を検査する上記手段に応じて１つ以上の消毒ユニットに対して１つ以上の信号を送信する上記手段は、１つ以上の上記領域に対して１つ以上の消毒作用物を使用することの１つ以上の上記消毒ユニットに対する命令と関連する１つ以上の上記信号を送信する手段を包含し得る。
【０２２２】
いくつかの実施形態において、１つ以上の領域を検査する上記手段に応じて１つ以上の消毒ユニットに対して１つ以上の信号を送信する上記手段は、１つ以上の上記領域に対する１つ以上の消毒作用物の使用を回避することの１つ以上の上記消毒ユニットに対する命令と関連する１つ以上の上記信号を送信する手段を包含し得る。
【０２２３】
いくつかの実施形態において、１つ以上の領域を検査する上記手段に応じて１つ以上の消毒ユニットに対して１つ以上の信号を送信する上記手段は、１つ以上の上記領域内における１つ以上の表面に対して１つ以上の消毒作用物を使用することの１つ以上の上記消毒ユニットに対する命令と関連する１つ以上の上記信号を送信する手段を包含し得る。
【０２２４】
いくつかの実施形態において、１つ以上の領域を検査する上記手段に応じて１つ以上の消毒ユニットに対して１つ以上の信号を送信する上記手段は、１つ以上の上記領域内における１つ以上の表面に対する１つ以上の消毒作用物の使用を回避することの１つ以上の上記消毒ユニットに対する命令と関連する１つ以上の上記信号を送信する手段を包含し得る。
【０２２５】
いくつかの実施形態において、１つ以上の領域を検査する上記手段に応じて１つ以上の消毒ユニットに対して１つ以上の信号を送信する上記手段は、１つ以上の上記領域内における１つ以上の対象に対して１つ以上の消毒作用物を使用することの１つ以上の上記消毒ユニットに対する命令と関連する１つ以上の上記信号を送信する手段を包含し得る。
【０２２６】
いくつかの実施形態において、１つ以上の領域を検査する上記手段に応じて１つ以上の消毒ユニットに対して１つ以上の信号を送信する上記手段は、１つ以上の上記領域内における１つ以上の対象に対する１つ以上の消毒作用物の使用を回避することの１つ以上の上記消毒ユニットに対する命令と関連する１つ以上の上記信号を送信する手段を包含し得る。
【０２２７】
いくつかの実施形態において、１つ以上の領域を検査する上記手段に応じて１つ以上の消毒ユニットに対して１つ以上の信号を送信する上記手段は、１つ以上の上記領域の１つ以上の地図と関連する１つ以上の上記信号を送信する手段を包含し得る。
【０２２８】
いくつかの実施形態において、１つ以上の領域を検査する上記手段に応じて１つ以上の消毒ユニットに対して１つ以上の信号を送信する上記手段は、１つ以上の上記領域の１つ以上の模型と関連する１つ以上の上記信号を送信する手段を包含し得る。
【０２２９】
いくつかの実施形態において、１つ以上の領域を検査する上記手段に応じて１つ以上の消毒ユニットに対して１つ以上の信号を送信する上記手段は、１つ以上の消毒手順に従うことの１つ以上の上記消毒ユニットに対する１つ以上の命令と関連する１つ以上の上記信号を送信する手段を包含し得る。
【０２３０】
いくつかの実施形態において、１つ以上の領域を検査する上記手段に応じて１つ以上の消毒ユニットに対して１つ以上の信号を送信する上記手段は、１つ以上の上記領域に割り当てられた１つ以上の消毒状態と関連する１つ以上の上記信号を送信する手段を包含し得る。
【０２３１】
いくつかの実施形態において、１つ以上の領域を検査する上記手段に応じて１つ以上の消毒ユニットに対して１つ以上の信号を送信する上記手段は、１つ以上のセンサユニットから取得された１つ以上の読み込みと関連する１つ以上の上記信号を送信する手段を包含し得る。
【０２３２】
いくつかの実施形態において、１つ以上の領域を検査する上記手段に応じて１つ以上の消毒ユニットに対して１つ以上の信号を送信する上記手段は、１つ以上の上記領域内に存在する１つ以上の物陰にある領域の１つ以上の位置と関連する１つ以上の上記信号を送信する手段を包含し得る。
【０２３３】
いくつかの実施形態において、１つ以上の領域を検査する上記手段に応じて１つ以上の消毒ユニットに対して１つ以上の信号を送信する上記手段は、固定式の１つ以上の検査ユニットから１つ以上の上記消毒ユニットに対する１つ以上の上記信号を送信する手段を包含し得る。
【０２３４】
いくつかの実施形態において、１つ以上の領域を検査する上記手段に応じて１つ以上の消毒ユニットに対して１つ以上の信号を送信する上記手段は、移動式の１つ以上の検査ユニットから１つ以上の上記消毒ユニットに対する１つ以上の上記信号を送信する手段を包含し得る。
【０２３５】
いくつかの実施形態において、１つ以上の領域を検査する上記手段に応じて１つ以上の消毒ユニットに対して１つ以上の信号を送信する上記手段は、消毒に関する１つ以上の上記領域に対する優先順位の決定と関連する１つ以上の上記信号を送信する手段を包含し得る。
【０２３６】
いくつかの実施形態において、１つ以上の領域を検査する上記手段に応じて１つ以上の消毒ユニットに対して１つ以上の信号を送信する上記手段は、消毒に関する１つ以上の上記領域内における１つ以上の表面に対する優先順位の決定と関連する１つ以上の上記信号を送信する手段を包含し得る。
【０２３７】
いくつかの実施形態において、１つ以上の領域を検査する上記手段に応じて１つ以上の消毒ユニットに対して１つ以上の信号を送信する上記手段は、１つ以上の上記領域内に存在するかまたは不在である１人以上の人間と関連する１つ以上の上記信号を送信する手段を包含し得る。
【０２３８】
いくつかの実施形態において、１つ以上の領域を検査する上記手段に応じて１つ以上の消毒ユニットに対して１つ以上の信号を送信する上記手段は、１つ以上の上記消毒ユニットが１つ以上の消毒作用物を使用すべきである１つ以上の上記領域の１つ以上の位置を示す１つ以上の命令と関連する１つ以上の上記信号を送信する手段を包含し得る。
【０２３９】
いくつかの実施形態において、１つ以上の領域を検査する上記手段に応じて１つ以上の消毒ユニットに対して１つ以上の信号を送信する上記手段は、１つ以上の上記消毒ユニットが１つ以上の消毒作用物を使用すべきではない１つ以上の上記領域の１つ以上の位置を示す１つ以上の命令と関連する１つ以上の上記信号を送信する手段を包含し得る。
【０２４０】
いくつかの実施形態において、１つ以上の領域を検査する上記手段に応じて１つ以上の消毒ユニットに対して１つ以上の信号を送信する上記手段は、１つ以上の上記領域に対して特定された１つ以上の消毒作用物を使用することの１つ以上の上記消毒ユニットに対する１つ以上の命令と関連する１つ以上の上記信号を送信する手段を包含し得る。
【０２４１】
いくつかの実施形態において、１つ以上の領域を検査する上記手段に応じて１つ以上の消毒ユニットに対して１つ以上の信号を送信する上記手段は、１つ以上の記録ユニットに対する１つ以上の命令と関連する１つ以上の上記信号を送信する手段を包含し得る。
【０２４２】
いくつかの実施形態において、１つ以上の領域を検査する上記手段に応じて１つ以上の消毒ユニットに対して１つ以上の信号を送信する上記手段は、１つ以上の消毒作用物が１つ以上の上記領域内に対して以前に使用されてから経過している１つ以上の時間の長さと関連する１つ以上の信号を１つ以上の上記消毒ユニットに対して送信する手段を包含し得る。
【０２４３】
多種類の手段が、本明細書に記載されているシステムの１つ以上の実施形態の範囲内に含まれ得る。当該手段の例としては、回路構成、プログラミング、ハードウェア、ソフトウェア、ファームウェア、電気機械システム、論理、および／またはこれらのあらゆる組み合わせが挙げられるが、これらに限定されない。
【０２４４】
いくつかの実施形態において、システムは、１つ以上の検査ユニットと関連する１つ以上の信号を受信する手段および１つ以上の検査ユニットと関連する１つ以上の信号を受信する上記手段に応じて１つ以上の領域に対して１つ以上の消毒作用物を使用する手段を包含し得る。
【０２４５】
いくつかの実施形態において、１つ以上の検査ユニットと関連する１つ以上の信号を受信する上記手段は、１つ以上の上記領域に対して１つ以上の上記消毒作用物を使用することの１つ以上の命令と関連する１つ以上の上記信号を受信する手段を包含し得る。
【０２４６】
いくつかの実施形態において、１つ以上の検査ユニットと関連する１つ以上の信号を受信する上記手段は、１つ以上の上記領域に対する１つ以上の上記消毒作用物の使用を回避することの１つ以上の命令と関連する１つ以上の上記信号を受信する手段を包含し得る。
【０２４７】
いくつかの実施形態において、１つ以上の検査ユニットと関連する１つ以上の信号を受信する上記手段は、１つ以上の上記領域内における１つ以上の表面に対して１つ以上の上記消毒作用物を使用することの１つ以上の命令と関連する１つ以上の上記信号を受信する手段を包含し得る。
【０２４８】
いくつかの実施形態において、１つ以上の検査ユニットと関連する１つ以上の信号を受信する上記手段は、１つ以上の上記領域内における１つ以上の表面に対する１つ以上の上記消毒作用物の使用を回避することの１つ以上の命令と関連する１つ以上の上記信号を受信する手段を包含し得る。
【０２４９】
いくつかの実施形態において、１つ以上の検査ユニットと関連する１つ以上の信号を受信する上記手段は、１つ以上の上記領域内における１つ以上の対象に対して１つ以上の上記消毒作用物を使用することの１つ以上の命令と関連する１つ以上の上記信号を受信する手段を包含し得る。
【０２５０】
いくつかの実施形態において、１つ以上の検査ユニットと関連する１つ以上の信号を受信する上記手段は、１つ以上の上記領域内における１つ以上の対象に対する１つ以上の上記消毒作用物の使用を回避することの１つ以上の命令と関連する１つ以上の上記信号を受信する手段を包含し得る。
【０２５１】
いくつかの実施形態において、１つ以上の検査ユニットと関連する１つ以上の信号を受信する上記手段は、１つ以上の上記領域の１つ以上の地図と関連する１つ以上の上記信号を受信する手段を包含し得る。
【０２５２】
いくつかの実施形態において、１つ以上の検査ユニットと関連する１つ以上の信号を受信する上記手段は、１つ以上の上記領域の１つ以上の模型と関連する１つ以上の上記信号を受信する手段を包含し得る。
【０２５３】
いくつかの実施形態において、１つ以上の検査ユニットと関連する１つ以上の信号を受信する上記手段は、１つ以上の上記領域に割り当てられた１つ以上の消毒手順に従うことの１つ以上の命令と関連する１つ以上の上記信号を受信する手段を包含し得る。
【０２５４】
いくつかの実施形態において、１つ以上の検査ユニットと関連する１つ以上の信号を受信する上記手段は、１つ以上の上記領域に割り当てられた１つ以上の消毒状態と関連する１つ以上の上記信号を受信する手段を包含し得る。
【０２５５】
いくつかの実施形態において、１つ以上の検査ユニットと関連する１つ以上の信号を受信する上記手段は、１つ以上のセンサユニットから取得された１つ以上の読み出しと関連する１つ以上の上記信号を受信する手段を包含し得る。
【０２５６】
いくつかの実施形態において、１つ以上の検査ユニットと関連する１つ以上の信号を受信する上記手段は、１つ以上の上記領域内に存在する１つ以上の物陰にある領域の１つ以上の位置と関連する１つ以上の上記信号を受信する手段を包含し得る。
【０２５７】
いくつかの実施形態において、１つ以上の検査ユニットと関連する１つ以上の信号を受信する上記手段は、固定式の１つ以上の上記検査ユニットと関連する１つ以上の上記信号を受信する手段を包含し得る。
【０２５８】
いくつかの実施形態において、１つ以上の検査ユニットと関連する１つ以上の信号を受信する上記手段は、移動式の１つ以上の上記検査ユニットと関連する１つ以上の上記信号を受信する手段を包含し得る。
【０２５９】
いくつかの実施形態において、１つ以上の検査ユニットと関連する１つ以上の信号を受信する上記手段は、消毒に関する１つ以上の上記領域に対する優先順位の決定と関連する１つ以上の上記信号を受信する手段を包含し得る。
【０２６０】
いくつかの実施形態において、１つ以上の検査ユニットと関連する１つ以上の信号を受信する上記手段は、消毒に関する１つ以上の上記領域内における１つ以上の表面に対する優先順位の決定と関連する１つ以上の上記信号を受信する手段を包含し得る。
【０２６１】
いくつかの実施形態において、１つ以上の検査ユニットと関連する１つ以上の信号を受信する上記手段は、消毒に関する１つ以上の上記領域内における１つ以上の対象に対する優先順位の決定と関連する１つ以上の上記信号を受信する手段を包含し得る。
【０２６２】
いくつかの実施形態において、１つ以上の検査ユニットと関連する１つ以上の信号を受信する上記手段は、１つ以上の上記領域内に存在するかまたは不在である１人以上の人間と関連する１つ以上の上記信号を受信する手段を包含し得る。
【０２６３】
いくつかの実施形態において、１つ以上の検査ユニットと関連する１つ以上の信号を受信する上記手段は、１つ以上の上記領域内に使用される１つ以上の上記消毒作用物の予想される作用と関連する１つ以上の上記信号を受信する手段を包含し得る。
【０２６４】
いくつかの実施形態において、１つ以上の検査ユニットと関連する１つ以上の信号を受信する上記手段は、１つ以上の上記消毒作用物が１つ以上の上記領域内に対して以前に使用されてから経過している１つ以上の時間の長さと関連する１つ以上の上記信号を受信する手段を包含し得る。
【０２６５】
いくつかの実施形態において、１つ以上の検査ユニットと関連する１つ以上の信号を受信する上記手段は、１つ以上の上記領域内に対して１つ以上の上記消毒作用物を使用すべきである場所を示す１つ以上の命令と関連する１つ以上の上記信号を受信する手段を包含し得る。
【０２６６】
いくつかの実施形態において、１つ以上の検査ユニットと関連する１つ以上の信号を受信する上記手段は、１つ以上の上記領域内に対して１つ以上の上記消毒作用物を使用すべきではない場所を示す１つ以上の命令と関連する１つ以上の上記信号を受信する手段を包含し得る。
【０２６７】
いくつかの実施形態において、１つ以上の検査ユニットと関連する１つ以上の信号を受信する上記手段は、１つ以上の上記消毒作用物を特定して１つ以上の上記領域に対して使用することと関連する１つ以上の上記信号を受信する手段を包含し得る。
【０２６８】
いくつかの実施形態において、１つ以上の検査ユニットと関連する１つ以上の信号を受信する上記手段は、１つ以上の記録ユニットと関連する１つ以上の上記信号を受信する手段を包含し得る。
【０２６９】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域に対して１つ以上の上記消毒作用物を使用する手段を包含し得る。
【０２７０】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域に対する１つ以上の上記消毒作用物の使用を回避する手段を包含し得る。
【０２７１】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域内における１つ以上の表面に対して１つ以上の上記消毒作用物を使用する手段を包含し得る。
【０２７２】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域内における１つ以上の表面に対する１つ以上の上記消毒作用物の使用を回避する手段を包含し得る。
【０２７３】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域内における１つ以上の対象に対する１つ以上の上記消毒作用物を使用する手段を包含し得る。
【０２７４】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域内における１つ以上の対象に対する１つ以上の上記消毒作用物の使用を回避する手段を包含し得る。
【０２７５】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域の１つ以上の地図に従って１つ以上の上記領域に対して１つ以上の上記消毒作用物を使用する手段を包含し得る。
【０２７６】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域の１つ以上の模型に従って１つ以上の上記領域に対して１つ以上の上記消毒作用物を使用する手段を包含し得る。
【０２７７】
いくつかの実施形態において、１つ以上の検査ユニットと関連する１つ以上の信号を受信する上記手段に応じて１つ以上の領域に対して１つ以上の消毒作用物を使用する上記手段は、１つ以上の消毒手順に従って１つ以上の上記領域に対して１つ以上の上記消毒作用物を使用する手段を包含し得る。
【０２７８】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域に割り当てられた１つ以上の消毒状態に従って１つ以上の上記領域に対して１つ以上の上記消毒作用物を使用する手段を包含し得る。
【０２７９】
いくつかの実施形態において、１つ以上の検査ユニットと関連する１つ以上の信号を受信する上記手段に応じて１つ以上の領域に対して１つ以上の消毒作用物を使用する上記手段は、１つ以上のセンサユニットから取得された１つ以上の読み込みに従って１つ以上の上記領域に対して１つ以上の上記消毒作用物を使用する手段を包含し得る。
【０２８０】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域内に存在する１つ以上の物陰にある領域に対して１つ以上の上記消毒作用物を使用する手段を包含し得る。
【０２８１】
いくつかの実施形態において、１つ以上の検査ユニットと関連する１つ以上の信号を受信する上記手段に応じて１つ以上の領域に対して１つ以上の消毒作用物を使用する上記手段は、固定式の１つ以上の消毒ユニットから１つ以上の上記領域に対して１つ以上の上記消毒作用物を使用する手段を包含し得る。
【０２８２】
いくつかの実施形態において、１つ以上の検査ユニットと関連する１つ以上の信号を受信する上記手段に応じて１つ以上の領域に対して１つ以上の消毒作用物を使用する上記手段は、移動式の１つ以上の消毒ユニットから１つ以上の上記領域に対して１つ以上の上記消毒作用物を使用する手段を包含し得る。
【０２８３】
いくつかの実施形態において、１つ以上の検査ユニットと関連する１つ以上の信号を受信する上記手段に応じて１つ以上の領域に対して１つ以上の消毒作用物を使用する上記手段は、優先順位決定された様式において１つ以上の上記領域に対して１つ以上の上記消毒作用物を使用する手段を包含し得る。
【０２８４】
いくつかの実施形態において、１つ以上の検査ユニットと関連する１つ以上の信号を受信する上記手段に応じて１つ以上の領域に対して１つ以上の消毒作用物を使用する上記手段は、優先順位決定された様式において１つ以上の上記領域内における１つ以上の表面に対して１つ以上の上記消毒作用物を使用する手段を包含し得る。
【０２８５】
いくつかの実施形態において、１つ以上の検査ユニットと関連する１つ以上の信号を受信する上記手段に応じて１つ以上の領域に対して１つ以上の消毒作用物を使用する上記手段は、優先順位決定された様式において１つ以上の上記領域内における１つ以上の対象に対して１つ以上の上記消毒作用物を使用する手段を包含し得る。
【０２８６】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域内に存在する１人以上の人間に対して１つ以上の上記領域内に１つ以上の上記消毒作用物を使用する手段を包含し得る。
【０２８７】
いくつかの実施形態において、１つ以上の検査ユニットと関連する１つ以上の信号を受信する上記手段に応じて１つ以上の領域に対して１つ以上の消毒作用物を使用する上記手段は、１人以上の人間が１つ以上の上記領域に不在である場合に１つ以上の上記領域に対して１つ以上の上記消毒作用物を使用する手段を包含し得る。
【０２８８】
いくつかの実施形態において、１つ以上の検査ユニットと関連する１つ以上の信号を受信する上記手段に応じて１つ以上の領域に対して１つ以上の消毒作用物を使用する上記手段は、１人以上の人間が１つ以上の上記領域内に存在する場合に１つ以上の上記領域に対する１つ以上の上記消毒作用物の使用を回避する手段を包含し得る。
【０２８９】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域の１つ以上の部分に対して１つ以上の上記消毒作用物を使用する手段を包含し得る。
【０２９０】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域の１つ以上の部分に対する１つ以上の上記消毒作用物の使用を回避する手段を包含し得る。
【０２９１】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域に対する１つ以上の上記消毒作用物の以前の使用から経過している１つ以上の時間の長さに従って１つ以上の上記消毒作用物を使用する手段を包含し得る。
【０２９２】
いくつかの実施形態において、１つ以上の検査ユニットと関連する１つ以上の信号を受信する上記手段に応じて１つ以上の領域に対して１つ以上の消毒作用物を使用する上記手段は、１つ以上の上記領域に対して特定された１つ以上の上記消毒作用物を使用する手段を包含し得る。
【０２９３】
いくつかの実施形態において、１つ以上の検査ユニットと関連する１つ以上の信号を受信する上記手段に応じて１つ以上の領域に対して１つ以上の消毒作用物を使用する上記手段は、ガンマ線、ソニック  ラジエーション、化学物質、赤外線、蒸気、およびガスからなる群から選択される１つ以上の上記消毒作用物を使用する手段を包含し得る。
【０２９４】
いくつかの実施形態において、１つ以上の検査ユニットと関連する１つ以上の信号を受信する上記手段に応じて１つ以上の領域に対して１つ以上の消毒作用物を使用する上記手段は、紫外線を含む１つ以上の上記消毒作用物を使用する手段を包含し得る。
【０２９５】
多種類の手段が、本明細書に記載されているシステムの１つ以上の実施形態の範囲内に含まれ得る。当該手段の例としては、回路構成、プログラミング、ハードウェア、ソフトウェア、ファームウェア、電気機械システム、論理、および／またはこれらのあらゆる組み合わせが挙げられるが、これらに限定されない。
【０２９６】
いくつかの実施形態において、システムは、１つ以上の領域を検査する手段および１つ以上の領域を検査する上記手段に応じて１つ以上の上記領域に対して１つ以上の消毒作用物を使用する手段を包含し得る。
【０２９７】
いくつかの実施形態において、１つ以上の領域を検査する上記手段は、１つ以上の上記領域が消毒されるべきである場合を決定する手段を包含し得る。
【０２９８】
いくつかの実施形態において、１つ以上の領域を検査する上記手段は、１つ以上の上記領域が消毒されるべきではない場合を決定する手段を包含し得る。
【０２９９】
いくつかの実施形態において、１つ以上の領域を検査する上記手段は、消毒されるべきである１つ以上の上記領域内における１つ以上の表面を決定する手段を包含し得る。
【０３００】
いくつかの実施形態において、１つ以上の領域を検査する上記手段は、消毒すべきではない１つ以上の上記領域内における１つ以上の表面を決定する手段を包含し得る。
【０３０１】
いくつかの実施形態において、１つ以上の領域を検査する上記手段は、消毒されるべきである１つ以上の上記領域内における１つ以上の対象を決定する手段を包含し得る。
【０３０２】
いくつかの実施形態において、１つ以上の領域を検査する上記手段は、消毒されるべきではない１つ以上の上記領域内における１つ以上の対象を決定する手段を包含し得る。
【０３０３】
いくつかの実施形態において、１つ以上の領域を検査する上記手段は、１つ以上の上記領域の地図を作製する手段を包含し得る。
【０３０４】
いくつかの実施形態において、１つ以上の領域を検査する上記手段は、１つ以上の上記領域の模型を作製する手段を包含し得る。
【０３０５】
いくつかの実施形態において、１つ以上の領域を検査する上記手段は、１つ以上の上記領域が１つ以上の消毒手順に従っている場合を決定する手段を包含し得る。
【０３０６】
いくつかの実施形態において、１つ以上の領域を検査する上記手段は、１つ以上の上記領域に関する１つ以上の消毒状態を決定する手段を包含し得る。
【０３０７】
いくつかの実施形態において、１つ以上の領域を検査する上記手段は、１つ以上のセンサユニットから１つ以上の読み込みを取得する手段を包含し得る。
【０３０８】
いくつかの実施形態において、１つ以上の領域を検査する上記手段は、１つ以上の物陰にある領域が１つ以上の上記領域内に存在する場合を決定する手段を包含し得る。
【０３０９】
いくつかの実施形態において、１つ以上の領域を検査する上記手段は、固定式の１つ以上の検査ユニットを用いて１つ以上の上記領域を検査する手段を包含し得る。
【０３１０】
いくつかの実施形態において、１つ以上の領域を検査する上記手段は、移動式の１つ以上の検査ユニットを用いて１つ以上の上記領域を検査する手段を包含し得る。
【０３１１】
いくつかの実施形態において、１つ以上の領域を検査する上記手段は、消毒に関して１つ以上の上記領域に対する優先順位を決定する手段を包含し得る。
【０３１２】
いくつかの実施形態において、１つ以上の領域を検査する上記手段は、消毒に関して１つ以上の上記領域内における１つ以上の表面に対する優先順位を決定する手段を包含し得る。
【０３１３】
いくつかの実施形態において、１つ以上の領域を検査する上記手段は、１人以上の人間が１つ以上の上記領域内に存在するかまたは不在である場合を決定する手段を包含し得る。
【０３１４】
いくつかの実施形態において、１つ以上の領域を検査する上記手段は、１つ以上の上記領域内に使用される１つ以上の上記消毒作用物の作用を予測する手段を包含し得る。
【０３１５】
いくつかの実施形態において、１つ以上の領域を検査する上記手段は、１つ以上の上記領域内に使用された１つ以上の上記消毒作用物の以前の作用から経過している時間の長さを決定する手段を包含し得る。
【０３１６】
いくつかの実施形態において、１つ以上の領域を検査する上記手段に応じて１つ以上の上記領域に対して１つ以上の消毒作用物を使用する上記手段は、１つ以上の上記領域に対して１つ以上の上記消毒作用物を使用する手段を包含し得る。
【０３１７】
いくつかの実施形態において、１つ以上の領域を検査する上記手段に応じて１つ以上の上記領域に対して１つ以上の消毒作用物を使用する上記手段は、１つ以上の上記領域に対する１つ以上の上記消毒作用物の使用を回避する手段を包含し得る。
【０３１８】
いくつかの実施形態において、１つ以上の領域を検査する上記手段に応じて１つ以上の上記領域に対して１つ以上の消毒作用物を使用する上記手段は、１つ以上の上記領域内における１つ以上の表面に対して１つ以上の上記消毒作用物を使用する手段を包含し得る。
【０３１９】
いくつかの実施形態において、１つ以上の領域を検査する上記手段に応じて１つ以上の上記領域に対して１つ以上の消毒作用物を使用する上記手段は、１つ以上の上記領域内における１つ以上の表面に対する１つ以上の上記消毒作用物の使用を回避する手段を包含し得る。
【０３２０】
いくつかの実施形態において、１つ以上の領域を検査する上記手段に応じて１つ以上の上記領域に対して１つ以上の消毒作用物を使用する上記手段は、１つ以上の上記領域内における１つ以上の対象に対して１つ以上の上記消毒作用物を使用する手段を包含し得る。
【０３２１】
いくつかの実施形態において、１つ以上の領域を検査する上記手段に応じて１つ以上の上記領域に対して１つ以上の消毒作用物を使用する上記手段は、１つ以上の上記領域内における１つ以上の対象に対する１つ以上の上記消毒作用物の使用を回避する手段を包含し得る。
【０３２２】
いくつかの実施形態において、１つ以上の領域を検査する上記手段に応じて１つ以上の上記領域に対して１つ以上の消毒作用物を使用する上記手段は、１つ以上の上記領域の１つ以上の地図に従って１つ以上の上記領域に対して１つ以上の上記消毒作用物を使用する手段を包含し得る。
【０３２３】
いくつかの実施形態において、１つ以上の領域を検査する上記手段に応じて１つ以上の上記領域に対して１つ以上の消毒作用物を使用する上記手段は、１つ以上の上記領域の１つ以上の模型に従って１つ以上の上記領域に対して１つ以上の上記消毒作用物を使用する手段を包含し得る。
【０３２４】
いくつかの実施形態において、１つ以上の領域を検査する上記手段に応じて１つ以上の上記領域に対して１つ以上の消毒作用物を使用する上記手段は、１つ以上の消毒手順に従って１つ以上の上記領域に対して１つ以上の上記消毒作用物を使用する手段を包含し得る。
【０３２５】
いくつかの実施形態において、１つ以上の領域を検査する上記手段に応じて１つ以上の上記領域に対して１つ以上の消毒作用物を使用する上記手段は、１つ以上の上記領域に割り当てられた１つ以上の消毒状態に従って１つ以上の上記領域に対して１つ以上の上記消毒作用物を使用する手段を包含し得る。
【０３２６】
いくつかの実施形態において、１つ以上の領域を検査する上記手段に応じて１つ以上の上記領域に対して１つ以上の消毒作用物を使用する上記手段は、１つ以上のセンサユニットから取得された１つ以上の読み込みに従って１つ以上の上記領域に対して１つ以上の上記消毒作用物を使用する手段を包含し得る。
【０３２７】
いくつかの実施形態において、１つ以上の領域を検査する上記手段に応じて１つ以上の上記領域に対して１つ以上の消毒作用物を使用する上記手段は、１つ以上の上記領域に存在する１つ以上の物陰にある領域に対して１つ以上の上記消毒作用物を使用する手段を包含し得る。
【０３２８】
いくつかの実施形態において、１つ以上の領域を検査する上記手段に応じて１つ以上の上記領域に対して１つ以上の消毒作用物を使用する上記手段は、固定式の１つ以上の消毒ユニットから１つ以上の上記領域に対して１つ以上の上記消毒作用物を使用する手段を包含し得る。
【０３２９】
いくつかの実施形態において、１つ以上の領域を検査する上記手段に応じて１つ以上の上記領域に対して１つ以上の消毒作用物を使用する上記手段は、移動式の１つ以上の１つ以上の消毒ユニットから１つ以上の上記領域に対して１つ以上の上記消毒作用物を使用する手段を包含し得る。
【０３３０】
いくつかの実施形態において、１つ以上の領域を検査する上記手段に応じて１つ以上の上記領域に対して１つ以上の消毒作用物を使用する上記手段は、優先順位決定された様式において１つ以上の上記領域に対して１つ以上の上記消毒作用物を使用する手段を包含し得る。
【０３３１】
いくつかの実施形態において、１つ以上の領域を検査する上記手段に応じて１つ以上の上記領域に対して１つ以上の消毒作用物を使用する上記手段は、優先順位決定された様式において１つ以上の上記領域内における１つ以上の表面に対して１つ以上の上記消毒作用物を使用する手段を包含し得る。
【０３３２】
いくつかの実施形態において、１つ以上の領域を検査する上記手段に応じて１つ以上の上記領域に対して１つ以上の消毒作用物を使用する上記手段は、優先順位決定された様式において１つ以上の上記領域内における１つ以上の対象に対して１つ以上の上記消毒作用物を使用する手段を包含し得る。
【０３３３】
いくつかの実施形態において、１つ以上の領域を検査する上記手段に応じて１つ以上の上記領域に対して１つ以上の消毒作用物を使用する上記手段は、１つ以上の上記領域内に存在する１人以上の人間に対して１つ以上の上記領域内に１つ以上の上記消毒作用物を使用する手段を包含し得る。
【０３３４】
いくつかの実施形態において、１つ以上の領域を検査する上記手段に応じて１つ以上の上記領域に対して１つ以上の消毒作用物を使用する上記手段は、１人以上の人間が１つ以上の上記領域に不在である場合に１つ以上の上記領域に対して１つ以上の上記消毒作用物を使用する手段を包含し得る。
【０３３５】
いくつかの実施形態において、１つ以上の領域を検査する上記手段に応じて１つ以上の上記領域に対して１つ以上の消毒作用物を使用する上記手段は、１人以上の人間が１つ以上の上記領域内に存在する場合における１つ以上の上記領域に対する１つ以上の上記消毒作用物の使用を回避する手段を包含し得る。
【０３３６】
いくつかの実施形態において、１つ以上の領域を検査する上記手段に応じて１つ以上の上記領域に対して１つ以上の消毒作用物を使用する上記手段は、１つ以上の上記領域の１つ以上の部分に対して１つ以上の上記消毒作用物を使用する手段を包含し得る。
【０３３７】
いくつかの実施形態において、１つ以上の領域を検査する上記手段に応じて１つ以上の上記領域に対して１つ以上の消毒作用物を使用する上記手段は、１つ以上の上記領域の１つ以上の部分に対する１つ以上の上記消毒作用物の使用を回避する手段を包含し得る。
【０３３８】
いくつかの実施形態において、１つ以上の領域を検査する上記手段に応じて１つ以上の上記領域に対して１つ以上の消毒作用物を使用する上記手段は、１つ以上の上記領域に対する１つ以上の上記消毒作用物の以前の使用から経過している時間の長さに従って１つ以上の上記消毒作用物を使用する手段を包含し得る。
【０３３９】
いくつかの実施形態において、１つ以上の領域を検査する上記手段に応じて１つ以上の上記領域に対して１つ以上の消毒作用物を使用する上記手段は、１つ以上の上記領域に対して特定された１つ以上の上記消毒作用物を使用する手段を包含し得る。
【０３４０】
いくつかの実施形態において、１つ以上の領域を検査する上記手段に応じて１つ以上の上記領域に対して１つ以上の消毒作用物を使用する上記手段は、ガンマ線、ソニック  ラジエーション、化学物質、赤外線、蒸気、およびガスからなる群から選択される１つ以上の上記消毒作用物を使用する手段を包含し得る。
【０３４１】
いくつかの実施形態において、１つ以上の領域を検査する上記手段に応じて１つ以上の上記領域に対して１つ以上の消毒作用物を使用する上記手段は、紫外線を含む１つ以上の上記消毒作用物を使用する手段を包含し得る。
【０３４２】
多種類の手段が、本明細書に記載されているシステムの１つ以上の実施形態の範囲内に含まれ得る。当該手段の例としては、回路構成、プログラミング、ハードウェア、ソフトウェア、ファームウェア、電気機械システム、論理、および／またはこれらのあらゆる組み合わせが挙げられるが、これらに限定されない。
【図面の簡単な説明】
【０３４３】
【図１】実施形態が実施され得る例示的なシステム１００を説明する。
【図２】消毒方法に関する例示的な動作を表す動作フローを説明する。
【図３】図２の例示的な動作フローの代替可能な実施形態を説明する。
【図４】図２の例示的な動作フローの代替可能な実施形態を説明する。
【図５】図２の例示的な動作フローの代替可能な実施形態を説明する。
【図６】図２の例示的な動作フローの代替可能な実施形態を説明する。
【図７】図２の例示的な動作フローの代替可能な実施形態を説明する。
【図８】図２の例示的な動作フローの代替可能な実施形態を説明する。
【図９】図２の例示的な動作フローの代替可能な実施形態を説明する。
【図１０】図２の例示的な動作フローの代替可能な実施形態を説明する。
【図１１】図２の例示的な動作フローの代替可能な実施形態を説明する。
【図１２】消毒方法に関する例示的な動作を表す動作フローを説明する。
【図１３】図１２の例示的な動作フローの代替可能な実施形態を説明する。
【図１４】図１２の例示的な動作フローの代替可能な実施形態を説明する。
【図１５】図１２の例示的な動作フローの代替可能な実施形態を説明する。
【図１６】図１２の例示的な動作フローの代替可能な実施形態を説明する。
【図１７】図１２の例示的な動作フローの代替可能な実施形態を説明する。
【図１８】図１２の例示的な動作フローの代替可能な実施形態を説明する。
【図１９】図１２の例示的な動作フローの代替可能な実施形態を説明する。
【図２０】図１２の例示的な動作フローの代替可能な実施形態を説明する。
【図２１】図１２の例示的な動作フローの代替可能な実施形態を説明する。
【図２２】図１２の例示的な動作フローの代替可能な実施形態を説明する。
【図２３】消毒システムに関する例示的な動作を表す動作フローを説明する。
【図２４】消毒システムに関する例示的な動作を表す動作フローを説明する。
【図１】
2009532092.tif 000005
【図２】
2009532092.tif 000006
【図３】
2009532092.tif 000007
【図４】
2009532092.tif 000008
【図５】
2009532092.tif 000009
【図６】
2009532092.tif 000010
【図７】
2009532092.tif 000011
【図８】
2009532092.tif 000012
【図９】
2009532092.tif 000013
【図１０】
2009532092.tif 000014
【図１１】
2009532092.tif 000015
【図１２】
2009532092.tif 000016
【図１３】
2009532092.tif 000017
【図１４】
2009532092.tif 000018
【図１５】
2009532092.tif 000019
【図１６】
2009532092.tif 000020
【図１７】
2009532092.tif 000021
【図１８】
2009532092.tif 000022
【図１９】
2009532092.tif 000023
【図２０】
2009532092.tif 000024
【図２１】
2009532092.tif 000025
【図２２】
2009532092.tif 000026
【図２３】
2009532092.tif 000027
【図２４】
2009532092.tif 000028
【国際調査報告】
2009532092.tif 000029